(57)【要約】  端末装置であって、移動体通信ネットワークにおける移動体通信を行う移動体通信部と、上記移動体通信とは異なる無線通信用の１つ以上の無線ネットワークの各々の状態を示す状態情報を取得する取得部と、上記状態情報に基づいて、上記１つ以上の無線ネットワークのうちの１つの無線ネットワークを選択する選択部と、選択される上記１つの無線ネットワークに関する情報を、上記無線通信を行う別の端末装置に提供する提供部と、を備える端末装置が提供される。上記１つ以上の無線ネットワークの各々は、上記別の端末装置が認証手続きを通じて接続可能な上記無線通信用の無線ネットワークである。上記１つ以上の無線ネットワークに関する情報は、上記移動体通信を行う装置に上記移動体通信ネットワークとは異なる無線ネットワークに関する情報を提供する情報提供装置により上記端末装置に提供される情報に含まれる。【選択図】図９
2015068497.tif 000002
【特許請求の範囲】
【請求項１】
端末装置であって、
移動体通信ネットワークにおける移動体通信を行う移動体通信部と、
前記移動体通信とは異なる無線通信用の１つ以上の無線ネットワークの各々の状態を示す状態情報を取得する取得部と、
前記状態情報に基づいて、前記１つ以上の無線ネットワークのうちの１つの無線ネットワークを選択する選択部と、
選択される前記１つの無線ネットワークに関する情報を、前記無線通信を行う別の端末装置に提供する提供部と、
を備え、
前記１つ以上の無線ネットワークの各々は、前記別の端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記端末装置に提供される情報に含まれる、
端末装置。
【請求項２】
前記状態情報は、前記１つ以上の無線ネットワークの各々の使用状況を示す使用状況情報を含む、請求項１に記載の端末装置。
【請求項３】
前記使用状況情報は、前記１つ以上の無線ネットワークの各々に接続される装置の数に関する情報を含む、請求項２に記載の端末装置。
【請求項４】
前記使用状況情報は、前記１つ以上の無線ネットワークの各々におけるトラフィックに関する情報を含む、請求項２に記載の端末装置。
【請求項５】
前記使用状況情報は、前記移動体通信ネットワークを介して前記端末装置に提供される情報に含まれる、請求項２に記載の端末装置。
【請求項６】
前記取得部は、前記１つ以上の無線ネットワークの各々のアクセスポイントの配置状況を示す配置状況情報を取得し、
前記選択部は、前記配置状況情報にさらに基づいて、前記１つの無線ネットワークを選択する、
請求項１に記載の端末装置。
【請求項７】
前記状態情報は、前記１つ以上の無線ネットワークの各々の測定された通信品質を示す通信品質情報を含む、請求項１に記載の端末装置。
【請求項８】
前記通信品質情報は、受信信号の強度を示す情報を含む、請求項７に記載の端末装置。
【請求項９】
前記通信品質情報は、前記端末装置又は前記別の端末装置による通信品質の測定を通じて生成される情報である、請求項７に記載の端末装置。
【請求項１０】
前記選択部は、前記１つ以上の無線ネットワークの各々において使用されるチャネルの共用状況にさらに基づいて、前記１つの無線ネットワークを選択する、請求項１に記載の端末装置。
【請求項１１】
前記認証手続きは、前記端末装置の加入者識別モジュールにより提供される認証用情報を用いる認証手続きを含み、
前記提供部は、前記認証用情報を前記別の端末装置に提供する、
請求項１に記載の端末装置。
【請求項１２】
前記認証手続きは、電子証明書を用いる認証手続きを含む、請求項１に記載の端末装置。
【請求項１３】
前記１つ以上の無線ネットワークの各々は、前記端末装置又は前記別の端末装置の位置に対応する通信エリアを有する無線ネットワークである、請求項１に記載の端末装置。
【請求項１４】
前記１つ以上の無線ネットワークの各々は、時間に対応する利用可能時間を有する無線ネットワークである、請求項１に記載の端末装置。
【請求項１５】
前記１つ以上の無線ネットワークの各々は、無線ローカルエリアネットワーク（ＷＬＡＮ）であり、
前記無線通信は、ＷＬＡＮ通信である、
請求項１に記載の端末装置。
【請求項１６】
前記１つ以上の無線ネットワークの各々は、前記移動体通信ネットワークについてのオペレータにより運用される無線ネットワークである、請求項１に記載の端末装置。
【請求項１７】
前記情報提供装置は、アクセスネットワーク発見選択機能（ＡＮＤＳＦ）を有する装置である、請求項１に記載の端末装置。
【請求項１８】
移動体通信ネットワークにおける移動体通信を行う端末装置のための情報処理装置であって、
プログラムを記憶するメモリと、
前記プログラムを実行可能な１つ以上のプロセッサと、
を備え、
前記プログラムは、
前記移動体通信とは異なる無線通信用の１つ以上の無線ネットワークの各々の状態を示す状態情報を取得することと、
前記状態情報に基づいて、前記１つ以上の無線ネットワークのうちの１つの無線ネットワークを選択することと、
選択される前記１つの無線ネットワークに関する情報を、前記無線通信を行う別の端末装置に提供することと、
を実行させるためのプログラムであり、
前記１つ以上の無線ネットワークの各々は、前記別の端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記端末装置に提供される情報に含まれる、
情報処理装置。
【請求項１９】
端末装置であって、
移動体通信ネットワークにおける移動体通信とは異なる無線通信を行う無線通信部と、
前記無線通信用の１つ以上の無線ネットワークの各々の状態を示す状態情報を取得する取得部と、
前記状態情報に基づいて、前記１つ以上の無線ネットワークのうちの１つの無線ネットワークを選択する選択部と、
を備え、
前記１つ以上の無線ネットワークの各々は、前記端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記移動体通信を行う別の端末装置に提供される情報のうちの少なくとも一部の情報であって、前記別の端末装置により前記端末装置に提供される前記情報に含まれ、
前記端末装置は、
前記認証手続きを通じて、選択される前記１つの無線ネットワークに前記端末装置を接続させる接続制御部、
をさらに備える、端末装置。
【請求項２０】
移動体通信ネットワークにおける移動体通信とは異なる無線通信を行う端末装置のための情報処理装置であって、
プログラムを記憶するメモリと、
前記プログラムを実行可能な１つ以上のプロセッサと、
を備え、
前記プログラムは、
前記無線通信用の１つ以上の無線ネットワークの各々の状態を示す状態情報を取得することと、
前記状態情報に基づいて、前記１つ以上の無線ネットワークのうちの１つの無線ネットワークを選択することと、
を実行させるためのプログラムであり、
前記１つ以上の無線ネットワークの各々は、前記端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記移動体通信を行う別の端末装置に提供される情報のうちの少なくとも一部の情報であって、前記別の端末装置により前記端末装置に提供される前記情報に含まれ、
前記プログラムは、
前記認証手続きを通じて、選択される前記１つの無線ネットワークに前記端末装置を接続させること、
をさらに実行させるためのプログラムである、
情報処理装置。
【発明の詳細な説明】
【技術分野】
【０００１】
本開示は、端末装置及び情報処理装置に関する。
【背景技術】
【０００２】
近年、無線ローカルエリアネットワーク（ＷＬＡＮ：Wireless  Local  Area  Network）の通信機能を有する機器が広く普及している。当該機器の例として、移動体通信サービスでの移動体通信機能も有するスマートフォンをはじめ、パーソナルコンピュータ（ＰＣ：Personal  Computer）、タブレット端末、携帯ゲーム機、デジタルカメラ、プリンタ等の様々な機器が挙げられる。【０００３】
一般的に、ＷＬＡＮ通信の機能を有する機器は、ＷＬＡＮに接続し、当該ＷＬＡＮ経由でデータの送受信を行う。換言すると、上記機器は、上記ＷＬＡＮのアクセスポイント経由でデータの送受信を行う。また、ＷＬＡＮ（あるいはアクセスポイント）を経由しない通信の例として、上記機器は、例えば、移動体通信端末に接続し、当該移動体通信端末及び移動体通信ネットワーク経由でデータの送受信を行う。即ち、上記機器は、テザリングによりデータの送受信を行う。このようなテザリングについて様々な技術が提案されている。【０００４】
例えば、特許文献１には、テザリングで中継を行う装置の充電量が低下したとしても、中継先の装置による通信の継続を可能にする技術が開示されている。
【先行技術文献】
【特許文献】
【０００５】
【特許文献１】特開２０１３−１９７７５６号公報
【発明の概要】
【発明が解決しようとする課題】
【０００６】
上述したようなＷＬＡＮ（あるいはアクセスポイント）経由での通信は、一般的に、限定されたエリア（即ち、ＷＬＡＮの通信エリア）でしか行うことができない。一方、上述したようなテザリングによる通信では、移動体通信端末による通信の状況、あるいは移動体通信そのものの通信速度によっては、通信速度が遅くなり得る。また、移動体通信ネットワークにおいて消費される無線リソース、及び移動体通信端末の消費電力が増加し得る。そのため、テザリングによる通信が行われている際に、ＷＬＡＮ（あるいはアクセスポイント）経由での通信が可能になった場合には、機器は、テザリングによる通信からＷＬＡＮ経由での通信へ通信を速やかに切り替えることが望ましい。【０００７】
しかし、例えば、上記機器は、事前に接続用の情報を得ていた場合を除き、様々な事業者により提供されるＷＬＡＮ（あるいはアクセスポイント）の中から、上記機器が接続可能なＷＬＡＮ（即ち、上記機器による接続を認めるＷＬＡＮ）を特定できない。そのため、テザリングによる通信からＷＬＡＮ経由での通信へ通信を切り替えるためには、例えば、上記機器のユーザが、都度、上記機器が接続可能なＷＬＡＮを選択することになる。そのため、通信の速やかな切換えが困難になり得る。あるいは、テザリングによる通信からＷＬＡＮ（あるいはアクセスポイント）経由での通信へ通信を切り替えるために、例えば、上記機器は、様々なＷＬＡＮへの接続を試みることになる。そのため、接続手続きの失敗が繰り返され得る。そのため、ＷＬＡＮへの接続に要する時間が長くなると考えられ、通信の速やかな切換えが困難になり得る。【０００８】
また、仮に上記機器が接続可能なＷＬＡＮ（即ち、上記機器による接続を認めるＷＬＡＮ）が特定されるとしても、上記機器が接続可能な２つ以上のＷＬＡＮが存在する場合には、上記機器がより望ましいＷＬＡＮに接続できるとは限らない。【０００９】
そこで、より望ましい無線ネットワークを介した通信に通信を速やかに切替えることを可能にする仕組みが提供されることが望ましい。
【課題を解決するための手段】
【００１０】
本開示によれば、端末装置であって、移動体通信ネットワークにおける移動体通信を行う移動体通信部と、上記移動体通信とは異なる無線通信用の１つ以上の無線ネットワークの各々の状態を示す状態情報を取得する取得部と、上記状態情報に基づいて、上記１つ以上の無線ネットワークのうちの１つの無線ネットワークを選択する選択部と、選択される上記１つの無線ネットワークに関する情報を、上記無線通信を行う別の端末装置に提供する提供部と、を備える端末装置が提供される。上記１つ以上の無線ネットワークの各々は、上記別の端末装置が認証手続きを通じて接続可能な上記無線通信用の無線ネットワークである。上記１つ以上の無線ネットワークに関する情報は、上記移動体通信を行う装置に上記移動体通信ネットワークとは異なる無線ネットワークに関する情報を提供する情報提供装置により上記端末装置に提供される情報に含まれる。【００１１】
また、本開示によれば、移動体通信ネットワークにおける移動体通信を行う端末装置のための情報処理装置であって、プログラムを記憶するメモリと、上記プログラムを実行可能な１つ以上のプロセッサと、を備える情報処理装置が提供される。上記プログラムは、上記移動体通信とは異なる無線通信用の１つ以上の無線ネットワークの各々の状態を示す状態情報を取得することと、上記状態情報に基づいて、上記１つ以上の無線ネットワークのうちの１つの無線ネットワークを選択することと、選択される上記１つの無線ネットワークに関する情報を、上記無線通信を行う別の端末装置に提供することと、を実行させるためのプログラムである。上記１つ以上の無線ネットワークの各々は、上記別の端末装置が認証手続きを通じて接続可能な上記無線通信用の無線ネットワークである。上記１つ以上の無線ネットワークに関する情報は、上記移動体通信を行う装置に上記移動体通信ネットワークとは異なる無線ネットワークに関する情報を提供する情報提供装置により上記端末装置に提供される情報に含まれる。【００１２】
また、本開示によれば、端末装置であって、移動体通信ネットワークにおける移動体通信とは異なる無線通信を行う無線通信部と、上記無線通信用の１つ以上の無線ネットワークの各々の状態を示す状態情報を取得する取得部と、上記状態情報に基づいて、上記１つ以上の無線ネットワークのうちの１つの無線ネットワークを選択する選択部と、を備える端末装置が提供される。上記１つ以上の無線ネットワークの各々は、上記端末装置が認証手続きを通じて接続可能な上記無線通信用の無線ネットワークである。上記１つ以上の無線ネットワークに関する情報は、上記移動体通信を行う装置に上記移動体通信ネットワークとは異なる無線ネットワークに関する情報を提供する情報提供装置により上記移動体通信を行う別の端末装置に提供される情報のうちの少なくとも一部の情報であって、上記別の端末装置により上記端末装置に提供される上記情報に含まれる。上記端末装置は、上記認証手続きを通じて、選択される上記１つの無線ネットワークに上記端末装置を接続させる接続制御部、をさらに備える。【００１３】
また、本開示によれば、移動体通信ネットワークにおける移動体通信とは異なる無線通信を行う端末装置のための情報処理装置であって、プログラムを記憶するメモリと、上記プログラムを実行可能な１つ以上のプロセッサと、を備える情報処理装置が提供される。上記プログラムは、上記無線通信用の１つ以上の無線ネットワークの各々の状態を示す状態情報を取得することと、上記状態情報に基づいて、上記１つ以上の無線ネットワークのうちの１つの無線ネットワークを選択することと、を実行させるためのプログラムである。上記１つ以上の無線ネットワークの各々は、上記端末装置が認証手続きを通じて接続可能な上記無線通信用の無線ネットワークである。上記１つ以上の無線ネットワークに関する情報は、上記移動体通信を行う装置に上記移動体通信ネットワークとは異なる無線ネットワークに関する情報を提供する情報提供装置により上記移動体通信を行う別の端末装置に提供される情報のうちの少なくとも一部の情報であって、上記別の端末装置により上記端末装置に提供される上記情報に含まれる。上記プログラムは、上記認証手続きを通じて、選択される上記１つの無線ネットワークに上記端末装置を接続させること、をさらに実行させるためのプログラムである。
【発明の効果】
【００１４】
以上説明したように本開示によれば、より望ましい無線ネットワークを介した通信に通信を速やかに切替えることが可能となる。なお、上記の効果は必ずしも限定的なものではなく、上記効果とともに、又は上記効果に代えて、本明細書に示されたいずれかの効果、又は本明細書から把握され得る他の効果が奏されてもよい。
【図面の簡単な説明】
【００１５】
【図１】テザリングによる通信の例を説明するための説明図である。
【図２】ＷＬＡＮ経由での通信の例を説明するための説明図である。
【図３】本開示の実施形態に係る通信システムの概略的な構成の一例を示す説明図である。
【図４】第１の実施形態に係る移動体通信端末の構成の一例を示すブロック図である。
【図５】ネットワーク情報提供装置に提供される情報の例を説明するための説明図である。
【図６】第１のネットワーク情報の例を説明するための説明図である。
【図７】使用状況情報の例を説明するための説明図である。
【図８】配置状況情報の例を説明するための説明図である。
【図９】第１の実施形態に係る通信制御処理全体の概略的な流れの一例を示すシーケンス図である。
【図１０】第１の実施形態に係るネットワーク選択処理の概略的な流れの一例を示すフローチャートである。
【図１１】第１の実施形態に係る接続切替え処理の概略的な流れの一例を示すシーケンス図である。
【図１２Ａ】第１の実施形態に係る接続処理の概略的な流れ（前半）の一例を示すシーケンス図である。
【図１２Ｂ】第１の実施形態に係る接続処理の概略的な流れ（後半）の一例を示すシーケンス図である。
【図１３】通信品質情報の例を説明するための説明図である。
【図１４】無線ネットワークにより使用されるチャネルを示す情報の例を説明するための説明図である。
【図１５】第１の実施形態の変形例に係る通信制御処理全体の概略的な流れの一例を示すシーケンス図である。
【図１６】第１の実施形態の変形例に係るネットワーク選択処理の概略的な流れの一例を示すフローチャートである。
【図１７】第２の実施形態に係る無線通信端末の構成の一例を示すブロック図である。
【図１８】第２の実施形態に係る通信制御処理全体の概略的な流れの一例を示すシーケンス図である。
【図１９】第２の実施形態の変形例に係る通信制御処理全体の概略的な流れの一例を示すシーケンス図である。
【図２０】、本開示に係る技術が適用され得るスマートフォンの概略的な構成の一例を示すブロック図である。
【図２１】本開示に係る技術が適用され得るカーナビゲーション装置の概略的な構成の一例を示すブロック図である。
【図２２】本開示に係る技術が適用され得るタブレット端末の概略的な構成の一例を示すブロック図である。
【図２３】本開示に係る技術が適用され得るカーナビゲーション装置の概略的な構成の一例を示すブロック図である。
【発明を実施するための形態】
【００１６】
以下に添付の図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．はじめに
２．通信システムの概略的な構成
３．第１の実施形態
３．１．移動体通信端末の構成
３．２．処理の流れ
３．３．変形例
４．第２の実施形態
４．１．無線通信端末の構成
４．２．処理の流れ
４．３．変形例
５．応用例
５．１．移動体通信端末に関する応用例
５．２．無線通信端末に関する応用例
６．応用例
【００１８】
＜＜１．はじめに＞＞
まず、図１及び図２を参照して、テザリングによる通信及びＷＬＡＮ経由での通信を説明する。
【００１９】
−テザリングによる通信
ＷＬＡＮ通信を行う無線通信端末は、例えば、テザリングによる通信を行う。即ち、上記無線通信端末は、移動体通信端末に接続し、当該移動体通信端末及び移動体通信ネットワーク経由で通信する。以下、この点について図１を参照して具体例を説明する。
【００２０】
図１は、テザリングによる通信の例を説明するための説明図である。図１を参照すると、無線通信端末１１、移動体通信端末１３、移動体通信ネットワーク２１及びサービスネットワーク２３が示されている。無線通信端末１１は、例えば、ＷＬＡＮ通信を行う装置であり、一例としてタブレット端末である。移動体通信端末１３は、移動体通信ネットワーク２１における移動体通信を行う装置であり、一例としてスマートフォンである。移動体通信ネットワーク２１は、例えば、ＬＴＥ（Long  Term  Evolution）又はＬＴＥ−Ａｄｖａｎｃｅｄなどの通信規格に従ったネットワークである。サービスネットワーク２３は、例えば、インターネットのような公衆ネットワークである。例えば、移動体通信端末１３は、移動体通信ネットワーク２１に接続し、移動体通信ネットワーク２１経由でデータの送受信を行う。また、移動体通信ネットワーク２１は、サービスネットワーク２３に接続され、移動体通信端末１３は、移動体通信ネットワーク２１及びサービスネットワーク２３経由でデータの送受信を行い得る。さらに、無線通信端末１１は、移動体通信端末１３に接続し、移動体通信端末１３及び移動体通信ネットワーク２１（並びにサービスネットワーク２３）経由でデータの送受信を行う。即ち、移動体通信端末１３は、無線通信端末１１と移動体通信ネットワーク２１との間の中継を行う機能を有する。このように、無線通信端末１１は、テザリングによる通信を行い、移動体通信端末１３は、テザリング機能を有する。
【００２１】
上述したようなテザリングによる通信では、移動体通信端末による通信の状況、あるいは移動体通信そのものの通信速度によっては、通信速度が遅くなり得る。また、移動体通信ネットワークにおいて消費される無線リソース、及び移動体通信端末の消費電力が増加し得る。
【００２２】
−ＷＬＡＮ経由での通信
ＷＬＡＮ通信を行う無線通信端末は、例えば、ＷＬＡＮに接続する。換言すると、上記無線通信端末は、ＷＬＡＮのアクセスポイントに接続する。そして、上記無線通信端末は、上記ＷＬＡＮ（あるいは上記アクセスポイント）経由でデータの送受信を行う。以下、この点について図２を参照して具体例を説明する。
【００２３】
図２は、ＷＬＡＮ経由での通信の例を説明するための説明図である。図２を参照すると、無線通信端末１１、移動体通信端末１３、移動体通信ネットワーク２１、サービスネットワーク２３及び無線ネットワーク２５が示されている。無線ネットワーク２５は、例えば、ＷＬＡＮである。無線通信端末１１は、無線ネットワーク２５に接続し、無線ネットワーク２５経由でデータの送受信を行う。また、例えば、無線ネットワーク２５は、移動体通信ネットワーク２１に接続され、無線通信端末１１は、無線ネットワーク２５及び移動体通信ネットワーク２１（並びにサービスネットワーク２３）経由でデータの送受信を行い得る。あるいは、無線ネットワーク２５は、サービスネットワーク２３に接続され、無線通信端末１１は、無線ネットワーク２５及びサービスネットワーク２３経由でデータの送受信を行ってもよい。
【００２４】
上述したようなＷＬＡＮ経由での通信は、一般的に、限定されたエリア（即ち、ＷＬＡＮの通信エリア）でしか行うことができない。
【００２５】
＜＜２．通信システムの概略的な構成＞＞
続いて、図３を参照して、本開示の実施形態に係る通信システム１の概略的な構成を説明する。図３は、本開示の実施形態に係る通信システム１の概略的な構成の一例を示す説明図である。図３を参照すると、通信システム１は、移動体通信ネットワーク３０、サービスネットワーク４０及び無線ネットワーク５０、移動体通信端末１００及び無線通信端末２００を含む。
【００２６】
（移動体通信ネットワーク３０）
移動体通信ネットワーク３０は、移動体通信用のネットワークである。例えば、移動体通信ネットワーク３０は、３ＧＰＰ（Third  Generation  Partnership  Project）のいずれかの通信規格に従ったネットワークである。一例として、移動体通信ネットワーク３０は、ＬＴＥ（Long  Term  Evolution）、又はＬＴＥ−Ａｄｖａｎｃｅｄに従ったネットワークである。移動体通信ネットワーク３０は、例えば、移動体通信事業者により運用される。なお、移動体通信ネットワーク３０は、セルラーネットワークとも呼ばれ得る。また、移動体通信は、セルラー方式の通信とも言える。
【００２７】
移動体通信ネットワーク３０は、無線アクセスネットワーク（ＲＡＮ：Radio  Access  Network）及びコアネットワークを含む。そして、移動体通信ネットワーク３０は、無線アクセスネットワークにおいて、基地局３１を含み、コアネットワークにおいて、ゲートウェイ３３、加入者情報サーバ３５、認証サーバ３７及びネットワーク情報提供装置３００を含む。
【００２８】
−基地局３１
基地局３１は、移動体通信を行う端末装置と通信する。例えば、基地局３１は、移動体通信ネットワーク３０の通信エリアであるセルを形成し、セル内に位置する端末装置と通信する。一例として、基地局３１は、ｅＮＢ（evolved  Node  B）である。
【００２９】
−ゲートウェイ３３
ゲートウェイ３３は、移動体通信ネットワーク３０と他のネットワークとの間の中継を行う。一例として、ゲートウェイ３３は、パケットデータネットワークゲートウェイ（Ｐ−ＧＷ）である。また、上記他のネットワークは、例えば、サービスネットワーク４０である。
【００３０】
−加入者情報サーバ３５
加入者情報サーバ３５は、移動体通信ネットワーク３０の加入者情報を保持する。例えば、加入者情報サーバ３５は、接続時の認証に利用される情報も保持する。一例として、加入者情報サーバ３５は、ＨＳＳ（Home  Subscriber  Server）である。
【００３１】
−認証サーバ３７
認証サーバ３７は、接続の際に移動体通信ネットワーク３０の加入者を認証する認証機能を有する。一例として、認証サーバ３７は、ＡＡＡ（Authentication,  Authorization  and  Accounting）サーバである。
【００３２】
−ネットワーク情報提供装置３００
ネットワーク情報提供装置３００は、移動体通信ネットワーク３０とは異なる無線ネットワークに関する情報を、移動体通信を行う装置に提供する。例えば、上記無線ネットワークは、ＷＬＡＮを含む。より具体的には、例えば、ネットワーク情報提供装置３００は、アクセスネットワーク発見選択機能（ＡＮＤＳＦ：Access  Network  Discovery  and  Selection  Function）を有する装置である。
【００３３】
例えば、移動体通信を行う装置（例えば、移動体通信端末１００）が、ネットワーク情報提供装置３００に情報の提供を要求すると、ネットワーク情報提供装置３００は、無線ネットワークに関する情報を、移動体通信を行う上記装置に提供する。
【００３４】
具体的には、例えば、移動体通信を行う装置（例えば、移動体通信端末１００）は、ネットワーク情報提供装置３００への要求の際に、無線ネットワークを特定するための情報をネットワーク情報提供装置３００に提供する。すると、ネットワーク情報提供装置３００は、検索対象である全ての無線ネットワークの中から、無線ネットワークを特定するための上記情報に対応する無線ネットワークを検索する。その結果、例えば、検索結果には、少なくとも１つの無線ネットワークが含まれる。そして、ネットワーク情報提供装置３００は、当該少なくとも１つの無線ネットワークに関する情報を、移動体通信を行う上記装置に提供する。
【００３５】
（サービスネットワーク４０）
サービスネットワーク４０は、インターネットのような公衆ネットワークである。
【００３６】
（無線ネットワーク５０）
無線ネットワーク５０は、移動体通信とは異なる無線通信用のネットワークである。例えば、無線ネットワーク５０は、ＷＬＡＮである。
【００３７】
−アクセスポイント５１
アクセスポイント５１は、移動体通信とは異なる上記無線通信を行う端末装置と通信する。例えば、アクセスポイント５１は、アクセスポイント５１の通信エリア内に位置する端末装置と通信する。
【００３８】
（移動体通信端末１００）
移動体通信端末１００は、移動体通信ネットワーク３０における移動体通信を行う。即ち、移動体通信端末１００は、移動体通信ネットワーク３０のサービスエリアにおいて、移動体通信を行う。具体的には、例えば、移動体通信端末１００は、基地局３１のセル内に位置する場合に、基地局３１と通信する。
【００３９】
また、移動体通信端末１００は、移動体通信とは異なる無線通信も行う。例えば、移動体通信端末１００は、移動体通信とは異なる第１の無線通信として、ＷＬＡＮ通信を行う。また、移動体通信端末１００は、移動体通信とは異なる第２の無線通信として、例えば近距離無線通信を行う。一例として、当該近距離無線通信は、Ｂｌｕｅｔｏｏｔｈ（登録商標）通信である。
【００４０】
さらに、移動体通信端末１００は、テザリング機能を有する。即ち、移動体通信端末１００は、移動体通信ネットワーク３０と他の端末装置との間の中継を行う機能を有する。
【００４１】
（無線通信端末２００）
無線通信端末２００は、移動体通信とは異なる無線通信を行う。例えば、無線通信端末２００は、第１の無線通信として、ＷＬＡＮ通信を行う。また、無線通信端末２００は、移動体通信とは異なる第２の無線通信として、例えば近距離無線通信を行う。一例として、当該近距離無線通信は、Ｂｌｕｅｔｏｏｔｈ通信である。
【００４２】
さらに、無線通信端末２００は、テザリングによる通信を行う。即ち、無線通信端末２００は、移動体通信を行う端末装置（例えば、移動体通信端末１００）による中継を介して通信する。より具体的には、例えば、無線通信端末２００は、移動体通信端末１００に接続し、移動体通信端末１００及び移動体通信ネットワーク３０（並びにサービスネットワーク４０）経由でデータの送受信を行う。
【００４３】
なお、無線通信端末２００は、移動体通信ネットワーク３０における移動体通信のための通信機能を有しない。
【００４４】
＜＜３．第１の実施形態＞＞
続いて、図４〜図１６を参照して、本開示の第１の実施形態を説明する。
【００４５】
第１の実施形態によれば、移動体通信端末１００−１が、無線通信端末２００−１が認証手続きを通じて接続可能な１つ以上の無線ネットワークのうちの１つの無線ネットワークを選択する。そして、移動体通信端末１００−１は、選択される当該１つの無線ネットワークに関する情報を無線通信端末２００−１に提供する。その結果、無線通信端末２００−１は、選択される上記１つの無線ネットワークに接続され得る。
【００４６】
＜３．１．移動体通信端末の構成＞
まず、図４〜図８を参照して、本開示の第１の実施形態に係る移動体通信端末１００−１の構成の一例を説明する。図４は、第１の実施形態に係る移動体通信端末１００−１の構成の一例を示すブロック図である。図４を参照すると、移動体通信端末１００−１は、移動体通信部１１０、アンテナ部１１１、第１無線通信部１２０、アンテナ部１２１、第２無線通信部１３０、アンテナ部１３１、加入者識別モジュール（ＳＩＭ）１４０、記憶部１５０及び制御部１６０を備える。
【００４７】
（移動体通信部１１０）
移動体通信部１１０は、移動体通信ネットワーク３０での移動体通信を行う。例えば、当該移動体通信は、３ＧＰＰのいずれかの通信規格（例えば、ＬＴＥ又はＬＴＥ−Ａｄｖａｎｃｅｄなど）に従った通信である。例えば、移動体通信部１１０は、基地局３１からのダウンリンク信号を受信し、基地局３１へのアップリンク信号を送信する。
【００４８】
（アンテナ部１１１）
アンテナ部１１１は、移動体通信部１１０により出力される信号を電波として空間に放射する。また、アンテナ部１１１は、空間の電波を信号に変換し、当該信号を移動体通信部１１０へ出力する。
【００４９】
（第１無線通信部１２０）
第１無線通信部１２０は、移動体通信とは異なる無線通信を行う。当該無線通信は、例えば、ＷＬＡＮ通信である。具体的には、例えば、当該ＷＬＡＮ通信は、ＩＥＥＥ８０２．１１ａ、１１ｂ、１１ｇ、１１ｎ、１１ａｃ及び１１ａｄなどのＷＬＡＮ規格のいずれかに従った通信である。
【００５０】
例えば、第１無線通信部１２０は、アクセスポイント５１からの信号を受信し、アクセスポイント５１への信号を送信する。また、例えば、第１無線通信部１２０は、ダイレクト通信のケースでは、別の端末装置からの信号を受信し、別の端末装置への信号を送信する。当該別の端末装置は、例えば、無線通信端末２００−１である。
【００５１】
（アンテナ部１２１）
アンテナ部１２１は、第１無線通信部１２０により出力される信号を電波として空間に放射する。また、アンテナ部１２１は、空間の電波を信号に変換し、当該信号を第１無線通信部１２０へ出力する。
【００５２】
（第２無線通信部１３０）
第２無線通信部１３０は、移動体通信とは異なる無線通信を行う。例えば、当該無線通信は、近距離無線通信であり、一例として、Ｂｌｕｅｔｏｏｔｈ通信（即ち、Ｂｌｕｅｔｏｏｔｈ規格に従った通信）である。例えば、第２無線通信部１３０は、別の端末装置からの信号を受信し、別の端末装置への信号を送信する。当該別の端末装置は、例えば、無線通信端末２００−１である。
【００５３】
（アンテナ部１３１）
アンテナ部１３１は、第２無線通信部１３０により出力される信号を電波として空間に放射する。また、アンテナ部１３１は、空間の電波を信号に変換し、当該信号を第２無線通信部１３０へ出力する。
【００５４】
（ＳＩＭ１４０）
ＳＩＭ１４０は、ネットワークに接続するための認証に用いられる認証用情報を提供する。また、ＳＩＭ１４０は、ネットワークに接続するための上記認証のための認証処理を実行する。例えば、ネットワークに接続するための当該認証は、例えば、加入者の認証及びネットワークの認証を含む。
【００５５】
一例として、上記認証は、ＥＡＰ−ＡＫＡ（Extensible  Authentication  Protocol  Method  for  3rd  Generation  Authentication  and  Key  Agreement）に基づく認証である。
【００５６】
この場合に、例えば、上記認証処理は、ネットワークの認証のための処理として、ＡＵＴＮの検証を含む。また、上記認証処理は、ＭＡＣ（Message  Authentication  Code）の検証を含む。また、上記認証処理は、加入者の認証のための処理として、チャレンジに対するレスポンスの生成を含む。また、上記認証処理は、ＭＡＣ及びセッション鍵の生成を含む。
【００５７】
また、例えば、上記認証用情報は、ＩＭＳＩ（International  Mobile  Subscriber  Identity）を含む。また、上記認証用情報は、生成される上記レスポンスを含む。また、上記認証用情報は、生成される上記ＭＡＣ及び上記セッション鍵を含む。
【００５８】
なお、上記認証は、ＥＡＰ−ＡＫＡに基づく認証以外の認証であってもよい。一例として、上記認証は、ＥＡＰ−ＡＫＡ’に基づく認証であってもよい。別の例として、上記認証は、ＥＡＰ−ＳＩＭ（Extensible  Authentication  Protocol  Method  for  Global  System  for  Mobile  Communications  (GSM)  Subscriber  Identity  Modules）に基づく認証であってもよい（ＧＳＭは登録商標）。
【００５９】
（記憶部１５０）
記憶部１５０は、移動体通信端末１００−１の動作のためのプログラム及びデータを一時的に又は恒久的に記憶する。
【００６０】
（制御部１６０）
制御部１６０は、移動体通信端末１００−１の様々な機能を提供する。制御部１６０は、要求部１６１、第１情報取得部１６２、ネットワーク検出部１６３、第２情報取得部１６４、ネットワーク選択部１６５及び情報提供部１６６を含む。
【００６１】
（要求部１６１）
要求部１６１は、ネットワーク情報提供装置３００−１に情報の提供を要求する。
【００６２】
例えば、要求部１６１は、移動体通信とは異なる無線通信用の無線ネットワークに関する情報の提供をネットワーク情報提供装置３００−１に要求する。より具体的には、例えば、要求部１６１は、移動体通信部１１０を介して、ネットワーク情報要求メッセージをネットワーク情報提供装置３００−１へ送信する。
【００６３】
−要求の際に提供する情報
例えば、要求部１６１は、上記提供の要求の際に、無線ネットワークを特定するための情報をネットワーク情報提供装置３００−１に提供する。具体的には、例えば、要求部１６１は、移動体通信部１１０を介して、上記情報を含むネットワーク情報要求メッセージをネットワーク情報提供装置３００−１に送信する。
【００６４】
−−ネットワークタイプ情報
例えば、要求部１６１は、上記提供の要求の際に、移動体通信とは異なる無線通信用の無線ネットワークのタイプを示す情報（以下、「ネットワークタイプ情報」と呼ぶ）をネットワーク情報提供装置３００−１に提供する。
【００６５】
一例として、上記無線通信用の無線ネットワークは、ＷＬＡＮであり、上記ネットワークタイプ情報は、ＷＬＡＮを示す。
【００６６】
これにより、例えば、所望のタイプの無線ネットワークに関する情報をネットワーク情報提供装置３００−１に提供させることが可能になる。そのため、例えば、通信方式の観点から接続可能な無線ネットワークに関する情報の取得が可能になる。
【００６７】
−−位置関連情報
例えば、要求部１６１は、上記提供の要求の際に、移動体通信端末１００−１又は無線通信端末２００−１の位置に関する情報（以下、「位置関連情報」と呼ぶ）をネットワーク情報提供装置３００−１に提供する。
【００６８】
一例として、上記位置関連情報は、移動体通信端末１００−１又は無線通信端末２００−１の位置を示す位置情報である。当該位置情報は、例えば、ＧＰＳ（Global  Positioning  System）により取得される情報である。なお、上記位置関連情報は、上記位置情報に限られず、他の情報であってもよい。一例として、上記位置関連情報は、移動体通信ネットワーク３０において移動体通信端末１００−１が属するセルの識別情報であってもよい。
【００６９】
これにより、例えば、位置的に接続可能な無線ネットワークに関する情報をネットワーク情報提供装置３００−１に提供させることが可能になる。そのため、例えば、位置的に接続可能な無線ネットワークに関する情報の取得が可能になる。
【００７０】
−−具体的な情報の例
図５は、ネットワーク情報提供装置３００−１に提供される情報の例を説明するための説明図である。図５を参照すると、ネットワーク情報提供装置３００−１に提供される情報が示されている。例えば、ネットワークタイプを示すネットワークタイプ情報（ＷＬＡＮ）、及び移動体通信端末１００−１又は無線通信端末２００の位置を示す位置情報（ＬＡＴ＿Ａ及びＬＯＮ＿Ａ）が提供される。また、現在の時間を示す情報（ＭＯＮＤＡＹ：  １：３０  ＰＭ）がさらに提供される。
【００７１】
−要求のトリガ
例えば、要求部１６１は、１つ以上の所定のイベントのうちのいずれかの発生に応じて、ネットワーク情報提供装置３００−１に情報の提供を要求する。
【００７２】
第１の例として、上記１つ以上の所定のイベントの１つは、移動体通信端末１００−１又は無線通信端末２００−１の移動が止まること、又は当該移動が止まってから一定時間が経過することである。
【００７３】
第２の例として、上記１つ以上の所定のイベントの１つは、テザリング（即ち、移動体通信端末１００−１の移動体通信による中継を介した通信）が開始されることである。
【００７４】
第３の例として、上記１つ以上の所定のイベントの１つは、過去にテザリングによる通信からの切替え（例えば、テザリングによる通信からＷＬＡＮを介した通信への切替え）が行われた位置に移動体通信端末１００−１又は無線通信端末２００−１が位置することである。
【００７５】
第４の例として、上記１つ以上の所定のイベントの１つは、所定の周期が到来することである。
【００７６】
このようなトリガにより、テザリングからの切替えが望ましい際に、ネットワーク情報提供装置３００−１への要求が行われる。
【００７７】
（第１情報取得部１６２）
−第１のネットワーク情報の取得
第１情報取得部１６２は、ネットワーク情報提供装置３００−１により移動体通信端末１００−１に提供される情報（以下、「第１のネットワーク情報」と呼ぶ）を取得する。上記第１のネットワーク情報は、移動体通信ネットワーク３０とは異なる無線ネットワークに関する情報である。
【００７８】
−−第１のネットワーク情報の取得の手法
上述したように、例えば、要求部１６１は、ネットワーク情報提供装置３００−１に情報の提供を要求する。すると、ネットワーク情報提供装置３００−１は、上記第１のネットワーク情報を移動体通信端末１００−１に提供する。そして、第１情報取得部１６２は、上記第１のネットワーク情報を取得する。その後、第１情報取得部１６２は、上記第１のネットワーク情報を記憶部１５０に記憶させる。
【００７９】
−−少なくとも１つの無線ネットワーク
上述したように、上記第１のネットワーク情報は、移動体通信ネットワーク３０とは異なる無線ネットワークに関する情報である。より具体的には、上記第１のネットワーク情報は、例えば、上記移動体通信とは異なる無線通信用の少なくとも１つの無線ネットワークに関する情報である。
【００８０】
より具体的には、例えば、要求部１６１は、ネットワーク情報提供装置３００−１への要求の際に、無線ネットワークを特定するための情報をネットワーク情報提供装置３００−１に提供する。すると、ネットワーク情報提供装置３００−１は、無線ネットワークを特定するための上記情報に対応する少なくとも１つの無線ネットワークに関する情報を、移動体通信を行う上記装置に提供する。即ち、上記第１のネットワーク情報は、無線ネットワークを特定するための上記情報に対応する少なくとも１つの無線ネットワークに関する情報である。
【００８１】
−−−認証手続きを通じて接続可能なネットワーク
上記少なくとも１つの無線ネットワークの各々は、移動体通信端末１００−１又は無線通信端末２００−１が認証手続きを通じて接続可能な上記無線通信用の無線ネットワークである。
【００８２】
例えば、上記認証手続きは、ＳＩＭ１４０により提供される認証用情報を用いる認証手続き（以下、「ＳＩＭ認証手続き」と呼ぶ）を含む。即ち、上記第１のネットワーク情報は、上記ＳＩＭ認証手続きを通じて接続可能な上記無線通信用の無線ネットワークに関する情報を含む。
【００８３】
一例として、上記少なくとも１つの無線ネットワークの各々は、移動体通信ネットワーク３０のオペレータにより運用される無線ネットワークである。即ち、上記第１のネットワーク情報は、移動体通信ネットワーク３０のオペレータにより運用される上記無線通信用の少なくとも１つの無線ネットワークに関する情報である。上記オペレータは、例えば、移動体通信ネットワーク３０を保有する移動体通信事業者（ＭＮＯ：Mobile  Network  Operator）、及び／又は仮想移動体通信事業者（ＭＶＮＯ：Mobile  Virtual  Network  Operator）を含む。
【００８４】
上記ＳＩＭ認証手続きの代わりに、又は上記ＳＩＭ認証手続きに加えて、上記認証手続きは、電子証明書を用いる認証手続きを含んでもよい。即ち、上記第１のネットワーク情報は、移動体通信端末１００−１又は無線通信端末２００−１が電子証明書を用いる認証手続きを通じて接続可能な上記無線通信用の無線ネットワークに関する情報を含んでもよい。例えば、上記電子証明書は、移動体通信ネットワーク３０のオペレータにより発行される電子証明書であってもよい。
【００８５】
なお、例えば、移動体通信端末１００−１及び無線通信端末２００−１についての認証のケイパビリティが同一である。この場合に、上記少なくとも１つの無線ネットワークの各々は、移動体通信端末１００−１及び無線通信端末２００−１が認証手続きを通じて接続可能な上記無線通信用の無線ネットワークである。
【００８６】
−−−位置に対応するネットワーク
例えば、上記少なくとも１つの無線ネットワークの各々は、移動体通信端末１００−１又は無線通信端末２００−１の位置に対応する通信エリアを有する無線ネットワークである。即ち、上記第１のネットワーク情報は、移動体通信端末１００−１又は無線通信端末２００−１の位置に対応する通信エリアを有する少なくとも１つの無線ネットワークに関する情報である。
【００８７】
具体的には、例えば、上記少なくとも１つの無線ネットワークの各々は、移動体通信端末１００−１又は無線通信端末２００−１の位置を含む通信エリアを有する無線ネットワークである。
【００８８】
これにより、位置的に接続可能な無線ネットワークに関する情報が得られる。そのため、例えば、位置的に接続不能な無線ネットワークの検出を試みることを回避することが可能になる。
【００８９】
−−−時間に対応するネットワーク
例えば、上記少なくとも１つの無線ネットワークの各々は、時間に対応する利用可能時間を有する無線ネットワークである。即ち、上記第１のネットワーク情報は、時間に対応する利用可能時間を有する少なくとも１つの無線ネットワークに関する情報である。
【００９０】
具体的には、例えば、上記少なくとも１つの無線ネットワークの各々は、現在の時間を含む利用可能時間を有する無線ネットワーク（即ち、時間的に現在接続可能な無線ネットワーク）である。
【００９１】
これにより、時間的に接続可能な無線ネットワークに関する情報が得られる。そのため、例えば、時間的に接続不能な無線ネットワークの検出を試みることを回避することが可能になる。
【００９２】
−−−ＷＬＡＮ
例えば、上記少なくとも１つの無線ネットワークの各々は、ＷＬＡＮであり、上記移動体通信とは異なる上記無線通信は、例えば、ＷＬＡＮ通信である。即ち、上記第１のネットワーク情報は、少なくとも１つのＷＬＡＮに関する情報である。
【００９３】
−−第１のネットワーク情報に含まれる情報項目
−−−アクセスポイント識別情報
例えば、上記第１のネットワーク情報は、上記少なくとも１つの無線ネットワークの各々のアクセスポイントを識別するための識別情報を含む。
【００９４】
上述したように、例えば、上記少なくとも１つの無線ネットワークの各々は、ＷＬＡＮである。この場合に、上記識別情報は、例えば、ＳＳＩＤ（Service  Set  Identifier）を含む。より具体的には、例えば、上記識別情報は、ＨＥＳＳＩＤ（Homogenous  Extended  Service  Set  Identifier）、ＥＳＳＩＤ（Extended  Service  Set  Identifier）及び／又はＢＳＳＩＤ（Basic  Service  Set  Identifier）を含む。
【００９５】
このような識別情報により、例えば、接続可能な無線ネットワークを特定することが可能になる。
【００９６】
−−−チャネル情報
上記第１のネットワーク情報は、上記少なくとも１つの無線ネットワークの各々のためのチャネルを示す情報を含む。
【００９７】
例えば、上記無線通信用の無線ネットワーク（例えば、ＷＬＡＮ）のために、複数のチャネルが用意されている。そして、上記少なくとも１つの無線ネットワーク（例えば、１つ以上のＷＬＡＮ）の各々では、上記複数のチャネルのうちの１つ以上のチャネルが使用される。そして、上記第１のネットワーク情報は、上記少なくとも１つの無線ネットワークの各々のためのチャネルを示す情報として、上記少なくとも１つの無線ネットワークの各々で使用される１つ以上のチャネルを示す情報を含む。
【００９８】
このような情報により、例えば、無線ネットワークをより素早く検出することが可能になる。より具体的には、例えば、無線ネットワークのチャネルが不明である場合には、全てのチャネルの中の個々のチャネルで順次スキャンを行うことにより、無線ネットワークが検出される。よって、無線ネットワークの検出に多大な時間が必要になり得る。一方、チャネル情報がある場合には、例えば、チャネル情報により示されるチャネルをスキャンすることにより、無線ネットワークが検出される。よって、無線ネットワークが素早く検出され得る。
【００９９】
具体例として、例えば、ＷＬＡＮのために、２．４ＧＨｚ帯に１３チャネルが用意されている。そして、例えば、チャネル遷移に１０ｍｓ、各チャネルでのスキャンに１００ｍｓが必要である場合に、全てのチャネルでのスキャンのために、１４２０ｍｓ（１０ｍｓ＊１２＋１００ｍｓ＊１３）が必要になる。即ち、無線ネットワークのためのチャネルが不明である場合には、無線ネットワークの検出に最大１４２０ｍｓが必要になる。一方、チャネル情報がある場合には、例えば、チャネル情報により示される１つのチャネルのスキャンを行えばよい。よって、例えば無線ネットワークの検出に１１０ｍｓ（１０ｍｓ＊１＋１００ｍｓ＊１）が必要になる。１１０ｍｓのうちの１０ｍｓは、テザリングによる通信で使用されているチャネルからチャネル情報により示される上記１つのチャネルへの遷移に必要な時間である。テザリングによる通信で使用されているチャネルと、チャネル情報により示される上記１つのチャネルとが、一致する場合には、無線ネットワークの検出に１００ｍｓが必要になる。このように、無線ネットワークの検出に要する時間が短縮され、無線ネットワークをより素早く検出することが可能になる。
【０１００】
なお、上記無線通信用の無線ネットワーク（例えば、ＷＬＡＮ）のために、上記複数のチャネルは、１つの帯域（例えば、２．４ＧＨｚ帯及び５ＧＨｚ帯の一方）の中のチャネルであってもよく、２つ以上の帯域（例えば、２．４ＧＨｚ帯及び５ＧＨｚ帯）の中のチャネルであってもよい。
【０１０１】
−−−具体的な情報の例
図６は、第１のネットワーク情報の例を説明するための説明図である。図６を参照すると、第１のネットワーク情報が示されている。この例では、第１のネットワーク情報は、３つの無線ネットワーク（３つのＷＬＡＮ）に関する情報である。例えば、第１のネットワーク情報は、ネットワークプロパティ情報として、無線ネットワークのアクセスポイントの識別情報（ＨＥＳＳＩＤ、ＥＳＳＩＤ及びＢＳＳＩＤ）を含む。また、第１のネットワーク情報は、ネットワークプロパティ情報として、無線ネットワークのためのチャネルを示す情報を含む。また、この例では、上記第１のネットワーク情報は、無線ネットワークのＩＤ、及び無線ネットワークのネットワークタイプを示すネットワークタイプ情報を含む。また、上記第１のネットワーク情報は、無線ネットワークの通信エリアを示す通信エリア情報、及び無線ネットワークの利用可能時間を示す利用可能時間情報を含む。
【０１０２】
なお、例えば、図５に示されるような無線ネットワークを特定するための情報が、移動体通信端末１００−１によりネットワーク情報提供装置３００−１に提供される場合に、図６に示される第１のネットワーク情報が、提供される。より具体的には、例えば、図５に示されるように、無線ネットワークを特定するための情報として、ネットワークタイプ情報（ＷＬＡＮ）、位置情報（ＬＡＴ＿Ａ、ＬＯＮ＿Ａ）及び時間情報（ＭＯＮＤＡＹ：  １：３０  ＰＭ）が提供される。すると、ネットワーク情報提供装置３００−１は、検索対象である全ての無線ネットワークの中から、これらのネットワークタイプ情報、位置情報及び時間情報に対応する無線ネットワークを検索する。即ち、ネットワークタイプがＷＬＡＮであり、緯度ＬＡＴ＿Ａ及び経度がＬＯＮ＿Ａの位置を含む通信エリアを有し、ＭＯＮＤＡＹ：  １：３０  ＰＭを含む利用可能時間を有する無線ネットワークが、ネットワーク情報提供装置３００−１により検索される。その結果、検索結果は、図６に示されるような３つの無線ネットワークを含み、ネットワーク情報提供装置３００−１は、図６に示されるような第１のネットワーク情報を移動体通信端末１００−１に提供する。そして、第１情報取得部１６２は、当該第１のネットワーク情報を取得する。
【０１０３】
−使用状況情報の取得
例えば、第１情報取得部１６２は、上記少なくとも１つの無線ネットワークの各々の使用状況を示す使用状況情報を取得する。
【０１０４】
−−使用状況情報の取得の手法
例えば、上記使用状況情報は、ネットワーク情報提供装置３００−１により提供される。より具体的には、例えば、ネットワーク情報提供装置３００−１は、上記少なくとも１つの無線ネットワークの各々に、使用状況を示す情報の提供を要求し、上記使用状況情報を取得する。そして、ネットワーク情報提供装置３００−１は、上記使用状況情報を移動体通信端末１００−１に提供する。そして、第１情報取得部１６２は、上記使用状況情報を取得する。その後、第１情報取得部１６２は、上記使用状況情報を記憶部１５０に記憶させる。
【０１０５】
−−使用状況情報に含まれる情報項目
−−−接続される端末の数に関する情報
第１の例として、上記使用状況情報は、上記少なくとも１つの無線ネットワークの各々に接続される装置の数に関する情報を含む。
【０１０６】
一例として、上記使用状況情報は、上記少なくとも１つの無線ネットワークの各々に実際に接続される装置の数と、上記少なくとも１つの無線ネットワークの最大の装置キャパシティ（即ち、接続可能な装置の最大数）とを含む。別の例として、上記使用状況情報は、上記少なくとも１つの無線ネットワークの各々についての、最大の装置キャパシティに対する実際に接続される装置の数の比率を含んでもよい。さらに別の例として、上記使用状況情報は、上記少なくとも１つの無線ネットワークの各々に接続される装置の数についての評価結果（例えば、いずれかの評価値）を含んでもよい。
【０１０７】
−−−トラフィックに関する情報
第２の例として、上記使用状況情報は、上記少なくとも１つの無線ネットワークの各々におけるトラフィックに関する情報を含む。
【０１０８】
一例として、上記使用状況情報は、上記少なくとも１つの無線ネットワークの各々における実際のトラフィックと、上記少なくとも１つの無線ネットワークの各々の最大のトラフィックキャパシティ（即ち、許容される最大のトラフィック）とを含む。別の例として、上記使用状況情報は、上記少なくとも１つの無線ネットワークの各々についての、最大のトラフィックキャパシティに対する実際のトラフィックの比率を含んでもよい。さらに別の例として、上記使用状況情報は、上記少なくとも１つの無線ネットワークの各々におけるトラフィックについての評価結果（例えば、いずれかの評価値）を含んでもよい。
【０１０９】
−−−具体的な情報の例
図７は、使用状況情報の例を説明するための説明図である。図７を参照すると、使用状況情報が示されている。この例における使用状況情報は、３つの無線ネットワーク（３つのＷＬＡＮ）の各々の使用状況を示す情報である。また、この例における使用状況情報は、３つの無線ネットワークの各々についての、最大の装置キャパシティ、接続される装置の数（即ち、ＮＵＭＢＥＲ  ＯＦ  ＤＥＶＩＣＥｓ）、最大のトラフィックキャパシティ及び実際のトラフィック（即ち、ＴＲＡＦＦＩＣ）を含む。なお、例えば、図６に示されるような第１のネットワーク情報が提供される場合に、図７に示されるような使用状況情報が提供される。
【０１１０】
−配置状況情報の取得
例えば、第１情報取得部１６２は、上記少なくとも１つの無線ネットワークの各々のアクセスポイントの配置状況を示す配置状況情報を取得する。
【０１１１】
−−配置状況情報の取得の手法
例えば、上記配置状況情報は、上記使用状況情報とともに、ネットワーク情報提供装置３００−１により提供される。より具体的には、例えば、ネットワーク情報提供装置３００−１は、上記少なくとも１つの無線ネットワークの各々に、使用状況及び配置状況を示す情報の提供を要求し、上記使用状況情報及び上記配置状況情報を取得する。そして、ネットワーク情報提供装置３００−１は、上記使用状況情報及び上記配置状況情報を移動体通信端末１００−１に提供する。そして、第１情報取得部１６２は、上記使用状況情報とともに上記配置状況情報を取得する。その後、第１情報取得部１６２は、上記使用状況情報とともに上記配置状況情報を記憶部１５０に記憶させる。
【０１１２】
−−配置状況情報に含まれる情報項目
例えば、上記配置状況情報は、上記少なくとも１つの無線ネットワークの各々のためにアクセスポイントが配置されている建物内のフロアの情報を含む。以下、図８を参照して上記配置状況情報の具体例を説明する。
【０１１３】
図８は、配置状況情報の例を説明するための説明図である。図８を参照すると、配置状況情報が示されている。この例における配置状況情報は、３つの無線ネットワーク（３つのＷＬＡＮ）の各々のアクセスポイントの配置状況を示す情報である。また、この例における配置状況情報は、３つの無線ネットワーク（３つのＷＬＡＮ）の各々のためにアクセスポイントが配置されている建物内のフロアの情報を含む。例えば、ＥＳＳＩＤ＿１を伴うＷＬＡＮのために、建物内の１階、２階及び３階にアクセスポイントが配置されている。一方、ＥＳＳＩＤ＿２を伴うＷＬＡＮ及びＥＳＳＩＤ＿３を伴うＷＬＡＮの各々のために、建物内の１階のみにアクセスポイントが配置されている。なお、例えば、図６に示されるような第１のネットワーク情報が提供される場合に、図８に示されるような配置状況情報が提供される。
【０１１４】
なお、上記配置状況情報は、当該フロアの情報の代わりに、又は当該フロアの情報に加えて、別の情報を含んでもよい。一例として、上記配置状況情報は、上記少なくとも１つの無線ネットワークのために配置されているアクセスポイントの数を含んでもよい。
【０１１５】
（ネットワーク検出部１６３）
ネットワーク検出部１６３は、上記無線通信用の無線ネットワークを検出する。
【０１１６】
例えば、ネットワーク検出部１６３は、上記無線通信用の無線ネットワーク（例えば、ＷＬＡＮ）のためのチャネルにおけるスキャンを行うことにより、上記無線ネットワーク（例えば、ＷＬＡＮ）を検出する。
【０１１７】
−第１のネットワーク情報に基づく検出
例えば、ネットワーク検出部１６３は、上記第１のネットワーク情報に基づいて、上記無線通信用の無線ネットワークを検出する。
【０１１８】
具体的には、例えば、ネットワーク検出部１６３は、上記第１のネットワーク情報により示される上記少なくとも１つの無線ネットワークについてのスキャンを行い、上記少なくとも１つの無線ネットワークのうちの１つ以上の無線ネットワークを検出する。一例として、図６に示されるように、第１のネットワーク情報が、３つの無線ネットワークに関する情報である場合に、ネットワーク検出部１６３は、当該３つの無線ネットワークについてのスキャンを行う。その結果、例えば、ネットワーク検出部１６３は、当該３つの無線ネットワークの全てを検出する。
【０１１９】
また、例えば、上述したように、上記第１のネットワーク情報は、上記少なくとも１つの無線ネットワークの各々のためのチャネルを示す情報を含む。この場合に、ネットワーク検出部１６３は、当該チャネルを示す情報に基づいて、上記スキャンを行う。これにより、無線ネットワークをより素早く検出することが可能になる。
【０１２０】
（第２情報取得部１６４）
−状態情報の取得
第２情報取得部１６４は、移動体通信ネットワーク３０における移動体通信とは異なる無線通信用の１つ以上の無線ネットワークの各々の状態を示す状態情報を取得する。
【０１２１】
例えば、上記状態情報は、上記１つ以上の無線ネットワークの各々の使用状況を示す使用状況情報を含む。
【０１２２】
−−１つ以上の無線ネットワーク
−−−認証手続きを通じて接続可能なネットワーク
上記１つ以上の無線ネットワークの各々は、無線通信端末２００−１が認証手続きを通じて接続可能な上記無線通信用の無線ネットワークである。
【０１２３】
例えば、上記認証手続きは、ＳＩＭ１４０により提供される認証用情報を用いる認証手続き（即ち、ＳＩＭ認証手続き）を含む。即ち、上記１つ以上の無線ネットワークは、無線通信端末２００−１が上記ＳＩＭ認証手続きを通じて接続可能な上記無線通信用の無線ネットワークを含む。なお、後述するように、例えば、上記認証用情報は、移動体通信端末１００−１により無線通信端末２００−１に提供される。
【０１２４】
一例として、上記１つ以上の無線ネットワークの各々は、移動体通信ネットワーク３０のオペレータにより運用される無線ネットワークである。当該オペレータは、例えば、ＭＮＯ及び／又はＭＶＮＯを含む。
【０１２５】
なお、上記ＳＩＭ認証手続きの代わりに、又は上記ＳＩＭ認証手続きに加えて、上記認証手続きは、電子証明書を用いる認証手続きを含んでもよい。即ち、上記１つ以上の無線ネットワークは、無線通信端末２００−１が電子証明書を用いる認証手続きを通じて接続可能な上記無線通信用の無線ネットワークを含んでもよい。例えば、上記電子証明書は、移動体通信ネットワーク３０のオペレータにより発行される電子証明書であってもよい。
【０１２６】
−−−位置に対応するネットワーク
例えば、上記１つ以上の無線ネットワークの各々は、移動体通信端末１００−１又は無線通信端末２００−１の位置に対応する通信エリアを有する無線ネットワークである。具体的には、例えば、上記１つ以上の無線ネットワークの各々は、移動体通信端末１００−１又は無線通信端末２００−１の位置を含む通信エリアを有する無線ネットワークである。
【０１２７】
これにより、位置的に接続可能な無線ネットワークに関する情報が得られる。そのため、例えば、位置的に接続不能な無線ネットワークの検出を試みることを回避することが可能になる。
【０１２８】
−−−時間に対応するネットワーク
例えば、上記１つ以上の無線ネットワークの各々は、時間に対応する利用可能時間を有する無線ネットワークである。具体的には、例えば、上記１つ以上の無線ネットワークの各々は、現在の時間を含む利用可能時間を有する１つ以上の無線ネットワーク（即ち、現在接続可能な無線ネットワーク）である。
【０１２９】
これにより、時間的に接続可能な無線ネットワークに関する情報が得られる。そのため、例えば、時間的に接続不能な無線ネットワークの検出を試みることを回避することが可能になる。
【０１３０】
−−−ＷＬＡＮ
例えば、上記１つ以上の無線ネットワークの各々は、ＷＬＡＮであり、上記移動体通信とは異なる上記無線通信は、例えば、ＷＬＡＮ通信である。
【０１３１】
−−使用状況情報に含まれる情報項目
−−−接続される端末の数に関する情報
第１の例として、上記使用状況情報は、上記１つ以上の無線ネットワークの各々に接続される装置の数に関する情報を含む。
【０１３２】
一例として、上記使用状況情報は、上記１つ以上の無線ネットワークの各々に実際に接続される装置の数と、上記１つ以上の無線ネットワークの最大の装置キャパシティ（即ち、接続可能な装置の最大数）とを含む。別の例として、上記使用状況情報は、上記１つ以上の無線ネットワークの各々についての、最大の装置キャパシティに対する実際に接続される装置の数の比率を含んでもよい。さらに別の例として、上記使用状況情報は、上記１つ以上の無線ネットワークの各々に接続される装置の数についての評価結果（例えば、いずれかの評価値）を含んでもよい。
【０１３３】
このような情報により、例えば、上記１つ以上の無線ネットワークの各々に接続される端末数の程度を知ることが可能になる。そのため、上記１つ以上の無線ネットワークの各々における混雑状況を知ることが可能になり得る。
【０１３４】
−−−トラフィックに関する情報
第２の例として、上記使用状況情報は、上記１つ以上の無線ネットワークの各々におけるトラフィックに関する情報を含む。
【０１３５】
一例として、上記使用状況情報は、上記１つ以上の無線ネットワークの各々における実際のトラフィックと、上記１つ以上の無線ネットワークの各々の最大のトラフィックキャパシティ（即ち、許容される最大のトラフィック）とを含む。別の例として、上記使用状況情報は、上記１つ以上の無線ネットワークの各々についての、最大のトラフィックキャパシティに対する実際のトラフィックの比率を含んでもよい。さらに別の例として、上記使用状況情報は、上記１つ以上の無線ネットワークの各々におけるトラフィックについての評価結果（例えば、いずれかの評価値）を含んでもよい。
【０１３６】
このような情報により、例えば、上記１つ以上の無線ネットワークの各々におけるトラフィックの程度を知ることが可能になる。そのため、上記１つ以上の無線ネットワークの各々における混雑状況を知ることが可能になり得る。
【０１３７】
以上のように、使用状況情報により、上記１つ以上の無線ネットワークの各々における混雑状況を知ることが可能になり得る。そのため、上記１つ以上の無線ネットワークのうちのより良好な通信品質を伴う無線ネットワークを推定することが可能になり得る。
【０１３８】
−−使用状況情報の取得の手法
第２情報取得部１６４により取得される上記使用状況情報は、移動体通信ネットワーク３０を介して移動体通信端末１００−１に提供される情報に含まれる。
【０１３９】
例えば、上述したように、ネットワーク情報提供装置３００−１は、第１のネットワーク情報により示される少なくとも１つの無線ネットワークの各々の使用状況を示す使用状況情報を、移動体通信ネットワーク３０を介して移動体通信端末１００−１に提供する。すると、第１情報取得部１６２は、当該使用状況情報を取得し、記憶部１５０に記憶させる。一方、第２情報取得部１６４は、第１情報取得部１６２により取得される当該使用状況情報のうちの少なくとも一部の情報を記憶部１５０から取得する。
【０１４０】
より具体的には、例えば、第２情報取得部１６４は、上記第１のネットワーク情報により示される上記少なくとも１つの無線ネットワークのうちのネットワーク検出部１６３により検出される１つ以上の無線ネットワークの各々の使用状況を示す使用状況情報を取得する。
【０１４１】
具体的な情報の例として、上述したように、図６に示される３つのＷＬＡＮ（即ち、第１のネットワーク情報により示される３つのＷＬＡＮ）の全てが、ネットワーク検出部１６３により検出される。この場合に、例えば、第２情報取得部１６４は、図７に示される使用状況情報（即ち、第１情報取得部１６２により取得される使用状況情報）を取得する。当然ながら、図６に示される３つのＷＬＡＮのうちの２つ以下のＷＬＡＮが、ネットワーク検出部１６３により検出されてもよい。この場合に、第２情報取得部１６４は、図７に示される使用状況情報のうちの、上記２つ以下のＷＬＡＮについての使用状況情報を取得してもよい。
【０１４２】
なお、第２情報取得部１６４により取得される上記使用状況情報は、第１情報取得部１６２により取得される上記使用状況情報のうちの一部の情報項目のみを含んでもよい。一例として、第２情報取得部１６４により取得される上記使用状況情報は、図７に示される情報項目のうちの一部の情報項目（例えば、ＭＡＸ  ＤＥＶＩＣＥ  ＣＡＰＡＣＩＴＹ、及び、ＮＵＭＢＥＲ  ＯＦ  ＤＥＶＩＣＥｓ）のみを含んでもよい。
【０１４３】
また、移動体通信端末１００−１と無線通信端末２００−１との間で認証のケイパビリティが異なり得る。そして、無線通信端末２００−１が認証手続きを通じて接続可能な無線ネットワークは、上記第１のネットワーク情報により示される上記少なくとも１つの無線ネットワーク（例えば、図６に示される３つのＷＬＡＮ）のうちの一部の無線ネットワークであり得る。このような場合には、第２情報取得部１６４は、上記一部の無線ネットワークのうちのネットワーク検出部１６３により検出される１つ以上の無線ネットワークの各々の使用状況を示す使用状況情報を取得してもよい。
【０１４４】
−−その他
なお、上記１つ以上の無線ネットワークに関する情報は、ネットワーク情報提供装置３００により移動体通信端末１００−１に提供される情報に含まれる。
【０１４５】
より具体的には、例えば、上述したように、当該１つ以上の無線ネットワークは、第１のネットワーク情報により示される上記少なくとも１つの無線ネットワークに含まれ、上記１つ以上の無線ネットワークに関する情報は、上記第１のネットワーク情報に含まれる。即ち、上記１つ以上の無線ネットワークに関する情報は、ネットワーク情報提供装置３００−１により移動体通信端末１００−１に提供される第１のネットワーク情報に含まれる。
【０１４６】
そのため、移動体通信端末１００−１は、上記１つ以上の無線ネットワークを知ることが可能である。
【０１４７】
−配置状況情報の取得
例えば、第２情報取得部１６４は、上記１つ以上の無線ネットワークの各々のアクセスポイントの配置状況を示す配置状況情報を取得する。
【０１４８】
−−配置状況情報に含まれる情報項目
具体的には、例えば、上記配置状況情報は、上記１つ以上の無線ネットワークの各々のためにアクセスポイントが配置されている建物内のフロアの情報を含む。なお、上記配置状況情報は、当該フロアの情報の代わりに、又は当該フロアの情報に加えて、別の情報を含んでもよい。一例として、上記配置状況情報は、上記１つ以上の無線ネットワークのために配置されているアクセスポイントの数を含んでもよい。
【０１４９】
このような配置状況情報により、例えば、上記１つ以上の無線ネットワークのうちのより良好な通信品質を伴う無線ネットワークを推定することが可能になり得る。
【０１５０】
−−配置状況情報の取得の手法
第２情報取得部１６４は、例えば、上記使用状況情報と同様に、上記配置状況情報を取得する。
【０１５１】
例えば、第２情報取得部１６４は、第１情報取得部１６２により取得される配置状況情報のうちの少なくとも一部の情報を記憶部１５０から取得する。より具体的には、例えば、第２情報取得部１６４は、ネットワーク検出部１６３により検出される１つ以上の無線ネットワークの各々のアクセスポイントの配置状況を示す配置状況情報を取得する。
【０１５２】
具体的な情報の例として、上述したように、図６に示される３つのＷＬＡＮ（即ち、第１のネットワーク情報により示される３つのＷＬＡＮ）の全てが、ネットワーク検出部１６３により検出される。この場合に、例えば、第２情報取得部１６４は、図８に示される配置状況情報（即ち、第１情報取得部１６２により取得される配置状況情報）を取得する。当然ながら、図６に示される３つのＷＬＡＮのうちの２つ以下のＷＬＡＮが、ネットワーク検出部１６３により検出されてもよい。この場合に、第２情報取得部１６４は、図８に示される配置状況情報のうちの、上記２つ以下のＷＬＡＮについての配置状況情報を取得してもよい。
【０１５３】
なお、上述したように、移動体通信端末１００−１と無線通信端末２００−１との間で認証のケイパビリティが異なり得る。このような場合に、第２情報取得部１６４は、上記一部の無線ネットワークのうちのネットワーク検出部１６３により検出される１つ以上の無線ネットワークの各々のアクセスポイントの配置状況を示す配置状況情報を取得してもよい。
【０１５４】
（ネットワーク選択部１６５）
ネットワーク選択部１６５は、上記１つ以上の無線ネットワークの各々の状態を示す上記状態情報に基づいて、上記１つ以上の無線ネットワークのうちの１つの無線ネットワークを選択する。
【０１５５】
上述したように、例えば、上記１つ以上の無線ネットワークの各々の状態を示す上記状態情報は、上記１つ以上の無線ネットワークの各々の使用状況を示す使用状況情報を含む。即ち、ネットワーク選択部１６５は、上記１つ以上の無線ネットワークの各々の使用状況を示す使用状況情報に基づいて、上記１つ以上の無線ネットワークのうちの１つの無線ネットワークを選択する。これにより、より良好な通信品質を伴う無線ネットワークを選択することが可能になり得る。
【０１５６】
さらに、例えば、ネットワーク選択部１６５は、上記１つ以上の無線ネットワークの各々のアクセスポイントの配置状況を示す上記配置状況情報にさらに基づいて、上記１つの無線ネットワークを選択する。これにより、例えば、より良好な通信品質を伴う無線ネットワークをより高い精度で選択することが可能になり得る。
【０１５７】
−具体的な選択手法
例えば、ネットワーク選択部１６５は、上記使用状況情報及び上記配置状況情報に基づいて、上記１つ以上の無線ネットワークの各々を評価し、上記１つ以上の無線ネットワークのうちの、最も高い評価結果を伴う１つの無線ネットワークを選択する。
【０１５８】
より具体的には、例えば、ネットワーク選択部１６５は、上記１つ以上の無線ネットワークの各々についての評価値を算出し、最も高い評価値を伴う１つの無線ネットワークを選択する。
【０１５９】
第１の例として、無線ネットワークに接続される装置の数が当該無線ネットワークの最大の装置キャパシティの５０％未満であれば、当該無線ネットワークの評価値に２が加えられる。また、上記装置の数が上記最大の装置キャパシティの５０％以上８０％未満であれば、上記評価値に１が加えられる。また、上記装置の数が上記最大の装置キャパシティの８０％以上であれば、上記評価値に何も加えられない。具体例として、図７を再び参照すると、例えば、ＥＳＳＩＤ＿１のＷＬＡＮに接続される装置の数（２０）は当該ＷＬＡＮの最大の装置キャパシティ（１５０）の約１３％であるので、ＥＳＳＩＤ＿１のＷＬＡＮの評価値に２が加えられる。また、例えば、ＥＳＳＩＤ＿２のＷＬＡＮに接続される装置の数（１５）は当該ＷＬＡＮの最大の装置キャパシティ（３０）の５０％であるので、ＥＳＳＩＤ＿２のＷＬＡＮの評価値に１が加えられる。また、例えば、ＥＳＳＩＤ＿３のＷＬＡＮに接続される装置の数（１０）は当該ＷＬＡＮの最大の装置キャパシティ（５０）の２０％であるので、ＥＳＳＩＤ＿３のＷＬＡＮの評価値に２が加えられる。
【０１６０】
第２の例として、無線ネットワークにおけるトラフィックが最大のトラフィックキャパシティの５０％未満であれば、当該無線ネットワークの評価値に２が加えられる。また、上記トラフィックが上記最大のトラフィックキャパシティの５０％以上８０％未満であれば、上記評価値に１が加えられる。また、上記トラフィックが上記最大のトラフィックキャパシティの８０％以上であれば、上記評価値に何も加えられない。具体例として、図７を再び参照すると、例えば、ＥＳＳＩＤ＿１のＷＬＡＮにおけるトラフィック（６０Ｍｂｐｓ）は当該ＷＬＡＮの最大のトラフィックキャパシティ（１５０Ｍｂｐｓ）の４０％であるので、ＥＳＳＩＤ＿１のＷＬＡＮの評価値に２が加えられる。また、例えば、ＥＳＳＩＤ＿２のＷＬＡＮにおけるトラフィック（４０Ｍｂｐｓ）は当該ＷＬＡＮの最大のトラフィックキャパシティ（５４Ｍｂｐｓ）の約７４％であるので、ＥＳＳＩＤ＿２のＷＬＡＮの評価値に１が加えられる。また、例えば、ＥＳＳＩＤ＿３のＷＬＡＮにおけるトラフィック（３５Ｍｂｐｓ）は当該ＷＬＡＮの最大のトラフィックキャパシティ（５４Ｍｂｐｓ）の約６４％であるので、ＥＳＳＩＤ＿３のＷＬＡＮの評価値に１が加えられる。
【０１６１】
第３の例として、無線ネットワークのためにアクセスポイントが２フロア以上に配置されていれば、当該無線ネットワークの評価値に２が加えられる。一方、無線ネットワークのためにアクセスポイントが１フロアのみに配置されている場合には、上記評価値に何も加えられない。具体例として、図８を再び参照すると、例えば、ＥＳＳＩＤ＿１のＷＬＡＮのアクセスポイントは３フロアに配置されるので、ＥＳＳＩＤ＿１のＷＬＡＮの評価値に２が加えられる。また、例えば、ＥＳＳＩＤ＿２のＷＬＡＮのアクセスポイントは１フロアに配置されるので、ＥＳＳＩＤ＿２のＷＬＡＮの評価値には何も加えられない。また、例えば、ＥＳＳＩＤ＿３のＷＬＡＮのアクセスポイントは１フロアに配置されるので、ＥＳＳＩＤ＿３のＷＬＡＮの評価値には何も加えられない。
【０１６２】
例えば以上のように評価値が算出される。上述した図７及び図８の例によれば、ＥＳＳＩＤ＿１のＷＬＡＮの評価値は６（２＋２＋２）であり、ＥＳＳＩＤ＿２のＷＬＡＮの評価値は２（１＋１＋０）であり、ＥＳＳＩＤ＿１のＷＬＡＮの評価値は３（２＋１＋０）である。よって、図７及び図８の例によれば、ＥＳＳＩＤ＿１のＷＬＡＮが選択される。
【０１６３】
（情報提供部１６６）
−第２のネットワーク情報の提供
情報提供部１６６は、選択される上記１つの無線ネットワークに関する情報（以下、「第２のネットワーク情報」）を、移動体通信ネットワーク３０における移動体通信とは異なる無線通信を行う別の端末装置に提供する。例えば、情報提供部１６６は、上記第２のネットワーク情報を無線通信端末２００−１に提供する。
【０１６４】
−−第２のネットワーク情報に含まれる情報項目
−−−アクセスポイント識別情報
例えば、上記第２のネットワーク情報は、選択される上記１つの無線ネットワークのアクセスポイントを識別するための識別情報を含む。
【０１６５】
例えば、選択される上記１つの無線ネットワークは、ＷＬＡＮである。この場合に、上記識別情報は、例えば、ＳＳＩＤを含む。より具体的には、例えば、上記識別情報は、ＨＥＳＳＩＤ、ＥＳＳＩＤ及び／又はＢＳＳＩＤを含む。
【０１６６】
このような識別情報により、例えば、接続可能な無線ネットワークを特定することが可能になる。
【０１６７】
−−−チャネル情報
上記第２のネットワーク情報は、選択される上記１つの無線ネットワークのためのチャネルを示す情報を含む。
【０１６８】
例えば、上記無線通信用の無線ネットワーク（例えば、ＷＬＡＮ）のために、複数のチャネルが用意されている。そして、選択される上記１つの無線ネットワーク（例えば、１つのＷＬＡＮ）では、上記複数のチャネルのうちの１つ以上のチャネルが使用される。そして、上記第２のネットワーク情報は、選択される上記１つの無線ネットワークのためのチャネルを示す情報として、選択される上記１つの無線ネットワークで使用される１つ以上のチャネルを示す情報を含む。
【０１６９】
このような情報により、例えば、無線通信端末２００−１が無線ネットワークをより素早く検出することが可能になる。
【０１７０】
−−−具体的な情報の例
例えば、上記第２のネットワーク情報の情報項目は、上記第１のネットワーク情報の情報項目と同一である。具体例として、上記第２のネットワーク情報も、上記第１のネットワーク情報と同様に、図６に示されるような情報項目を含む。上述したように例えば、ＥＳＳＩＤ＿１のＷＬＡＮが選択される場合に、上記第２のネットワーク情報は、図６に示される第１のネットワーク情報のうちの、ＥＳＳＩＤ＿１のＷＬＡＮの情報を含む。
【０１７１】
なお、上記第２のネットワーク情報の情報項目は、上記第１のネットワーク情報の情報項目のうちの一部の情報項目であってもよい。また、上記第２のネットワーク情報の情報項目は、上記第１のネットワーク情報の情報項目には含まれない情報項目を含んでもよい。
【０１７２】
−−第２のネットワーク情報の提供手法
例えば、上述したように、ネットワーク選択部１６５が、上記１つ以上の無線ネットワークのうちの１つの無線ネットワークを選択すると、情報提供部１６６は、選択される当該１つの無線ネットワークに関する情報（即ち、第２のネットワーク情報）を記憶部１５０から取得する。そして、情報提供部１６６は、上記第２のネットワーク情報を無線通信端末２００−１に提供する。例えば、情報提供部１６６は、第１無線通信部１２０を介して、上記第２のネットワーク情報を無線通信端末２００−１へ送信する。具体例として、上記第２のネットワーク情報は、ＷＬＡＮ通信（ダイレクト通信）で送信される。
【０１７３】
なお、情報提供部１６６は、第１無線通信部１２０の代わりに第２無線通信部１３０を介して、上記第２のネットワーク情報を無線通信端末２００−１へ送信してもよい。具体例として、上記第２のネットワーク情報は、近距離無線通信（例えば、Ｂｌｕｅｔｏｏｔｈ通信）で送信されてもよい。
【０１７４】
−−通信の切替えの指示
例えば、情報提供部１６６は、上記第２のネットワーク情報を無線通信端末２００−１に提供する際に、通信の切替えを無線通信端末２００−１に指示する。例えば、情報提供部１６６は、第１無線通信部１２０（又は第２無線通信部１３０）を介して、切替え指示メッセージを無線通信端末２００−１へ送信する。具体的には、例えば、情報提供部１６６は、第１無線通信部１２０（又は第２無線通信部１３０）を介して、上記第２のネットワーク情報を含む切替え指示メッセージを無線通信端末２００−１へ送信する。
【０１７５】
上記切替えは、テザリングでの通信から、無線ネットワークを介した通信への切替えである。より具体的には、例えば、上記切替えは、移動体通信端末１００−１を介した通信から、ＷＬＡＮを介した通信への切替えである。
【０１７６】
−−第２のネットワーク情報の提供による効果
以上のように、上記第２のネットワーク情報が、上記別の端末装置（例えば、無線通信端末２００−１）に提供される。これにより、例えば、上記別の端末装置（例えば、無線通信端末２００−１）が、より望ましい無線ネットワークを介した通信に通信を速やかに切替えることが、可能になる。
【０１７７】
第１に、例えば、無線通信端末２００−１は、提供される上記第２のネットワーク情報から、認証手続きを通じて接続可能な無線ネットワークを特定することが可能になる。その結果、例えば、無線通信端末２００−１が、テザリングによる通信から、特定された無線ネットワーク（例えば、ＷＬＡＮ）を介した通信へ速やかに通信を切り替えることが可能になる。
【０１７８】
より具体的には、例えば、一般的に、ＡＮＤＳＦを有する装置は、移動体通信を行う装置に無線ネットワークに関する情報を提供するが、移動体通信を行わない装置には当該情報を提供しない。一方、本開示の実施形態では、上述したように、例えば、移動体通信端末１００−１が、ＡＮＤＳＦを有する装置（ネットワーク情報提供装置３００−１）から、無線通信端末２００−１が認証手続きを通じて接続可能な無線ネットワークに関する情報を取得し、当該無線ネットワークに関する情報を無線通信端末２００−１に提供する。そのため、ＡＮＤＳＦを有する装置から情報を直接的に提供されない無線通信端末２００−１であっても、認証手続きを通じて接続可能な無線ネットワークを特定することが可能になる。
【０１７９】
第２に、上記第２のネットワーク情報は、無線通信端末２００−１が認証手続きを通じて接続可能な１つ以上の無線ネットワークの中から状態情報に基づいて選択される１つの無線ネットワークに関する情報である。そのため、例えば、無線通信端末２００−１は、提供される上記第２のネットワーク情報から、無線通信端末２００−１が認証手続きを通じて接続可能なより望ましい無線ネットワーク（例えば、より良好な通信品質を伴う無線ネットワーク）を特定することが可能になる。その結果、例えば、無線通信端末２００−１が、テザリングによる通信から、特定された上記より望ましい無線ネットワークを介した通信へ速やかに通信を切り替えることが可能になる。
【０１８０】
なお、テザリングによる通信が行われている場合には、無線通信端末２００−１は移動体通信端末１００−１から情報を取得することができる。そのため、無線通信端末２００−１への上記第２のネットワーク情報の提供は、とりわけ、テザリングへの通信から、無線ネットワーク（例えば、ＷＬＡＮ）を介した通信への切替えに適している。
【０１８１】
−認証用情報の提供
例えば、情報提供部１６６は、ＳＩＭ１４０により提供される認証用情報を、上記無線通信を行う別の端末装置に提供する。例えば、情報提供部１６６は、上記認証用情報を無線通信端末２００−１に提供する。
【０１８２】
−−ＩＭＳＩ及びＩｄｅｎｔｉｔｙ
なお、例えば、認証方式としてＥＡＰ−ＡＫＡが用いられる場合に、認証用情報のうちのＩＭＳＩは、以下のようなＩｄｅｎｔｉｔｙの一部として提供される。
【０１８３】
【数１】
2015068497.tif 000003
【０１８４】
なお、ＩＭＳＩは、３桁のＭＣＣ（Mobile  Country  Code）、２桁又は３桁のＭＮＣ（Mobile  Network  Code）、及び１０桁のＭＳＩＮ（Mobile  Subscriber  Identification  Number）を含み、以下のように表される。
【０１８５】
【数２】
2015068497.tif 000004
【０１８６】
一例として、ＩＭＳＩが１２３４５６０１２３４５６７８である場合に、提供される上記Ｉｄｅｎｔｉｔｙは、以下のように表される。
【０１８７】
【数３】
2015068497.tif 000005
【０１８８】
−−認証用情報の提供による効果
以上のように、上記認証用情報が、上記別の端末装置（例えば、無線通信端末２００−１）に提供される。これにより、上記別の端末装置が、ＳＩＭ認証手続きを行うことが可能になる。そのため、例えば、移動体通信ネットワーク３０での移動体通信を行わない上記別の端末装置（例えば、無線通信端末２００−１）による無線ネットワーク（例えば、ＷＬＡＮ）への接続にあたり、上記別の装置のユーザにとっての手間を省くことが可能になる。例えば、パスワードの入力の手間などを省くことが可能になる。その結果、例えば、通信が速やかに切り替えられ得る。
【０１８９】
なお、電子証明書を用いた認証手続きの利用によっても、ＳＩＭ認証手続きの利用のケースと同様に、ユーザにとっての手間を省くことが可能になり得る。
【０１９０】
＜３．２．処理の流れ＞
次に、図９〜図１２Ｂを参照して、第１の実施形態に係る通信制御処理の例を説明する。
【０１９１】
（全体の処理の流れ）
図９は、第１の実施形態に係る通信制御処理全体の概略的な流れの一例を示すシーケンス図である。
【０１９２】
前提として、例えば、移動体通信端末１００−１及び無線通信端末２００−１は、第１の無線通信（例えば、ＷＬＡＮ通信（ダイレクト通信））で互いに接続されている。また、移動体通信端末１００−１は、移動体通信ネットワーク３０に接続されている。そして、無線通信端末２００−１は、移動体通信端末１００−１のテザリング機能を利用して、テザリングによる通信を行っている。
【０１９３】
まず、移動体通信端末１００−１は、１つ以上の所定のイベントのいずれかの発生に応じて、ネットワーク情報要求メッセージを、移動体通信ネットワーク３０に含まれるネットワーク情報提供装置３００−１へ送信する（Ｓ１０１０）。当該ネットワーク情報要求メッセージには、無線ネットワークを特定するための情報（例えば、ネットワークタイプ情報、位置関連情報及び時間情報など）が含まれる。
【０１９４】
そして、ネットワーク情報提供装置３００−１は、上記ネットワーク情報要求メッセージを受信すると、無線ネットワークを検索する（Ｓ１０２０）。例えば、ネットワーク情報提供装置３００−１は、無線ネットワークを特定するための上記情報（例えば、ネットワークタイプ情報、位置関連情報及び時間情報など）に対応する無線ネットワークを検索する。そして、例えば、検索結果には、少なくとも１つの無線ネットワーク５０が含まれる。
【０１９５】
また、ネットワーク情報提供装置３００−１は、上記少なくとも１つの無線ネットワーク５０の各々に情報の提供を要求する（Ｓ１０３０）。すると、上記少なくとも１つの無線ネットワーク５０の各々は、自らの使用状況を示す使用状況情報と、自らのアクセスポイントの配置状況を示す配置状況情報とを、ネットワーク情報提供装置３００−１に提供する（Ｓ１０３５）。そして、ネットワーク情報提供装置３００−１は、上記少なくとも１つの無線ネットワーク５０の各々の使用状況を示す使用状況情報と、上記少なくとも１つの無線ネットワーク５０の各々のアクセスポイントの配置状況を示す配置状況情報とを取得する。なお、図９には、１つの無線ネットワーク５０のみが示されているが、２つ以上の無線ネットワーク５０が存在し得る。
【０１９６】
その後、ネットワーク情報提供装置３００−１は、上記少なくとも１つの無線ネットワーク５０に関する情報（即ち、第１のネットワーク情報）、上記使用状況情報及び上記配置状況情報を、移動体通信端末１００−１に提供する（Ｓ１０４０）。すると、移動体通信端末１００−１は、上記第１のネットワーク情報、上記使用状況情報及び上記配置状況情報を受信し、取得する。
【０１９７】
そして、移動体通信端末１００−１は、上記第１のネットワーク情報に基づいて、１つ以上の無線ネットワーク５０を検出する（Ｓ１０５０）。具体的には、例えば、移動体通信端末１００−１は、上記第１のネットワーク情報により示される上記少なくとも１つの無線ネットワーク５０についてのスキャンを行う。その結果、移動体通信端末１００−１は、上記少なくとも１つの無線ネットワーク５０のうちの１つ以上の無線ネットワーク５０を検出する。
【０１９８】
その後、移動体通信端末１００−１は、ネットワーク選択処理を実行する（Ｓ１０６０）。即ち、移動体通信端末１００−１は、検出された上記１つ以上の無線ネットワーク５０の使用状況を示す使用状況情報と、検出された上記１つ以上の無線ネットワーク５０のアクセスポイントの配置状況を示す配置状況情報を取得する。そして、移動体通信端末１００−１は、当該使用状況情報及び上記配置状況情報に基づいて、上記１つ以上の無線ネットワーク５０のうちの１つの無線ネットワーク５０を選択する。
【０１９９】
そして、移動体通信端末１００−１は、選択された上記１つの無線ネットワーク５０に関する情報（即ち、第２のネットワーク情報）を取得し、当該情報（第２のネットワーク情報）を含む切替え指示メッセージを無線通信端末２００−１へ送信する（Ｓ１０８０）。すると、無線通信端末２００−１は、上記切替え指示メッセージを受信し、上記第２のネットワーク情報を取得する。
【０２００】
その後、移動体通信端末１００−１及び無線通信端末２００−１は、第１の無線通信（ＷＬＡＮ通信（ダイレクト通信））での接続から第２の無線通信（Ｂｌｕｅｔｏｏｔｈ通信）での接続への切替えのための接続切替え処理を行う（Ｓ１０９０）。その結果、移動体通信端末１００−１及び無線通信端末２００−１は、第２の無線通信（Ｂｌｕｅｔｏｏｔｈ通信）で互いに接続される。
【０２０１】
さらに、無線通信端末２００−１は、上記第２のネットワーク情報により示される上記１つの無線ネットワーク５０への接続のための接続処理を行う（Ｓ１１００）。その結果、無線通信端末２００−１は、上記１つの無線ネットワーク５０に接続される。
【０２０２】
（ネットワーク選択処理：Ｓ１０６０）
図１０は、第１の実施形態に係るネットワーク選択処理の概略的な流れの一例を示すフローチャートである。当該ネットワーク選択処理は、図９に示されるステップＳ１０６０の処理に該当する。
【０２０３】
ネットワーク選択部１６５は、１つ以上の無線ネットワークの中から、まだ評価されていない１つの無線ネットワークを評価対象として選択する（Ｓ１０６１）。
【０２０４】
そして、ネットワーク選択部１６５は、評価対象の無線ネットワークに接続される装置の数が当該無線ネットワークの最大の装置キャパシティの５０％未満であれば（Ｓ１０６２：ＹＥＳ）、当該無線ネットワークの評価値に２を加える（Ｓ１０６３）。そうでなければ（Ｓ１０６２：ＮＯ）、ネットワーク選択部１６５は、上記無線ネットワークに接続される装置の数が当該無線ネットワークの最大の装置キャパシティの８０％未満であれば（Ｓ１０６４：ＹＥＳ）、当該無線ネットワークの評価値に１を加える（Ｓ１０６５）。そうでなければ（Ｓ１０６４：ＮＯ）、ネットワーク選択部１６５は、上記無線ネットワークの評価値に何も加えない（Ｓ１０６６）。
【０２０５】
また、ネットワーク選択部１６５は、評価対象の無線ネットワークにおけるトラフィックが当該無線ネットワークの最大のトラフィックキャパシティの５０％未満であれば（Ｓ１０６７：ＹＥＳ）、当該無線ネットワークの評価値に２を加える（Ｓ１０６８）。そうでなければ（Ｓ１０６７：ＮＯ）、ネットワーク選択部１６５は、上記無線ネットワークにおけるトラフィックが当該無線ネットワークの最大のトラフィックキャパシティの８０％未満であれば（Ｓ１０６９：ＹＥＳ）、当該無線ネットワークの評価値に１を加える（Ｓ１０７０）。そうでなければ（Ｓ１０６９：ＮＯ）、ネットワーク選択部１６５は、上記無線ネットワークの評価値に何も加えない（Ｓ１０７１）。
【０２０６】
また、ネットワーク選択部１６５は、評価対象の無線ネットワークのアクセスポイントが２フロア以上に配置されていれば（Ｓ１０７２：ＹＥＳ）、当該無線ネットワークの評価値に２を加える（Ｓ１０７３）。そうでなければ（Ｓ１０７２：ＮＯ）、ネットワーク選択部１６５は、上記無線ネットワークの評価値に何も加えない（Ｓ１０７４）。
【０２０７】
そして、ネットワーク選択部１６５は、上記１つ以上の無線ネットワークの全てが評価されていれば（Ｓ１０７５：ＹＥＳ）、上記１つ以上の無線ネットワークのうちの、最も高い評価値を伴う１つの無線ネットワークを選択する（Ｓ１０７６）。そして、処理は終了する。そうでなければ（Ｓ１０７５：ＮＯ）、処理はステップＳ１０６１に戻る。
【０２０８】
（接続切替え処理：Ｓ１０９０）
図１１は、第１の実施形態に係る接続切替え処理の概略的な流れの一例を示すシーケンス図である。当該接続切替え処理は、移動体通信端末１００−１と無線通信端末２００−１との間の接続の切替えのための処理であり、第１の無線通信（例えば、ＷＬＡＮ通信）での接続から第２の無線通信（例えば、Ｂｌｕｅｔｏｏｔｈ通信）での接続への切替えのための処理である。また、上記接続切替え処理は、図９に示されるステップＳ１０９０の処理に該当する。
【０２０９】
前提として、例えば、移動体通信端末１００−１及び無線通信端末２００−１は、第１の無線通信（例えば、ＷＬＡＮ通信（ダイレクト通信））で互いに接続されている。
【０２１０】
まず、移動体通信端末１００−１は、第２の無線通信についての接続処理要求メッセージを無線通信端末２００−１へ送信する（Ｓ１０９１）。すると、無線通信端末２００−１は、第２の無線通信についての接続処理応答メッセージを移動体通信端末１００−１へ送信する（Ｓ１０９２）。
【０２１１】
その後、移動体通信端末１００−１及び無線通信端末２００−１は、第２の無線通信をオン状態に切替える（Ｓ１０９３、Ｓ１０９４）。そして、移動体通信端末１００−１及び無線通信端末２００−１は、第２の無線通信（Ｂｌｕｅｔｏｏｔｈ通信）での接続のための接続処理を実行する（Ｓ１０９５）。その結果、移動体通信端末１００−１及び無線通信端末２００−１は、第２の無線通信（Ｂｌｕｅｔｏｏｔｈ通信）で互いに接続される。
【０２１２】
さらに、移動体通信端末１００−１及び無線通信端末２００−１は、第１の無線通信（ＷＬＡＮ（ダイレクト通信））での接続を切断するための切断処理を実行する（Ｓ１０９６）。その結果、移動体通信端末１００−１と無線通信端末２００−１との間の第１の無線通信での接続が切断される。上記切断処理の後に、移動体通信端末１００−１（例えば、制御部１６０）は、第１の無線通信の機能をオン状態からオフ状態に切り替えてもよい。即ち、移動体通信端末１００−１は、第１の無線通信のためのソフトウェア又はハードウェアの動作を停止してもよい。これにより、例えば、移動体通信端末１００−１は、第１の無線通信のビーコンを送信しなくなり、その結果、移動体通信端末１００−１の消費電力が低減され得る。あるいは、上記切断処理の後に、移動体通信端末１００−１（例えば、制御部１６０）は、第１の無線通信のビーコンの送信間隔をより長くしてもよい。これにより、例えば、移動体通信端末１００−１の消費電力が低減され、且つ、無線通信端末２００−１による移動体通信端末１００−１への再接続がより素早く行われ得る。
【０２１３】
なお、第２の無線通信についての接続処理要求メッセージは、移動体通信端末１００−１により無線通信端末２００−１へ送信される代わりに、無線通信端末２００−１により移動体通信端末１００−１へ送信されてもよい。この場合に、第２の無線通信についての接続処理応答メッセージは、無線通信端末２００−１により移動体通信端末１００−１へ送信される代わりに、移動体通信端末１００−１により無線通信端末２００−１へ送信されてもよい。
【０２１４】
（無線ネットワークへの接続処理：Ｓ１１００）
図１２Ａ及び図１２Ｂは、第１の実施形態に係る接続処理の概略的な流れの一例を示すシーケンス図である。当該接続処理は、無線ネットワーク（例えば、ＷＬＡＮ）への接続のための接続処理である。この例では、上記接続処理は、ＥＡＰ−ＡＫＡに基づく認証の手続きを通じた接続処理である。上記接続処理は、図９に示されるステップＳ１１００の処理に該当する。
【０２１５】
まず、無線通信端末２００−１は、第２のネットワーク情報により示される１つの無線ネットワーク５０を検出する（Ｓ１１１０）。
【０２１６】
その後、無線ネットワーク５０のアクセスポイント５１及び無線通信端末２００−１は、アソシエーション（Association）を行う（Ｓ１１２１）。これにより、認証手続きのための情報の送受信が可能になる。
【０２１７】
そして、無線通信端末２００−１は、ＥＡＰｏＬ−Ｓｔａｒｔメッセージをアクセスポイント５１へ送信する（Ｓ１１２２）。
【０２１８】
アクセスポイント５１は、ＥＡＰ−Ｒｅｑｕｅｓｔ／Ｉｄｅｎｔｉｔｙメッセージを無線通信端末２００−１へ送信する（Ｓ１１２３）。すると、無線通信端末２００−１は、Ｒｅｑｕｅｓｔ／Ｉｄｅｎｔｉｔｙメッセージを移動体通信端末１００−１へ送信する（Ｓ１１２４）。なお、ＥＡＰ−Ｒｅｑｕｅｓｔ／Ｉｄｅｎｔｉｔｙメッセージは、ＥＡＰ−ＡＫＡの認証において必要となるＩｄｅｎｔｉｔｙの生成を要求するメッセージである。
【０２１９】
移動体通信端末１００−１は、ＳＩＭ１４０により提供される情報（例えば、ＩＭＳＩ）を取得し、Ｉｄｅｎｔｉｔｙを生成する（Ｓ１１２５）。そして、移動体通信端末１００−１は、生成された上記Ｉｄｅｎｔｉｔｙを含むＲｅｓｐｏｎｓｅ／Ｉｄｅｎｔｉｔｙメッセージを無線通信端末２００−１へ送信する（Ｓ１１２６）。すると、無線通信端末２００−１は、ＥＡＰ−Ｒｅｓｐｏｎｓｅ／Ｉｄｅｎｔｉｔｙメッセージをアクセスポイント５１へ転送する（Ｓ１１２７）。
【０２２０】
その後、アクセスポイント５１は、上記Ｉｄｅｎｔｉｔｙを含むＲＡＤＩＵＳ−Ａｃｃｅｓｓ−Ｒｅｑｕｅｓｔメッセージを認証サーバ３７へ送信する（Ｓ１１２８）。
【０２２１】
そして、認証サーバ３７は、加入者情報サーバ３５に、上記Ｉｄｅｎｔｉｔｙに対応する認証ベクタを要求する（Ｓ１１２９）。
【０２２２】
すると、加入者情報サーバ３５は、上記Ｉｄｅｎｔｉｔｙに対応する認証ベクタを生成する（Ｓ１１３０）。なお、認証ベクタとは、端末装置の認証の際に必要な情報の集合である。認証方式がＥＡＰ−ＡＫＡの場合には、認証ベクタは、ＲＡＮＤ、ＡＵＴＮ、ＸＲＥＳ、ＩＫ及びＣＫを含む。ＲＡＮＤは、チャレンジとして利用されるランダム値である。ＡＵＴＮは、端末装置がネットワークを認証するための値である。ＸＲＥＳは、チャレンジに対する期待されるレスポンス値である。ＩＫは、メッセージの完全性を検証するための鍵である。ＣＫは、メッセージの暗号化のための鍵である。
【０２２３】
その後、加入者情報サーバ３５は、生成された認証ベクタを認証サーバ３７へ送信する（Ｓ１１３１）。
【０２２４】
そして、認証サーバ３７は、ＲＡＤＩＵＳ−Ａｃｃｅｓｓ−Ｒｅｑｕｅｓｔメッセージ（Ｓ１１２８）への応答として、ＲＡＩＤＵＳ−Ａｃｃｅｓｓ−Ｃｈａｌｌｅｎｇｅメッセージをアクセスポイント５１へ送信する（Ｓ１１３２）。なお、ＲＡＩＤＵＳ−Ａｃｃｅｓｓ−Ｃｈａｌｌｅｎｇｅメッセージは、認証ベクタに加えて、ＭＡＣ（Message  Authentication  Code）を含む。当該ＭＡＣは、メッセージの完全性を検証するための情報であり、認証サーバ３７により生成される。
【０２２５】
その後、アクセスポイント５１は、ＥＡＰ−Ｒｅｑｕｅｓｔ／ＡＫＡ−Ｃｈａｌｌｅｎｇｅメッセージを無線通信端末２００−１へ送信する（Ｓ１１３３）。ＥＡＰ−Ｒｅｑｕｅｓｔ／ＡＫＡ−Ｃｈａｌｌｅｎｇｅメッセージは、ＲＡＮＤ、ＡＵＴＮ及びＭＡＣを含む。ＸＲＥＳ、ＩＫ及びＣＫは、アクセスポイントポイント５１が保持し、無線通信端末２００−１へ送信されない。
【０２２６】
そして、無線通信端末２００−１は、Ｒｅｑｕｅｓｔ／ＡＫＡ−Ｃｈａｌｌｅｎｇｅメッセージを移動体通信端末１００−１へ送信する（Ｓ１１３４）。Ｒｅｑｕｅｓｔ／ＡＫＡ−Ｃｈａｌｌｅｎｇｅメッセージは、移動体通信端末１００−１に、レスポンス及びセッション鍵（ＩＫ及びＣＫ）を生成することを要求するメッセージである。
【０２２７】
その後、移動体通信端末１００−１（ＳＩＭ１４０）は、Ｒｅｑｕｅｓｔ／ＡＫＡ−Ｃｈａｌｌｅｎｇｅメッセージに含まれる情報（ＲＡＮＤ、ＡＵＴＮ及びＭＡＣ）に基づいて、認証アルゴリズム（ＡＫＡアルゴリズム）を実行する（Ｓ１１３５）。これにより、メッセージの完全性の検証、無線ネットワークの認証、並びに、チャレンジに対するレスポンス、ＭＡＣ及びセッション鍵の生成が、行われる。
【０２２８】
そして、移動体通信端末１００−１は、Ｒｅｓｐｏｎｓｅ／ＡＫＡ−Ｃｈａｌｌｅｎｇｅメッセージを無線通信端末２００−１へ送信する（Ｓ１１３６）。Ｒｅｓｐｏｎｓｅ／ＡＫＡ−Ｃｈａｌｌｅｎｇｅメッセージは、生成された上記レスポンス、ＭＡＣ及びセッション鍵を含む。
【０２２９】
その後、無線通信端末２００−１は、ＥＡＰ−Ｒｅｑｕｅｓｔ／ＡＫＡ−Ｃｈａｌｌｅｎｇｅメッセージ（Ｓ１１３３）に対する応答として、ＥＡＰ−Ｒｅｓｐｏｎｓｅ／ＡＫＡ−Ｃｈａｌｌｅｎｇｅメッセージをアクセスポイント５１へ送信する（Ｓ１１３７）。ＥＡＰ−Ｒｅｓｐｏｎｓｅ／ＡＫＡ−Ｃｈａｌｌｅｎｇｅメッセージは、Ｓ１１３６で送信された上記レスポンス及びＭＡＣを含む。
【０２３０】
そして、アクセスポイント５１は、ＲＡＤＩＵＳ−Ａｃｃｅｓｓ−Ｒｅｑｕｅｓｔメッセージを送信する（Ｓ１１３８）。ＲＡＤＩＵＳ−Ａｃｃｅｓｓ−Ｒｅｑｕｅｓｔメッセージは、Ｓ１１３７で送信された上記レスポンス及びＭＡＣを含む。
【０２３１】
認証サーバ３７は、上記レスポンスとＸＲＳＳとのとの一致の検証と、ＭＡＣに基づくメッセージの完全性の検証とを行う（Ｓ１１３９）。
【０２３２】
その後、認証サーバ３７は、ＲＡＤＩＵＳ−Ａｃｃｅｓｓ−Ａｃｃｅｐｔメッセージをアクセスポイント５１へ送信する（Ｓ１１４０）。ＲＡＤＩＵＳ−Ａｃｃｅｓｓ−Ａｃｃｅｐｔメッセージは、認証手続きを行う端末装置（即ち、無線通信端末２００−１）が正当なユーザであるため接続を許可することを示すメッセージである。
【０２３３】
アクセスポイント５１は、ＥＡＰ−Ｓｕｃｃｅｓｓメッセージを無線通信端末２００−１へ送信する（Ｓ１１４１）。ＥＡＰ−Ｓｕｃｃｅｓｓメッセージは、認証の成功を示すメッセージである。また、アクセスポイント５１は、ＥＡＰｏＬ−Ｋｅｙメッセージを無線通信端末２００−１へ送信する（Ｓ１１４２）。ＥＡＰｏＬ−Ｋｅｙメッセージは、無線通信端末２００−１とアクセスポイント５１との間で使用される暗号化通信用の鍵を含む。
【０２３４】
以上のように接続処理が行われる。その結果、無線通信端末２００−１は、無線ネットワーク５０に接続される。
【０２３５】
＜３．３．変形例＞
次に、図１３〜図１６を参照して、第１の実施形態の変形例を説明する。
【０２３６】
上述した第１の実施形態によれば、例えば、移動体通信端末１００−１は、１つ以上の無線ネットワークの各々の状態を示す状態情報として、当該１つ以上の無線ネットワークの各々の使用状況を示す使用状況情報を取得する。そして、移動体通信端末１００−１は、当該使用状況情報に基づいて、上記１つ以上の無線ネットワークのうちの１つの無線ネットワークを選択する。
【０２３７】
一方、第１の実施形態の変形例によれば、移動体通信端末１００−１は、１つ以上の無線ネットワークの各々の状態を示す状態情報として、当該１つ以上の無線ネットワークの各々の測定された通信品質を示す通信品質情報を取得する。そして、移動体通信端末１００−１は、当該通信品質情報に基づいて、上記１つ以上の無線ネットワークのうちの１つの無線ネットワークを選択する。
【０２３８】
なお、ここでは、第１の実施形態の上述した例と第１の実施形態の変形例との相違点のみを説明する。
【０２３９】
（移動体通信端末１００−１の構成：第１情報取得部１６２）
第１の実施形態の変形例では、第１情報取得部１６２は、例えば、使用状況情報及び配置状況情報を取得しない。
【０２４０】
（移動体通信端末１００−１の構成：ネットワーク検出部１６３）
−通信品質の測定
第１の実施形態の変形例では、例えば、ネットワーク検出部１６３は、上記第１のネットワーク情報に基づいて上記無線通信用の無線ネットワークを検出する際に、検出される無線ネットワークの通信品質を測定する。
【０２４１】
例えば、ネットワーク検出部１６３は、上記１つ以上の無線ネットワークを検出する場合に、上記１つ以上の無線ネットワークの各々の通信品質を測定する。そして、ネットワーク検出部１６３は、測定結果として、上記通信品質を示す通信品質情報を生成する。
【０２４２】
一例として、ネットワーク検出部１６３は、上記通信品質として受信信号の強度を測定し、測定された当該強度を示す情報を含む通信品質情報を生成する。一例として、受信信号の強度を示す上記情報は、ＲＳＳＩ（Received  Signal  Strength  Indicator）である。
【０２４３】
（移動体通信端末１００−１の構成：第２情報取得部１６４）
−状態情報の取得
上述したように、第２情報取得部１６４は、移動体通信ネットワーク３０における移動体通信とは異なる無線通信用の１つ以上の無線ネットワークの各々の状態を示す状態情報を取得する。
【０２４４】
とりわけ第１の実施形態の変形例では、上記状態情報は、上記１つ以上の無線ネットワークの各々の測定された通信品質を示す通信品質情報を含む。
【０２４５】
−−通信品質情報に含まれる情報項目
例えば、上記通信品質情報は、受信信号の強度を示す情報（以下、「受信強度情報」と呼ぶ）を含む。一例として、上記受信強度情報は、ＲＳＳＩ（Received  Signal  Strength  Indicator）である。以下、図１３を参照して上記通信品質情報の具体例を説明する。
【０２４６】
図１３は、通信品質情報の例を説明するための説明図である。図１３を参照すると、通信品質情報が示されている。この例における通信品質情報は、３つの無線ネットワーク（３つのＷＬＡＮ）の各々の通信品質を示す情報である。また、この例における通信品質情報は、３つの無線ネットワークの各々のＲＳＳＩを含む。
【０２４７】
このような通信品質情報により、例えば、無線ネットワークの通信品質を知ることが可能になる。そのため、上記１つ以上の無線ネットワークのうちのより良好な通信品質を伴う無線ネットワークを特定することが可能になり得る。
【０２４８】
なお、上記通信品質情報は、上記受信強度情報に加えて、又は上記受信強度情報の代わりに、別の情報を含んでもよい。一例として、上記通信品質情報は、ＳＮＲ（Signal-to-Noise  Ratio）を含んでもよい。
【０２４９】
−−通信品質情報の取得の手法
上記通信品質情報は、移動体通信端末１００−１又は無線通信端末２００−１による通信品質の測定を通じて生成される情報である。これにより、例えば、ネットワーク側からの提供される情報が少なくなり、移動体通信ネットワーク３０において無線リソースが節約され得る。
【０２５０】
例えば、上述したように、ネットワーク検出部１６３は、上記１つ以上の無線ネットワークを検出する場合に、上記１つ以上の無線ネットワークの各々の通信品質を測定する。そして、ネットワーク検出部１６３は、測定結果として、上記通信品質を示す通信品質情報を生成する。そして、第２情報取得部１６４は、当該通信品質情報を取得する。
【０２５１】
具体的な情報の例として、図６に示されるような第１のネットワーク情報が提供される場合に、図６に示される３つのＷＬＡＮ（即ち、第１のネットワーク情報により示される３つのＷＬＡＮ）の全てが、ネットワーク検出部１６３により検出される。そして、図１３に示されるような通信品質情報が、ネットワーク検出部１６３により生成され、第２情報取得部１６４により取得される。
【０２５２】
なお、移動体通信端末１００−１と無線通信端末２００−１との間で認証のケイパビリティが異なり得る。そして、無線通信端末２００−１が認証手続きを通じて接続可能な無線ネットワークは、上記第１のネットワーク情報により示される上記少なくとも１つの無線ネットワーク（例えば、図６に示される３つのＷＬＡＮ）のうちの一部の無線ネットワークであり得る。このような場合には、第２情報取得部１６４は、上記一部の無線ネットワークのうちのネットワーク検出部１６３により検出される１つ以上の無線ネットワークの各々の通信品質を示す通信品質情報を取得してもよい。
【０２５３】
−チャネル情報の取得
例えば、第２情報取得部１６４は、上記１つ以上の無線ネットワークの各々において使用されるチャネルを示す情報を取得する。以下、図１４を参照して当該情報の具体例を説明する。
【０２５４】
図１４は、無線ネットワークにより使用されるチャネルを示す情報の例を説明するための説明図である。図１４を参照すると、３つの無線ネットワーク（３つのＷＬＡＮ）の各々により使用されるチャネルが示されている。例えば、ＥＳＳＩＤ＿１のＷＬＡＮでは、チャネル１が使用され、ＥＳＳＩＤ＿２のＷＬＡＮ及びＥＳＳＩＤ＿３のＷＬＡＮでは、チャネル６が使用される。
【０２５５】
このような情報により、例えば、無線ネットワークの各々において使用されるチャネルの共用状況を知ることが可能になる。
【０２５６】
なお、例えば、上記１つ以上の無線ネットワークの各々において使用されるチャネルを示す上記情報は、ネットワーク検出部１６３による検出に応じて生成され、第２情報取得部１６４は、生成される当該情報を取得する。あるいは、上記１つ以上の無線ネットワークの各々において使用されるチャネルを示す上記情報は、上記第１のネットワーク情報の中に含まれる情報であってもよい。この場合に、第２情報取得部１６４は、上記第１のネットワーク情報に含まれる上記情報を取得してもよい。
【０２５７】
（移動体通信端末１００−１の構成：ネットワーク選択部１６５）
上述したように、ネットワーク選択部１６５は、上記１つ以上の無線ネットワークの各々の状態を示す上記状態情報に基づいて、上記１つ以上の無線ネットワークのうちの１つの無線ネットワークを選択する。
【０２５８】
上述したように、とりわけ第１の実施形態の変形例では、上記１つ以上の無線ネットワークの各々の状態を示す上記状態情報は、上記１つ以上の無線ネットワークの各々の測定された通信品質を示す通信品質情報を含む。即ち、ネットワーク選択部１６５は、上記１つ以上の無線ネットワークの各々の測定された通信品質を示す通信品質情報に基づいて、上記１つ以上の無線ネットワークのうちの１つの無線ネットワークを選択する。これにより、より良好な通信品質を伴う無線ネットワークを選択することが可能になり得る。
【０２５９】
さらに、例えば、ネットワーク選択部１６５は、上記１つ以上の無線ネットワークの各々において使用されるチャネルの共用状況にさらに基づいて、上記１つの無線ネットワークを選択する。これにより、例えば、無線ネットワークにおける干渉又は混信の可能性を考慮することが可能であり、より良好な通信品質を伴う無線ネットワークをより高い精度で選択することが可能になり得る。
【０２６０】
−具体的な選択手法
例えば、ネットワーク選択部１６５は、上記通信品質情報及び上記共用状況に基づいて、上記１つ以上の無線ネットワークの各々を評価し、上記１つ以上の無線ネットワークのうちの、最も高い評価結果を伴う１つの無線ネットワークを選択する。
【０２６１】
より具体的には、例えば、ネットワーク選択部１６５は、上記１つ以上の無線ネットワークの各々についての評価値を算出し、最も高い評価値を伴う１つの無線ネットワークを選択する。
【０２６２】
第１の例として、無線ネットワークについてのＲＳＳＩが−４０よりも大きければ、当該無線ネットワークの評価値に２が加えられる。また、上記ＲＳＳＩが−６０より大きく−４０以下であれば、当該評価値に１が加えられる。上記ＲＳＳＩが−６０以下であれば、上記評価値に何も加えられない。具体例として、図１３を再び参照すると、例えば、ＥＳＳＩＤ＿１のＷＬＡＮについてのＲＳＳＩは−３０であるので、ＥＳＳＩＤ＿１のＷＬＡＮの評価値に２が加えられる。また、例えば、ＥＳＳＩＤ＿２のＷＬＡＮについてのＲＳＳＩは−５０であるので、ＥＳＳＩＤ＿２のＷＬＡＮの評価値に１が加えられる。また、例えば、ＥＳＳＩＤ＿３のＷＬＡＮについてのＲＳＳＩは−７０であるので、ＥＳＳＩＤ＿３のＷＬＡＮの評価値には何も加えられない。
【０２６３】
第２の例として、無線ネットワークにおいて使用されるチャネルが当該無線ネットワークと他の無線ネットワークとにより共用されていなければ、当該無線ネットワークの評価値に２が加えられる。また、上記チャネルが上記無線ネットワークと他の無線ネットワークとにより共用されていれば、上記評価値に何も加えられない。具体例として、図１４を再び参照すると、例えば、ＥＳＳＩＤ＿１のＷＬＡＮにおいて使用されるチャネル１は、当該ＷＬＡＮと他のＷＬＡＮ（ＥＳＳＩＤ＿２のＷＬＡＮ及びＥＳＳＩＤ＿３のＷＬＡＮ）とにより共用されていない。よって、ＥＳＳＩＤ＿１のＷＬＡＮの評価値に２が加えられる。また、例えば、ＥＳＳＩＤ＿２のＷＬＡＮにおいて使用されるチャネル６は、ＥＳＳＩＤ＿２のＷＬＡＮとＥＳＳＩＤ＿３のＷＬＡＮとにより共用されている。よって、ＥＳＳＩＤ＿２のＷＬＡＮの評価値及びＥＳＳＩＤ＿３のＷＬＡＮの評価値に何も加えられない。
【０２６４】
例えば以上のように評価値が算出される。上述した図１３及び図１４の例によれば、ＥＳＳＩＤ＿１のＷＬＡＮの評価値は４（２＋２）であり、ＥＳＳＩＤ＿２のＷＬＡＮの評価値は１（１＋０）であり、ＥＳＳＩＤ＿１のＷＬＡＮの評価値は０（０＋０）である。よって、図１３及び図１４の例によれば、ＥＳＳＩＤ＿１のＷＬＡＮが選択される。
【０２６５】
（処理の流れ：全体の処理の流れ）
図１５は、第１の実施形態の変形例に係る通信制御処理全体の概略的な流れの一例を示すシーケンス図である。
【０２６６】
なお、図１５に示される第１の実施形態の変形例に係る通信制御処理のうちの、ステップＳ１２１０、Ｓ１２２０、Ｓ１２７０、Ｓ１２８０及びＳ１２９０は、図９を参照して説明した第１の実施形態に係る通信制御処理のうちの、ステップＳ１０１０、Ｓ１０２０、Ｓ１０８０、Ｓ１０９０及びＳ１１００と同一である。よって、ここでは、ステップＳ１２３０、Ｓ１２４０、Ｓ１２４５及びＳ１２５０のみを説明する。
【０２６７】
ネットワーク情報提供装置３００−１は、検索結果に含まれる少なくとも１つの無線ネットワーク５０に関する情報（即ち、第１のネットワーク情報）を移動体通信端末１００−１に提供する（Ｓ１２３０）。すると、移動体通信端末１００−１は、上記第１のネットワーク情報を受信し、取得する。
【０２６８】
そして、移動体通信端末１００−１は、上記第１のネットワーク情報に基づいて、１つ以上の無線ネットワーク５０を検出する（Ｓ１２４０）。具体的には、例えば、移動体通信端末１００−１は、上記第１のネットワーク情報により示される上記少なくとも１つの無線ネットワーク５０についてのスキャンを行う。その結果、移動体通信端末１００−１は、上記少なくとも１つの無線ネットワーク５０のうちの１つ以上の無線ネットワーク５０を検出する。
【０２６９】
また、移動体通信端末１００−１は、上記１つ以上の無線ネットワークの各々の通信品質を測定し、測定結果として、上記通信品質を示す通信品質情報を生成する（Ｓ１２４５）。なお、例えば、移動体通信端末１００−１は、上記１つ以上の無線ネットワークの各々において使用されるチャネルを示す情報も生成する。
【０２７０】
その後、移動体通信端末１００−１は、ネットワーク選択処理を実行する（Ｓ１２５０）。即ち、移動体通信端末１００−１は、上記通信品質情報と、上記１つ以上の無線ネットワークの各々において使用されるチャネルの共用状況とに基づいて、上記１つ以上の無線ネットワーク５０のうちの１つの無線ネットワーク５０を選択する。
【０２７１】
（ネットワーク選択処理：Ｓ１２５０）
図１６は、第１の実施形態の変形例に係るネットワーク選択処理の概略的な流れの一例を示すフローチャートである。当該ネットワーク選択処理は、図１５に示されるステップＳ１２５０の処理に該当する。
【０２７２】
ネットワーク選択部１６５は、１つ以上の無線ネットワークの中から、まだ評価されていない１つの無線ネットワークを評価対象として選択する（Ｓ１２５１）。
【０２７３】
そして、ネットワーク選択部１６５は、評価対象の無線ネットワークについてのＲＳＳＩが−４０より大きければ（Ｓ１２５２：ＹＥＳ）、当該無線ネットワークの評価値に２を加える（Ｓ１２５３）。そうでなければ（Ｓ１２５２：ＮＯ）、ネットワーク選択部１６５は、上記無線ネットワークについてのＲＳＳＩが−６０より大きければ（Ｓ１２５４：ＹＥＳ）、当該無線ネットワークの評価値に１を加える（Ｓ１２５５）。そうでなければ（Ｓ１２５４：ＮＯ）、ネットワーク選択部１６５は、上記無線ネットワークの評価値に何も加えない（Ｓ１２５６）。
【０２７４】
また、ネットワーク選択部１６５は、評価対象の無線ネットワークにおいて使用されるチャネルが当該無線ネットワークと他の無線ネットワークにより共用されていれば（Ｓ１２５７：ＹＥＳ）、上記無線ネットワークの評価値に何も加えない（Ｓ１２５８）。上記チャネルが共用されていなければ（Ｓ１２５７：ＮＯ）、ネットワーク選択部１６５は、上記無線ネットワークの評価値に２を加える（Ｓ１２５９）。
【０２７５】
そして、ネットワーク選択部１６５は、上記１つ以上の無線ネットワークの全てが評価されていれば（Ｓ１２６０：ＹＥＳ）、上記１つ以上の無線ネットワークのうちの、最も高い評価値を伴う１つの無線ネットワークを選択する（Ｓ１２６１）。そして、処理は終了する。一方、そうでなければ（Ｓ１２６０：ＮＯ）、処理はステップＳ１２５１に戻る。
【０２７６】
＜＜４．第２の実施形態＞＞
続いて、図１７〜図１９を参照して、本開示の第２の実施形態を説明する。
【０２７７】
第２の実施形態によれば、無線通信端末２００−２が、無線通信端末２００−２が認証手続きを通じて接続可能な１つ以上の無線ネットワークのうちの１つの無線ネットワークを選択する。そして、無線通信端末２００−２は、選択される当該１つの無線ネットワークに接続される。
【０２７８】
＜４．１．無線通信端末の構成＞
まず、図１７を参照して、本開示の第２の実施形態に係る無線通信端末２００−２の構成の一例を説明する。図１７は、第２の実施形態に係る無線通信端末２００−２の構成の一例を示すブロック図である。図１７を参照すると、無線通信端末２００−２は、第１無線通信部２１０、アンテナ部２１１、第２無線通信部２２０、アンテナ部２２１、記憶部２３０及び制御部２４０を備える。
【０２７９】
（第１無線通信部２１０）
第１無線通信部２１０は、移動体通信ネットワーク３０における移動体通信とは異なる無線通信を行う。当該無線通信は、例えば、ＷＬＡＮ通信である。具体的には、例えば、当該ＷＬＡＮ通信は、ＩＥＥＥ８０２．１１ａ、１１ｂ、１１ｇ、１１ｎ、１１ａｃ及び１１ａｄなどのＷＬＡＮ規格のいずれかに従った通信である。
【０２８０】
例えば、第１無線通信部２１０は、アクセスポイント５１からの信号を受信し、アクセスポイント５１への信号を送信する。また、例えば、第１無線通信部２１０は、ダイレクト通信のケースでは、別の端末装置からの信号を受信し、別の端末装置への信号を送信する。当該別の端末装置は、例えば、移動体通信端末１００−２である。
【０２８１】
（アンテナ部２１１）
アンテナ部２１１は、第１無線通信部２１０により出力される信号を電波として空間に放射する。また、アンテナ部２１１は、空間の電波を信号に変換し、当該信号を第１無線通信部２１０へ出力する。
【０２８２】
（第２無線通信部２２０）
第２無線通信部２２０は、移動体通信とは異なる無線通信を行う。例えば、当該無線通信は、近距離無線通信であり、一例として、Ｂｌｕｅｔｏｏｔｈ通信（即ち、Ｂｌｕｅｔｏｏｔｈ規格に従った通信）である。例えば、第２無線通信部２２０は、別の端末装置からの信号を受信し、別の端末装置への信号を送信する。当該別の端末装置は、例えば、移動体通信端末１００−２である。
【０２８３】
（記憶部２３０）
記憶部２３０は、無線通信端末２００の動作のためのプログラム及びデータを一時的に又は恒久的に記憶する。
【０２８４】
（制御部２４０）
制御部２４０は、無線通信端末２００−２の様々な機能を提供する。制御部２４０は、第１情報取得部２４１、ネットワーク検出部２４２、第２情報取得部２４３、ネットワーク選択部２４４及び接続制御部２４５を備える。
【０２８５】
（第１情報取得部２４１）
−第３のネットワーク情報の取得
第１情報取得部２４１は、ネットワーク情報提供装置３００−２により移動体通信端末１００−２に提供される情報（以下、「第１のネットワーク情報」と呼ぶ）のうちの少なくとも一部の情報（以下、「第３のネットワーク情報」と呼ぶ）を取得する。当該第３のネットワーク情報は、移動体通信端末１００−２により無線通信端末２００−２に提供される情報である。
【０２８６】
−−第１のネットワーク情報
−−−内容
第２の実施形態における上記第１のネットワーク情報の内容は、上述した第１の実施形態における上記第１のネットワーク情報の内容と同一である。よって、ここでは重複する説明を省略する。なお、一例として、上記第１のネットワーク情報は、図６に示されるような情報である。
【０２８７】
−−−提供手法及び取得手法
第２の実施形態におけるネットワーク情報提供装置３００−２による上記第１のネットワーク情報の提供手法は、第１の実施形態におけるネットワーク情報提供装置３００−１による上記第１のネットワーク情報の提供手法と同一である。また、第２の実施形態における移動体通信端末１００−２による上記第１のネットワーク情報の取得手法は、第１の実施形態における移動体通信端末１００−１による上記第１のネットワーク情報の取得手法と同一である。よって、ここでは重複する説明を省略する。
【０２８８】
−−第３のネットワーク情報
上述したように、第３のネットワーク情報は、上記第１のネットワーク情報のうちの少なくとも一部の情報であり、移動体通信端末１００−２により無線通信端末２００−２に提供される。
【０２８９】
−−−内容
第２の実施形態において、例えば、上記第３のネットワーク情報は、上記第１のネットワーク情報と同じ情報である。即ち、上記第３のネットワーク情報は、上記移動体通信とは異なる上記無線通信用の少なくとも１つの無線ネットワークに関する情報である。また、上記第３のネットワーク情報に含まれる情報項目は、上記第１のネットワーク情報に含まれる情報項目と同一である。一例として、上記第３のネットワーク情報は、図６に示されるような情報である。
【０２９０】
なお、上記第３のネットワーク情報は、上記第１のネットワーク情報の一部の情報であってもよい。
【０２９１】
例えば、上記第１のネットワーク情報が、上記移動体通信とは異なる上記無線通信用の２つ以上の無線ネットワークに関する情報である場合には、上記第３のネットワーク情報は、当該２つ以上の無銭ネットワークのうちの一部の無線ネットワークに関する情報であってもよい。とりわけ、移動体通信端末１００−２と無線通信端末２００−２との間で認証のケイパビリティが異なる場合には、無線通信端末２００−２が認証手続きを通じて接続可能な無線ネットワークは、上記第１のネットワーク情報により示される上記少なくとも１つの無線ネットワークのうちの一部の無線ネットワークであり得る。このような場合に、上記第３のネットワーク情報は、上記第１のネットワーク情報のうちの、上記一部の無線ネットワーク（即ち、無線通信端末２００−２が認証手続きを通じて接続可能な無線ネットワーク）に関する情報であってもよい。
【０２９２】
また、例えば、上記第３のネットワーク情報に含まれる情報項目は、上記第１のネットワーク情報に含まれる情報項目のうちの一部の情報項目を含んでもよい。
【０２９３】
−−−取得手法
例えば、ネットワーク情報提供装置３００−２が、上記第１のネットワーク情報を移動体通信端末１００−２に提供する。すると、移動体通信端末１００−２は、上記第３のネットワーク情報を無線通信端末２００−２に提供する。そして、第１情報取得部２４１は、第１無線通信部２１０（又は第２無線通信部２２０）を介して、上記第３のネットワーク情報を取得する。その後、第１情報取得部２４１は、当該第３のネットワーク情報を記憶部２３０に記憶させる。
【０２９４】
−使用状況情報の取得
例えば、第１情報取得部２４１は、上記少なくとも１つの無線ネットワークの各々の使用状況を示す使用状況情報を取得する。
【０２９５】
−−使用状況情報の取得の手法
例えば、ネットワーク情報提供装置３００−２が、上記少なくとも１つの無線ネットワークの各々から上記使用状況情報を取得し、当該使用状況情報を移動体通信端末１００−２に提供する。すると、移動体通信端末１００−２は、上記使用状況情報を無線通信端末２００−２に提供する。そして、第１情報取得部２４１は、第１無線通信部２１０（又は第２無線通信部２２０）を介して、上記使用状況情報を取得する。その後、第１情報取得部２４１は、当該使用状況情報を記憶部２３０に記憶させる。なお、一例として、第１情報取得部２４１により取得される上記使用状況情報は、図７に示されるような情報である。
【０２９６】
−−使用状況情報に含まれる情報項目
第１情報取得部２４１により取得される上記使用状況情報に含まれる情報項目は、例えば、上述した第１の実施形態において第１情報取得部１６２により取得される使用状況情報に含まれる情報項目と同一である。よって、ここでは重複する説明を省略する。
【０２９７】
−配置状況情報の取得
例えば、第１情報取得部２４１は、上記少なくとも１つの無線ネットワークの各々のアクセスポイントの配置状況を示す配置状況情報を取得する。
【０２９８】
−−配置状況情報の取得の手法
例えば、ネットワーク情報提供装置３００−２が、上記少なくとも１つの無線ネットワークの各々から上記使用状況情報及び上記配置状況情報を取得し、当該使用状況情報及び当該配置状況情報を移動体通信端末１００−２に提供する。すると、移動体通信端末１００−２は、上記使用状況情報及び上記配置状況情報を無線通信端末２００−２に提供する。そして、第１情報取得部２４１は、第１無線通信部２１０（又は第２無線通信部２２０）を介して、上記使用状況情報とともに上記配置状況情報を取得する。その後、第１情報取得部２４１は、当該使用状況情報とともに上記配置状況情報を記憶部２３０に記憶させる。
【０２９９】
−−配置状況情報に含まれる情報項目
第１情報取得部２４１により取得される上記配置状況情報に含まれる情報項目は、例えば、上述した第１の実施形態において第１情報取得部１６２により取得される配置状況情報に含まれる情報項目と同一である。よって、ここでは重複する説明を省略する。なお、一例として、第１情報取得部２４１により取得される上記配置状況情報は、図８に示されるような情報である。
【０３００】
−認証用情報の取得
例えば、移動体通信端末１００−２は、移動体通信端末１００−２のＳＩＭにより提供される認証用情報を、無線通信端末２００−２に提供する。そして、第１情報取得部２４１は、移動体通信端末１００−２により提供される上記認証用情報を取得する。
【０３０１】
（ネットワーク検出部２４２）
ネットワーク検出部２４２は、上記無線通信用の無線ネットワークを検出する。
【０３０２】
例えば、ネットワーク検出部２４２は、上記無線通信用の無線ネットワーク（例えば、ＷＬＡＮ）のためのチャネルにおけるスキャンを行うことにより、上記無線ネットワーク（例えば、ＷＬＡＮ）を検出する。
【０３０３】
−第３のネットワーク情報に基づく検出
例えば、ネットワーク検出部２４２は、上記第３のネットワーク情報に基づいて、上記無線通信用の無線ネットワークを検出する。
【０３０４】
具体的には、例えば、ネットワーク検出部２４２は、上記第３のネットワーク情報により示される上記少なくとも１つの無線ネットワークについてのスキャンを行い、上記少なくとも１つの無線ネットワークのうちの１つ以上の無線ネットワークを検出する。一例として、第３のネットワーク情報が、例えば図６に示されるような３つの無線ネットワークに関する情報である場合に、ネットワーク検出部２４２は、当該３つの無線ネットワークについてのスキャンを行う。その結果、例えば、ネットワーク検出部２４２は、当該３つの無線ネットワークの全てを検出する。
【０３０５】
また、例えば、上記第３のネットワーク情報は、上記少なくとも１つの無線ネットワークの各々のためのチャネルを示す情報を含む。この場合に、ネットワーク検出部２４２は、当該チャネルを示す情報に基づいて、上記スキャンを行う。これにより、無線ネットワークをより素早く検出することが可能になる。
【０３０６】
（第２情報取得部２４３）
−状態情報の取得
第２情報取得部２４３は、移動体通信ネットワーク３０における移動体通信とは異なる無線通信用の１つ以上の無線ネットワークの各々の状態を示す状態情報を取得する。
【０３０７】
例えば、上記状態情報は、上記１つ以上の無線ネットワークの各々の使用状況を示す使用状況情報を含む。
【０３０８】
−−１つ以上の無線ネットワーク
上記１つ以上の無線ネットワークの特徴は、第１の実施形態において第２情報取得部１６４により取得される状態情報に関連して説明した上記１つ以上の無線ネットワークの特徴と同一である。
【０３０９】
即ち、上記１つ以上の無線ネットワークの各々は、無線通信端末２００−２が認証手続きを通じて接続可能な上記無線通信用の無線ネットワークである。また、例えば、上記１つ以上の無線ネットワークの各々は、移動体通信端末１００−２又は無線通信端末２００−２の位置に対応する通信エリアを有する無線ネットワークである。また、例えば、上記１つ以上の無線ネットワークの各々は、時間に対応する利用可能時間を有する無線ネットワークである。また、例えば、上記１つ以上の無線ネットワークの各々は、ＷＬＡＮであり、上記移動体通信とは異なる上記無線通信は、例えば、ＷＬＡＮ通信である。なお、ここでは重複する説明を省略する。
【０３１０】
−−使用状況情報に含まれる情報項目
第２情報取得部２４３により取得される上記使用状況情報に含まれる情報項目は、例えば、上述した第１の実施形態において第２情報取得部１６４により取得される使用状況情報に含まれる情報項目と同一である。
【０３１１】
第１の例として、上記使用状況情報は、上記１つ以上の無線ネットワークの各々に接続される装置の数に関する情報を含む。第２の例として、上記使用状況情報は、上記１つ以上の無線ネットワークの各々におけるトラフィックに関する情報を含む。なお、ここでは重複する説明を省略する。
【０３１２】
−−使用状況情報の取得の手法
第２情報取得部２４３により取得される上記使用状況情報は、移動体通信ネットワーク３０を介して移動体通信端末１００−２に提供される情報の少なくとも一部の情報であって、移動体通信端末１００−２により無線通信端末２００−２に提供される情報に含まれる。
【０３１３】
例えば、上述したように、第１情報取得部２４１は、第３のネットワーク情報により示される少なくとも１つの無線ネットワークの各々の使用状況を示す使用状況情報を取得し、記憶部２３０に記憶させる。一方、第２情報取得部２４３は、第１情報取得部２４１により取得される当該使用状況情報のうちの少なくとも一部の情報を記憶部２３０から取得する。
【０３１４】
より具体的には、例えば、第２情報取得部２４３は、上記第３のネットワーク情報により示される上記少なくとも１つの無線ネットワークのうちのネットワーク検出部２４２により検出される１つ以上の無線ネットワークの各々の使用状況を示す使用状況情報を取得する。
【０３１５】
具体的な情報の例として、上述したように、図６に示される情報が上記第３のネットワーク情報として提供される場合に、図６に示される３つのＷＬＡＮの全てが、ネットワーク検出部２４２により検出される。この場合に、例えば、第２情報取得部２４３は、図７に示されるような使用状況情報を取得する。当然ながら、図６に示される３つのＷＬＡＮのうちの２つ以下のＷＬＡＮが、ネットワーク検出部２４２により検出されてもよい。この場合に、第２情報取得部２４３は、図７に示される使用状況情報のうちの、上記２つ以下のＷＬＡＮについての使用状況情報を取得してもよい。
【０３１６】
なお、第２情報取得部２４３により取得される上記使用状況情報は、第１情報取得部２４１により取得される上記使用状況情報のうちの一部の情報項目のみを含んでもよい。
【０３１７】
−−その他
なお、上記１つ以上の無線ネットワークに関する情報は、ネットワーク情報提供装置３００−２により移動体通信端末１００−２に提供される情報のうちの少なくとも一部の情報であって、移動体通信端末１００−２により無線通信端末２００−２に提供される上記情報に含まれる。
【０３１８】
より具体的には、例えば、上述したように、当該１つ以上の無線ネットワークは、第３のネットワーク情報により示される上記少なくとも１つの無線ネットワークに含まれ、上記１つ以上の無線ネットワークに関する情報は、上記第３のネットワーク情報に含まれる。即ち、上記１つ以上の無線ネットワークに関する情報は、移動体通信端末１００−２により無線通信端末２００−２に提供される第３のネットワークに含まれる。
【０３１９】
このように、無線通信端末２００−２は、上記１つ以上の無線ネットワークを知ることが可能である。
【０３２０】
−配置状況情報の取得
例えば、第２情報取得部２４３は、上記１つ以上の無線ネットワークの各々のアクセスポイントの配置状況を示す配置状況情報を取得する。
【０３２１】
−−配置状況情報に含まれる情報項目
第２情報取得部２４３により取得される上記配置状況情報に含まれる情報項目は、例えば、上述した第１の実施形態において第２情報取得部１６４により取得される配置状況情報に含まれる情報項目と同一である。よって、ここでは重複する説明を省略する。
【０３２２】
−−配置状況情報の取得の手法
第２情報取得部２４３は、例えば、上記使用状況情報と同様に、上記配置状況情報を取得する。
【０３２３】
例えば、上述したように、第１情報取得部２４１は、第３のネットワーク情報により示される少なくとも１つの無線ネットワークのアクセスポイントの配置状況を示す配置状況情報を取得し、記憶部２３０に記憶させる。一方、第２情報取得部２４３は、第１情報取得部２４１により取得される上記配置状況情報のうちの少なくとも一部の情報を記憶部２３０から取得する。
【０３２４】
より具体的には、例えば、ネットワーク検出部２４２は、上記第３のネットワーク情報により示される上記少なくとも１つの無線ネットワークのうちの１つ以上の無線ネットワークを検出する。そして、第２情報取得部２４３は、検出される上記１つ以上の無線ネットワークの各々のアクセスポイントの配置状況を示す配置状況情報を取得する。
【０３２５】
具体的な情報の例として、上述したように、図６に示される情報が上記第３のネットワーク情報として提供される場合に、図６に示される３つのＷＬＡＮの全てが、ネットワーク検出部２４２により検出される。この場合に、例えば、第２情報取得部２４３は、図８に示されるような配置状況情報を取得する。当然ながら、図６に示される３つのＷＬＡＮのうちの２つ以下のＷＬＡＮが、ネットワーク検出部２４２により検出されてもよい。この場合に、第２情報取得部２４３は、図８に示される配置状況情報のうちの、上記２つ以下のＷＬＡＮについての配置状況情報を取得してもよい。
【０３２６】
（ネットワーク選択部２４４）
ネットワーク選択部２４４は、上記１つ以上の無線ネットワークの各々の状態を示す上記状態情報に基づいて、上記１つ以上の無線ネットワークのうちの１つの無線ネットワークを選択する。
【０３２７】
上述したように、例えば、上記１つ以上の無線ネットワークの各々の状態を示す上記状態情報は、上記１つ以上の無線ネットワークの各々の使用状況を示す使用状況情報を含む。即ち、ネットワーク選択部２４４は、上記１つ以上の無線ネットワークの各々の使用状況を示す使用状況情報に基づいて、上記１つ以上の無線ネットワークのうちの１つの無線ネットワークを選択する。これにより、より良好な通信品質を伴う無線ネットワークを選択することが可能になり得る。
【０３２８】
さらに、例えば、ネットワーク選択部２４４は、上記１つ以上の無線ネットワークの各々のアクセスポイントの配置状況を示す上記配置状況情報にさらに基づいて、上記１つの無線ネットワークを選択する。これにより、例えば、より良好な通信品質を伴う無線ネットワークをより高い精度で選択することが可能になり得る。
【０３２９】
−具体的な選択手法
例えば、ネットワーク選択部２４４による具体的な選択手法は、例えば、第１の実施形態におけるネットワーク選択部１６５による具体的な選択手法と同一である。よって、ここでは重複する説明を省略する。
【０３３０】
（接続制御部２４５）
接続制御部２４５は、上記認証手続きを通じて、選択される上記１つの無線ネットワークに無線通信端末２００−２を接続させる。
【０３３１】
具体的な処理として、例えば、接続制御部２４５は、上記認証手続きを行う。上述したように、例えば、上記認証手続きは、移動体通信端末１００−２のＳＩＭにより提供される認証用情報を用いる認証手続き（即ち、ＳＩＭ認証手続き）を含む。この場合に、接続制御部２４５は、移動体通信端末１００−２により提供される上記認証用情報（ＳＩＭにより提供される認証用情報）を用いて、上記認証手続きを行う。そして、認証手続きにおいて認証が成功すると、無線通信端末２００−２は、選択される上記１つの無線ネットワークに接続される。
【０３３２】
一例として、上記認証手続きは、ＥＡＰ−ＡＫＡに基づく認証の手続きである。なお、上記認証手続きは、別の認証手続きであってもよい。例えば、上記認証手続きは、ＥＡＰ−ＡＫＡ’に基づく認証の手続きであってもよく、又はＥＡＰ−ＳＩＭ基づく認証の手続きであってもよい。
【０３３３】
このように、選択される上記１つの無線ネットワークに、無線通信端末２００−２が接続される。これにより、例えば、無線通信端末２００−２が、より望ましい無線ネットワークを介した通信に通信を速やかに切替えることが、可能になる。
【０３３４】
第１に、選択される上記１つの無線ネットワークは、無線通信端末２００−２が認証手続きを通じて接続可能な無線ネットワークの１つであるので、無線通信端末２００−２は、テザリングによる通信から、選択される上記１つの無線ネットワーク（例えば、ＷＬＡＮ）を介した通信へ速やかに通信を切り替えることが可能になる。
【０３３５】
より具体的には、例えば、一般的に、ＡＮＤＳＦを有する装置は、移動体通信を行う装置に無線ネットワークに関する情報を提供するが、移動体通信を行わない装置には当該情報を提供しない。一方、本開示の実施形態では、上述したように、例えば、移動体通信端末１００−２が、ＡＮＤＳＦを有する装置（ネットワーク情報提供装置３００−２）から、無線通信端末２００−２が認証手続きを通じて接続可能な無線ネットワークに関する情報を取得し、当該無線ネットワークに関する情報を無線通信端末２００−２に提供する。そのため、ＡＮＤＳＦを有する装置から情報を直接的に提供されない無線通信端末２００−２であっても、認証手続きを通じて接続可能な無線ネットワークに速やかに接続することが可能になる。
【０３３６】
第２に、無線通信端末２００−２は、無線通信端末２００−２が認証手続きを通じて接続可能な１つ以上の無線ネットワークの中から状態情報に基づいて選択される１つの無線ネットワークに接続される。そのため、例えば、無線通信端末２００−２は、認証手続きを通じて接続可能なより望ましい無線ネットワーク（例えば、より良好な通信品質を伴う無線ネットワーク）に接続され得る。即ち、無線通信端末２００−２は、テザリングによる通信から、上記より望ましい無線ネットワークを介した通信へ速やかに通信を切り替え得る。
【０３３７】
なお、テザリングによる通信が行われている場合には、無線通信端末２００−２は移動体通信端末１００−２から情報を取得することができる。そのため、選択される上記１つの無線ネットワークへの無線通信端末２００−２の接続は、とりわけ、テザリングへの通信から、無線ネットワーク（例えば、ＷＬＡＮ）を介した通信への切替えに適している。
【０３３８】
また、ＳＩＭ認証手続きの利用により、例えば、移動体通信ネットワーク３０での移動体通信を行わない無線通信端末２００−２による無線ネットワーク（ＷＬＡＮ）への接続にあたり、無線通信端末２００−２のユーザにとっての手間を省くことが可能になる。例えば、パスワードの入力の手間などを省くことが可能になる。そのため、速やかに通信を切り替えることが可能になり得る。なお、電子証明書を用いた認証手続きの利用によっても、ＳＩＭ認証手続きの利用のケースと同様に、ユーザにとっての手間を省くことが可能になり得る。
【０３３９】
＜４．２．処理の流れ＞
次に、図１８を参照して、第２の実施形態に係る通信制御処理の例を説明する。
【０３４０】
（全体の処理の流れ）
図１８は、第２の実施形態に係る通信制御処理全体の概略的な流れの一例を示すシーケンス図である。
【０３４１】
前提として、例えば、移動体通信端末１００−２及び無線通信端末２００−２は、第１の無線通信（例えば、ＷＬＡＮ通信（ダイレクト通信））で互いに接続されている。また、移動体通信端末１００−２は、移動体通信ネットワーク３０に接続されている。そして、無線通信端末２００−２は、移動体通信端末１００−２のテザリング機能を利用して、テザリングによる通信を行っている。
【０３４２】
まず、移動体通信端末１００−２は、１つ以上の所定のイベントのいずれかの発生に応じて、ネットワーク情報要求メッセージを、移動体通信ネットワーク３０に含まれるネットワーク情報提供装置３００−２へ送信する（Ｓ１３１０）。当該ネットワーク情報要求メッセージには、無線ネットワークを特定するための情報（例えば、ネットワークタイプ情報、位置関連情報及び時間情報など）が含まれる。
【０３４３】
そして、ネットワーク情報提供装置３００−２は、上記ネットワーク情報要求メッセージを受信すると、無線ネットワークを検索する（Ｓ１３２０）。例えば、ネットワーク情報提供装置３００−２は、無線ネットワークを特定するための上記情報（例えば、ネットワークタイプ情報、位置関連情報及び時間情報など）に対応する無線ネットワークを検索する。そして、例えば、検索結果には、少なくとも１つの無線ネットワーク５０が含まれる。
【０３４４】
また、ネットワーク情報提供装置３００−２は、上記少なくとも１つの無線ネットワーク５０の各々に情報の提供を要求する（Ｓ１３３０）。すると、上記少なくとも１つの無線ネットワーク５０の各々は、自らの使用状況を示す使用状況情報と、自らのアクセスポイントの配置状況を示す配置状況情報とを、ネットワーク情報提供装置３００−２に提供する（Ｓ１３３５）。そして、ネットワーク情報提供装置３００−２は、上記少なくとも１つの無線ネットワーク５０の各々の使用状況を示す使用状況情報と、上記少なくとも１つの無線ネットワーク５０の各々のアクセスポイントの配置状況を示す配置状況情報とを取得する。なお、図１８には、１つの無線ネットワーク５０のみが示されているが、２つ以上の無線ネットワーク５０が存在し得る。
【０３４５】
その後、ネットワーク情報提供装置３００−２は、上記少なくとも１つの無線ネットワーク５０に関する情報（即ち、第１のネットワーク情報）、上記使用状況情報及び上記配置状況情報を、移動体通信端末１００−２に提供する（Ｓ１３４０）。すると、移動体通信端末１００−２は、上記第１のネットワーク情報、上記使用状況情報及び上記配置状況情報を受信し、取得する。
【０３４６】
そして、移動体通信端末１００−２は、第３のネットワーク情報、上記使用状況情報及び上記配置状況情報を含む切替え指示メッセージを無線通信端末２００−２へ送信する（Ｓ１３５０）。すると、無線通信端末２００−２は、上記切替え指示メッセージを受信し、上記第３のネットワーク情報、上記使用状況情報及び上記配置状況情報を取得する。なお、上記第３のネットワーク情報は、例えば、上記第１のネットワーク情報と同じ情報である。
【０３４７】
その後、無線通信端末２００−２は、上記第３のネットワーク情報に基づいて、１つ以上の無線ネットワーク５０を検出する（Ｓ１３６０）。具体的には、例えば、無線通信端末２００−２は、上記第３のネットワーク情報により示される上記少なくとも１つの無線ネットワーク５０についてのスキャンを行う。その結果、無線通信端末２００−２は、上記少なくとも１つの無線ネットワーク５０のうちの１つ以上の無線ネットワーク５０を検出する。
【０３４８】
そして、無線通信端末２００−２は、ネットワーク選択処理を実行する（Ｓ１３７０）。即ち、無線通信端末２００−２は、検出された上記１つ以上の無線ネットワーク５０の使用状況を示す使用状況情報と、検出された上記１つ以上の無線ネットワーク５０のアクセスポイントの配置状況を示す配置状況情報を取得する。そして、無線通信端末２００−２は、当該使用状況情報及び上記配置状況情報に基づいて、上記１つ以上の無線ネットワーク５０のうちの１つの無線ネットワーク５０を選択する。
【０３４９】
その後、移動体通信端末１００−２及び無線通信端末２００−２は、第１の無線通信（ＷＬＡＮ通信（ダイレクト通信））での接続から第２の無線通信（Ｂｌｕｅｔｏｏｔｈ通信）での接続への切替えのための接続切替え処理を行う（Ｓ１３９０）。その結果、移動体通信端末１００−２及び無線通信端末２００−２は、第２の無線通信（Ｂｌｕｅｔｏｏｔｈ通信）で互いに接続される。
【０３５０】
さらに、無線通信端末２００−２は、選択された上記１つの無線ネットワーク５０への接続のための接続処理を行う（Ｓ１４００）。その結果、無線通信端末２００−２は、上記１つの無線ネットワーク５０に接続される。
【０３５１】
（ネットワーク選択処理：Ｓ１３７０）
第２の実施形態において無線通信端末２００−２により実行されるネットワーク選択処理（Ｓ１３７０）の流れは、例えば、第１の実施形態において移動体通信端末１００−１により実行されるネットワーク選択処理の流れ（即ち、図１０を参照して説明した流れ）と同一である。よって、ここでは重複する説明を省略する。
【０３５２】
（接続切替え処理：Ｓ１３９０）
第２の実施形態において移動体通信端末１００−２及び無線通信端末２００−２により実行される接続切替え処理（Ｓ１３９０）の流れは、例えば、第１の実施形態において移動体通信端末１００−１及び無線通信端末２００−１により実行される接続切替え処理の流れ（即ち、図１１を参照して説明した流れ）と同一である。よって、ここでは重複する説明を省略する。
【０３５３】
（無線ネットワークへの接続処理：Ｓ１４００）
第２の実施形態における接続処理（Ｓ１４００）の流れは、例えば、無線ネットワークの検出（Ｓ１１１０）を含まないという点を除き、第１の実施形態における接続処理の流れ（即ち、図１２Ａ及び図１２Ｂを参照して説明した流れ）と同一である。よって、ここでは重複する説明を省略する。
【０３５４】
＜４．３．変形例＞
次に、図１９を参照して、第２の実施形態の変形例を説明する。
【０３５５】
上述した第２の実施形態によれば、例えば、無線通信端末２００−２は、１つ以上の無線ネットワークの各々の状態を示す状態情報として、当該１つ以上の無線ネットワークの各々の使用状況を示す使用状況情報を取得する。そして、無線通信端末２００−２は、当該使用状況情報に基づいて、上記１つ以上の無線ネットワークのうちの１つの無線ネットワークを選択する。
【０３５６】
一方、第２の実施形態の変形例によれば、無線通信端末２００−２は、１つ以上の無線ネットワークの各々の状態を示す状態情報として、当該１つ以上の無線ネットワークの各々の測定された通信品質を示す通信品質情報を取得する。そして、無線通信端末２００−２は、当該通信品質情報に基づいて、上記１つ以上の無線ネットワークのうちの１つの無線ネットワークを選択する。
【０３５７】
なお、ここでは、第２の実施形態の上述した例と第２の実施形態の変形例との相違点のみを説明する。
【０３５８】
（無線通信端末２００−２：第１情報取得部２４１）
第２の実施形態の変形例では、第１情報取得部２４１は、例えば、使用状況情報及び配置状況情報を取得しない。
【０３５９】
（無線通信端末２００−２：ネットワーク検出部２４２）
−通信品質の測定
第２の実施形態の変形例では、例えば、ネットワーク検出部２４２は、上記第３のネットワーク情報に基づいて上記無線通信用の無線ネットワークを検出する際に、検出される無線ネットワークの通信品質を測定する。
【０３６０】
例えば、ネットワーク検出部２４２は、上記１つ以上の無線ネットワークを検出する場合に、上記１つ以上の無線ネットワークの各々の通信品質を測定する。そして、ネットワーク検出部２４２は、測定結果として、上記通信品質を示す通信品質情報を生成する。
【０３６１】
一例として、ネットワーク検出部２４２は、上記通信品質として、受信信号の強度を測定し、測定された当該強度を示す情報を含む通信品質情報を生成する。一例として、受信信号の強度を示す上記情報は、ＲＳＳＩである。
【０３６２】
（無線通信端末２００−２：第２情報取得部２４３）
−状態情報の取得
上述したように、第２情報取得部２４３は、移動体通信ネットワーク３０における移動体通信とは異なる無線通信用の１つ以上の無線ネットワークの各々の状態を示す状態情報を取得する。
【０３６３】
とりわけ第２の実施形態の変形例では、上記状態情報は、上記１つ以上の無線ネットワークの各々の測定された通信品質を示す通信品質情報を含む。
【０３６４】
−−通信品質情報に含まれる情報項目
第２情報取得部２４３により取得される上記通信品質情報に含まれる情報項目は、例えば、上述した第１の実施形態において第２情報取得部１６４により取得される通信品質情報に含まれる情報項目と同一である。よって、ここでは重複する説明を省略する。なお、一例として、第２情報取得部２４３により取得される上記通信品質情報は、図１３に示されるような情報である。
【０３６５】
−−通信品質情報の取得の手法
上記通信品質情報は、移動体通信端末１００−２又は無線通信端末２００−２による通信品質の測定を通じて生成される情報である。これにより、例えば、ネットワーク側からの提供される情報が少なくなり、移動体通信ネットワーク３０において無線リソースが節約され得る。
【０３６６】
例えば、上述したように、ネットワーク検出部２４２は、上記１つ以上の無線ネットワークを検出する場合に、上記１つ以上の無線ネットワークの各々の通信品質を測定する。そして、ネットワーク検出部２４２は、測定結果として、上記通信品質を示す通信品質情報を生成する。そして、第２情報取得部２４３は、当該通信品質情報を取得する。
【０３６７】
具体的な情報の例として、例えば、図６に示される情報が上記第３のネットワーク情報として提供される場合に、図６に示される３つのＷＬＡＮの全てが、ネットワーク検出部２４２により検出される。そして、図１３に示されるような通信品質情報が、ネットワーク検出部２４２により生成され、第２情報取得部２４３により取得される。
【０３６８】
−チャネル情報の取得
例えば、第２情報取得部２４３は、上記１つ以上の無線ネットワークの各々において使用されるチャネルを示す情報を取得する。一例として、第２情報取得部２４３は、上記情報として図１４に示されるような情報を取得する。このような情報により、例えば、無線ネットワークの各々において使用されるチャネルの共用状況を知ることが可能になる。
【０３６９】
なお、例えば、上記１つ以上の無線ネットワークの各々において使用されるチャネルを示す上記情報は、ネットワーク検出部２４２による検出に応じて生成され、第２情報取得部２４３は、生成される当該情報を取得する。あるいは、上記１つ以上の無線ネットワークの各々において使用されるチャネルを示す上記情報は、上記第３のネットワーク情報の中に含まれる情報であってもよい。この場合に、第２情報取得部２４３は、上記第３のネットワーク情報に含まれる上記情報を取得してもよい。
【０３７０】
（無線通信端末２００−２：ネットワーク選択部２４４）
上述したように、ネットワーク選択部２４４は、上記１つ以上の無線ネットワークの各々の状態を示す上記状態情報に基づいて、上記１つ以上の無線ネットワークのうちの１つの無線ネットワークを選択する。
【０３７１】
上述したように、とりわけ第２の実施形態の変形例では、上記１つ以上の無線ネットワークの各々の状態を示す上記状態情報は、上記１つ以上の無線ネットワークの各々の測定された通信品質を示す通信品質情報を含む。即ち、ネットワーク選択部２４４は、上記１つ以上の無線ネットワークの各々の測定された通信品質を示す通信品質情報に基づいて、上記１つ以上の無線ネットワークのうちの１つの無線ネットワークを選択する。これにより、より良好な通信品質を伴う無線ネットワークを選択することが可能になり得る。
【０３７２】
さらに、例えば、ネットワーク選択部２４４は、上記１つ以上の無線ネットワークの各々において使用されるチャネルの共用状況にさらに基づいて、上記１つの無線ネットワークを選択する。これにより、例えば、無線ネットワークにおける干渉又は混信の可能性を考慮することが可能であり、より良好な通信品質を伴う無線ネットワークをより高い精度で選択することが可能になり得る。
【０３７３】
−具体的な選択手法
例えば、第２の実施形態の変形例におけるネットワーク選択部２４４による具体的な選択手法は、例えば、第１の実施形態の変形例におけるネットワーク選択部１６５による具体的な選択手法と同一である。よって、ここでは重複する説明を省略する。
【０３７４】
（処理の流れ：全体の処理の流れ）
図１９は、第２の実施形態の変形例に係る通信制御処理全体の概略的な流れの一例を示すシーケンス図である。
【０３７５】
なお、図１９に示される第１の実施形態の変形例に係る通信制御処理のうちの、ステップＳ１５１０、Ｓ１５２０、Ｓ１５７０及びＳ１５８０は、図１８を参照して説明した第２の実施形態に係る通信制御処理のうちの、ステップＳ１３１０、Ｓ１３２０、Ｓ１３９０、Ｓ１４００と同一である。よって、ここでは、ステップＳ１５３０、Ｓ１５４０、Ｓ１５５０、Ｓ１５５５及びＳ１５６０のみを説明する。
【０３７６】
ネットワーク情報提供装置３００−２は、検索結果に含まれる少なくとも１つの無線ネットワーク５０に関する情報（即ち、第１のネットワーク情報）を移動体通信端末１００−２に提供する（Ｓ１５３０）。すると、移動体通信端末１００−２は、上記第１のネットワーク情報を受信し、取得する。
【０３７７】
そして、移動体通信端末１００−２は、第３のネットワーク情報を含む切替え指示メッセージを無線通信端末２００−２へ送信する（Ｓ１５４０）。すると、無線通信端末２００−２は、上記切替え指示メッセージを受信し、上記第３のネットワーク情報を取得する。なお、上記第３のネットワーク情報は、例えば、上記第１のネットワーク情報と同じ情報である。
【０３７８】
そして、無線通信端末２００−２は、上記第３のネットワーク情報に基づいて、１つ以上の無線ネットワーク５０を検出する（Ｓ１５５０）。具体的には、例えば、無線通信端末２００−２は、上記第３のネットワーク情報により示される上記少なくとも１つの無線ネットワーク５０についてのスキャンを行う。その結果、無線通信端末２００−２は、上記少なくとも１つの無線ネットワーク５０のうちの１つ以上の無線ネットワーク５０を検出する。
【０３７９】
また、無線通信端末２００−２は、上記１つ以上の無線ネットワークの各々の通信品質を測定し、測定結果として、上記通信品質を示す通信品質情報を生成する（Ｓ１５５５）。なお、例えば、無線通信端末２００−２は、上記１つ以上の無線ネットワークの各々において使用されるチャネルを示す情報も生成する。
【０３８０】
その後、無線通信端末２００−２は、ネットワーク選択処理を実行する（Ｓ１５６０）。即ち、無線通信端末２００−２は、上記通信品質情報と、上記１つ以上の無線ネットワークの各々において使用されるチャネルの共用状況とに基づいて、上記１つ以上の無線ネットワーク５０のうちの１つの無線ネットワーク５０を選択する。
【０３８１】
（ネットワーク選択処理：Ｓ１５６０）
第２の実施形態の変形例において無線通信端末２００−２により実行されるネットワーク選択処理（Ｓ１５６０）の流れは、例えば、第１の実施形態の変形例において移動体通信端末１００−１により実行されるネットワーク選択処理の流れ（即ち、図１６を参照して説明した流れ）と同一である。よって、ここでは重複する説明を省略する。
【０３８２】
＜＜５．応用例＞＞
本開示に係る技術は、様々な製品へ応用可能である。例えば、移動体通信端末１００は、スマートフォン、タブレットＰＣ（Personal  Computer）若しくは携帯型／ドングル型のモバイルルータなどのモバイル端末、又はカーナビゲーション装置などの車載端末として実現されてもよい。また、移動体通信端末１００は、Ｍ２Ｍ（Machine  To  Machine）通信を行う端末（ＭＴＣ（Machine  Type  Communication）端末ともいう）として実現されてもよい。さらに、移動体通信端末１００は、これら端末に搭載される無線通信モジュール（例えば、１つのダイで構成される集積回路モジュール）であってもよい。
【０３８３】
また、例えば、無線通信端末２００は、タブレットＰＣ、ノートＰＣ、携帯型ゲーム端末若しくはデジタルカメラなどのモバイル端末、テレビジョン受像機、プリンタ、デジタルスキャナ若しくはネットワークストレージなどの固定端末、又はカーナビゲーション装置などの車載端末として実現されてもよい。また、無線通信端末２００は、スマートメータ、自動販売機、遠隔監視装置又はＰＯＳ（Point  Of  Sale）端末などの、Ｍ２Ｍ通信を行う端末（ＭＴＣ端末ともいう）として実現されてもよい。さらに、無線通信端末２００は、これら端末に搭載される無線通信モジュール（例えば、１つのダイで構成される集積回路モジュール）であってもよい。
【０３８４】
＜５．１．移動体通信端末に関する応用例＞
まず、本開示の実施形態に係る移動体通信端末１００に関する第１の応用例（スマートフォン７００）及び第２の応用例（カーナビゲーション装置７３０及び車載システム７６０）を説明する。
【０３８５】
（第１の応用例）
図２０は、本開示に係る技術が適用され得るスマートフォン７００の概略的な構成の一例を示すブロック図である。スマートフォン７００は、プロセッサ７０１、メモリ７０２、ストレージ７０３、外部接続インタフェース７０４、カメラ７０５、センサ７０６、マイクロフォン７０７、入力デバイス７０８、表示デバイス７０９、スピーカ７１０、移動体通信インタフェース７１１、アンテナスイッチ７１２、アンテナ７１３、ＷＬＡＮ通信インタフェース７１４、アンテナスイッチ７１５、アンテナ７１６、Ｂｌｕｅｔｏｏｔｈ通信インタフェース７１７、アンテナスイッチ７１８、アンテナ７１９、バス７２０、バッテリー７２１及び補助コントローラ７２２を備える。
【０３８６】
プロセッサ７０１は、例えばＣＰＵ又はＳｏＣ（System  on  Chip）であってよく、スマートフォン７００のアプリケーションレイヤ及びその他のレイヤの機能を制御する。メモリ７０２は、ＲＡＭ及びＲＯＭを含み、プロセッサ７０１により実行されるプログラム及びデータを記憶する。ストレージ７０３は、半導体メモリ又はハードディスクなどの記憶媒体を含み得る。外部接続インタフェース７０４は、メモリーカード又はＵＳＢ（Universal  Serial  Bus）デバイスなどの外付けデバイスをスマートフォン７００へ接続するためのインタフェースである。
【０３８７】
カメラ７０５は、例えば、ＣＣＤ（Charge  Coupled  Device）又はＣＭＯＳ（Complementary  Metal  Oxide  Semiconductor）などの撮像素子を有し、撮像画像を生成する。センサ７０６は、例えば、測位センサ、ジャイロセンサ、地磁気センサ及び加速度センサなどのセンサ群を含み得る。マイクロフォン７０７は、スマートフォン７００へ入力される音声を音声信号へ変換する。入力デバイス７０８は、例えば、表示デバイス７０９の画面上へのタッチを検出するタッチセンサ、キーパッド、キーボード、ボタン又はスイッチなどを含み、ユーザからの操作又は情報入力を受け付ける。表示デバイス７０９は、液晶ディスプレイ（ＬＣＤ）又は有機発光ダイオード（ＯＬＥＤ）ディスプレイなどの画面を有し、スマートフォン７００の出力画像を表示する。スピーカ７１０は、スマートフォン７００から出力される音声信号を音声に変換する。
【０３８８】
移動体通信インタフェース７１１は、ＬＴＥ又はＬＴＥ−Ａｄｖａｎｃｅｄなどのいずれかのセルラー通信方式をサポートし、無線通信を実行する。移動体通信インタフェース７１１は、典型的には、ベースバンド（ＢＢ）プロセッサ及びＲＦ（Radio  Frequency）回路などを含み得る。ＢＢプロセッサは、例えば、符号化／復号、変調／復調及び多重化／逆多重化などを行なってよく、無線通信のための様々な信号処理を実行する。一方、ＲＦ回路は、ミキサ、フィルタ及びアンプなどを含んでもよく、アンテナ７１３を介して無線信号を送受信する。移動体通信インタフェース７１１は、ＢＢプロセッサ及びＲＦ回路を集積したワンチップのモジュールであってもよい。移動体通信インタフェース７１１は、単一のＢＢプロセッサを含んでもよく、又は複数のＢＢプロセッサを含んでもよい。また、移動体通信インタフェース７１１は、単一のＲＦ回路を含んでもよく、又は複数のＲＦ回路を含んでもよい。アンテナスイッチ７１２は、移動体通信インタフェース７１１に含まれる複数の回路の間でアンテナ７１３の接続先を切り替える。アンテナ７１３は、単一の又は複数のアンテナ素子（例えば、ＭＩＭＯ（Multiple-Input  and  Multiple-Output）アンテナを構成する複数のアンテナ素子）を有し、移動体通信インタフェース７１１による無線信号の送受信のために使用される。
【０３８９】
ＷＬＡＮ通信インタフェース７１４は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース７１４は、インフラストラクチャーモードにおいては、他の装置とＷＬＡＮアクセスポイントを介して通信し得る。また、ＷＬＡＮ通信インタフェース７１４は、アドホックモードにおいては、他の装置と直接的に通信し得る。ＷＬＡＮ通信インタフェース７１４は、典型的には、ＢＢプロセッサ及びＲＦ回路などを含み得る。ＷＬＡＮ通信インタフェース７１４は、通信制御プログラムを記憶するメモリ、当該プログラムを実行するプロセッサ及び関連する回路を集積したワンチップのモジュールであってもよい。アンテナスイッチ７１５は、ＷＬＡＮ通信インタフェース７１４に含まれる複数の回路の間でアンテナ７１６の接続先を切り替える。アンテナ７１６は、単一の又は複数のアンテナ素子（例えば、ＭＩＭＯアンテナを構成する複数のアンテナ素子）を有し、ＷＬＡＮ通信インタフェース７１４による無線信号の送信及び受信のために使用される。
【０３９０】
Ｂｌｕｅｔｏｏｔｈ通信インタフェース７１７は、Ｂｌｕｅｔｏｏｔｈ規格のうちの１つ以上をサポートし、無線通信を実行する。Ｂｌｕｅｔｏｏｔｈ通信インタフェース７１７は、他の装置と直接的に通信し得る。Ｂｌｕｅｔｏｏｔｈ通信インタフェース７１７は、典型的には、ＢＢプロセッサ及びＲＦ回路などを含み得る。Ｂｌｕｅｔｏｏｔｈ通信インタフェース７１７は、通信制御プログラムを記憶するメモリ、当該プログラムを実行するプロセッサ及び関連する回路を集積したワンチップのモジュールであってもよい。アンテナスイッチ７１８は、Ｂｌｕｅｔｏｏｔｈ通信インタフェース７１７に含まれる複数の回路の間でアンテナ７１９の接続先を切り替える。アンテナ７１９は、単一の又は複数のアンテナ素子を有し、Ｂｌｕｅｔｏｏｔｈ通信インタフェース７１７による無線信号の送信及び受信のために使用される。
【０３９１】
図２０に示されるように、スマートフォン７００は、移動体通信インタフェース７１１、ＷＬＡＮ通信インタフェース７１４及びＢｌｕｅｔｏｏｔｈ通信インタフェース７１７の各々に対応するアンテナを有してもよい。なお、図２０の例に限定されず、スマートフォン７００は、移動体通信インタフェース７１１、ＷＬＡＮ通信インタフェース７１４及びＢｌｕｅｔｏｏｔｈ通信インタフェース７１７のうちの２つ以上に対応する共用のアンテナを有してもよい。一例として、スマートフォン７００は、アンテナスイッチ７１５及びアンテナ７１６と、アンテナスイッチ７１８及びアンテナ７１９とを含む代わりに、ＷＬＡＮ通信インタフェース７１４及びＢｌｕｅｔｏｏｔｈ通信インタフェース７１７に対応する共用のアンテナ及びアンテナスイッチを有してもよい。そして、当該共用のアンテナは、当該アンテナスイッチにより、ＷＬＡＮ通信インタフェース７１４及びＢｌｕｅｔｏｏｔｈ通信インタフェース７１７の一方に接続されてもよい。
【０３９２】
また、図２０に示されるように、スマートフォン７００は、移動体通信インタフェース７１１、ＷＬＡＮ通信インタフェース７１４及びＢｌｕｅｔｏｏｔｈ通信インタフェース７１７を別々のモジュールとして有してもよい。なお、図２０の例に限定されず、スマートフォン７００は、移動体通信インタフェース７１１、ＷＬＡＮ通信インタフェース７１４及びＢｌｕｅｔｏｏｔｈ通信インタフェース７１７のうちの２つ以上を含むワンチップのモジュールを有してもよい。この場合に、スマートフォン７００は、通信インタフェース間で共用のアンテナ及びアンテナスイッチを含んでもよく、又は通信インタフェースの各々に対応するアンテナを含んでもよい。
【０３９３】
なお、アンテナスイッチ７１２、アンテナスイッチ７１５及びアンテナスイッチ７１８は、スマートフォン７００の構成から省略されてもよい。
【０３９４】
バス７２０は、プロセッサ７０１、メモリ７０２、ストレージ７０３、外部接続インタフェース７０４、カメラ７０５、センサ７０６、マイクロフォン７０７、入力デバイス７０８、表示デバイス７０９、スピーカ７１０、移動体通信インタフェース７１１、ＷＬＡＮ通信インタフェース７１４、Ｂｌｕｅｔｏｏｔｈ通信インタフェース７１７及び補助コントローラ７２２を互いに接続する。バッテリー７２１は、図中に破線で部分的に示した給電ラインを介して、図２０に示したスマートフォン７００の各ブロックへ電力を供給する。補助コントローラ７２２は、例えば、スリープモードにおいて、スマートフォン７００の必要最低限の機能を動作させる。
【０３９５】
図２０に示したスマートフォン７００において、図４を参照して説明した第２情報取得部１６４、ネットワーク選択部１６５及び情報提供部１６６は、プロセッサ７０１及び／又は補助コントローラ７２２において実装されてもよい。より具体的には、例えば、第２情報取得部１６４、ネットワーク選択部１６５及び情報提供部１６６は、プロセッサ７０１及び／又は補助コントローラ７２２と、プロセッサ７０１及び／又は補助コントローラ７２２により実行されるプログラム（例えば、ＯＳ（Operating  System）、デバイスドライバ及び／又はアプリケーションソフトウェアなど）とにより、実装されてもよい。また、これらの機能の少なくとも一部は、移動体通信インタフェース７１１、ＷＬＡＮ通信インタフェース７１４及び／又はＢｌｕｅｔｏｏｔｈ通信インタフェース７１７において実装されてもよい。また、図４を参照して説明した移動体通信部１１０は、移動体通信インタフェース７１１において実装されてもよい。また、図４を参照して説明した要求部１６１、第１情報取得部１６２及びネットワーク検出部１６３の各々は、プロセッサ７０１、補助コントローラ７２２、移動体通信インタフェース７１１、ＷＬＡＮ通信インタフェース７１４及びＢｌｕｅｔｏｏｔｈ通信インタフェース７１７のうちの１つ又は２つ以上において実装されてもよい。
【０３９６】
（第２の応用例）
図２１は、本開示に係る技術が適用され得るカーナビゲーション装置７３０の概略的な構成の一例を示すブロック図である。カーナビゲーション装置７３０は、プロセッサ７３１、メモリ７３２、ＧＰＳ（Global  Positioning  System）モジュール７３３、センサ７３４、データインタフェース７３５、コンテンツプレーヤ７３６、記憶媒体インタフェース７３７、入力デバイス７３８、表示デバイス７３９、スピーカ７４０、移動体通信インタフェース７４１、アンテナスイッチ７４２、アンテナ７４３、ＷＬＡＮ通信インタフェース７４４、アンテナスイッチ７４５、アンテナ７４６、Ｂｌｕｅｔｏｏｔｈ通信インタフェース７４７、アンテナスイッチ７４８、アンテナ７４９及びバッテリー７５０を備える。
【０３９７】
プロセッサ７３１は、例えばＣＰＵ又はＳｏＣであってよく、カーナビゲーション装置７３０のナビゲーション機能及びその他の機能を制御する。メモリ７３２は、ＲＡＭ及びＲＯＭを含み、プロセッサ７３１により実行されるプログラム及びデータを記憶する。
【０３９８】
ＧＰＳモジュール７３３は、ＧＰＳ衛星から受信されるＧＰＳ信号を用いて、カーナビゲーション装置７３０の位置（例えば、緯度、経度及び高度）を測定する。センサ７３４は、例えば、ジャイロセンサ、地磁気センサ及び気圧センサなどのセンサ群を含み得る。データインタフェース７３５は、例えば、図示しない端子を介して車載ネットワーク７６１に接続され、車速データなどの車両側で生成されるデータを取得する。
【０３９９】
コンテンツプレーヤ７３６は、記憶媒体インタフェース７３７に挿入される記憶媒体（例えば、ＣＤ又はＤＶＤ）に記憶されているコンテンツを再生する。入力デバイス７３８は、例えば、表示デバイス７３９の画面上へのタッチを検出するタッチセンサ、ボタン又はスイッチなどを含み、ユーザからの操作又は情報入力を受け付ける。表示デバイス７３９は、ＬＣＤ又はＯＬＥＤディスプレイなどの画面を有し、ナビゲーション機能又は再生されるコンテンツの画像を表示する。スピーカ７４０は、ナビゲーション機能又は再生されるコンテンツの音声を出力する。
【０４００】
移動体通信インタフェース７４１は、ＬＴＥ又はＬＴＥ−Ａｄｖａｎｃｅｄなどのいずれかのセルラー通信方式をサポートし、無線通信を実行する。移動体通信インタフェース７４１は、典型的には、ＢＢプロセッサ及びＲＦ回路などを含み得る。ＢＢプロセッサは、例えば、符号化／復号、変調／復調及び多重化／逆多重化などを行なってよく、無線通信のための様々な信号処理を実行する。一方、ＲＦ回路は、ミキサ、フィルタ及びアンプなどを含んでもよく、アンテナ７４３を介して無線信号を送受信する。移動体通信インタフェース７４１は、ＢＢプロセッサ及びＲＦ回路を集積したワンチップのモジュールであってもよい。移動体通信インタフェース７４１は、単一のＢＢプロセッサを含んでもよく、又は複数のＢＢプロセッサを含んでもよい。また、移動体通信インタフェース７４１は、単一のＲＦ回路を含んでもよく、又は複数のＲＦ回路を含んでもよい。アンテナスイッチ７４２は、移動体通信インタフェース７４１に含まれる複数の回路の間でアンテナ７４３の接続先を切り替える。アンテナ７４３は、単一の又は複数のアンテナ素子（例えば、ＭＩＭＯアンテナを構成する複数のアンテナ素子）を有し、移動体通信インタフェース７４１による無線信号の送受信のために使用される。
【０４０１】
ＷＬＡＮ通信インタフェース７４４は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース７４４は、インフラストラクチャーモードにおいては、他の装置とＷＬＡＮアクセスポイントを介して通信し得る。また、ＷＬＡＮ通信インタフェース７４４は、アドホックモードにおいては、他の装置と直接的に通信し得る。ＷＬＡＮ通信インタフェース７４４は、典型的には、ＢＢプロセッサ及びＲＦ回路などを含み得る。ＷＬＡＮ通信インタフェース７４４は、通信制御プログラムを記憶するメモリ、当該プログラムを実行するプロセッサ及び関連する回路を集積したワンチップのモジュールであってもよい。アンテナスイッチ７４５は、ＷＬＡＮ通信インタフェース７４４に含まれる複数の回路の間でアンテナ７４６の接続先を切り替える。アンテナ７４６は、単一の又は複数のアンテナ素子（例えば、ＭＩＭＯアンテナを構成する複数のアンテナ素子）を有し、ＷＬＡＮ通信インタフェース７４４による無線信号の送信及び受信のために使用される。
【０４０２】
Ｂｌｕｅｔｏｏｔｈ通信インタフェース７４７は、Ｂｌｕｅｔｏｏｔｈ規格のうちの１つ以上をサポートし、無線通信を実行する。Ｂｌｕｅｔｏｏｔｈ通信インタフェース７４７は、他の装置と直接的に通信し得る。Ｂｌｕｅｔｏｏｔｈ通信インタフェース７４７は、典型的には、ＢＢプロセッサ及びＲＦ回路などを含み得る。Ｂｌｕｅｔｏｏｔｈ通信インタフェース７４７は、通信制御プログラムを記憶するメモリ、当該プログラムを実行するプロセッサ及び関連する回路を集積したワンチップのモジュールであってもよい。アンテナスイッチ７４８は、Ｂｌｕｅｔｏｏｔｈ通信インタフェース７４７に含まれる複数の回路の間でアンテナ７４９の接続先を切り替える。アンテナ７４９は、単一の又は複数のアンテナ素子を有し、Ｂｌｕｅｔｏｏｔｈ通信インタフェース７４７による無線信号の送信及び受信のために使用される。
【０４０３】
図２１に示されるように、カーナビゲーション装置７３０は、移動体通信インタフェース７４１、ＷＬＡＮ通信インタフェース７４４及びＢｌｕｅｔｏｏｔｈ通信インタフェース７４７の各々に対応するアンテナを有してもよい。なお、図２１の例に限定されず、カーナビゲーション装置７３０は、移動体通信インタフェース７４１、ＷＬＡＮ通信インタフェース７４４及びＢｌｕｅｔｏｏｔｈ通信インタフェース７４７のうちの２つ以上に対応する共用のアンテナを有してもよい。一例として、カーナビゲーション装置７３０は、アンテナスイッチ７４５及びアンテナ７４６と、アンテナスイッチ７４８及びアンテナ７４９とを含む代わりに、ＷＬＡＮ通信インタフェース７４４及びＢｌｕｅｔｏｏｔｈ通信インタフェース７４７に対応する共用のアンテナ及びアンテナスイッチを有してもよい。そして、当該共用のアンテナは、当該アンテナスイッチにより、ＷＬＡＮ通信インタフェース７４４及びＢｌｕｅｔｏｏｔｈ通信インタフェース７４７の一方に接続されてもよい。
【０４０４】
また、図２１に示されるように、カーナビゲーション装置７３０は、移動体通信インタフェース７４１、ＷＬＡＮ通信インタフェース７４４及びＢｌｕｅｔｏｏｔｈ通信インタフェース７４７を別々のモジュールとして有してもよい。なお、図２１の例に限定されず、カーナビゲーション装置７３０は、移動体通信インタフェース７４１、ＷＬＡＮ通信インタフェース７４４及びＢｌｕｅｔｏｏｔｈ通信インタフェース７４７のうちの２つ以上を含むワンチップのモジュールを有してもよい。この場合に、カーナビゲーション装置７３０は、通信インタフェース間で共用のアンテナ及びアンテナスイッチを含んでもよく、又は通信インタフェースの各々に対応するアンテナを含んでもよい。
【０４０５】
なお、アンテナスイッチ７４２、アンテナスイッチ７４５及びアンテナスイッチ７４８は、カーナビゲーション装置７３０の構成から省略されてもよい。
【０４０６】
バッテリー７５０は、図中に破線で部分的に示した給電ラインを介して、図２１に示したカーナビゲーション装置７３０の各ブロックへ電力を供給する。また、バッテリー７５０は、車両側から給電される電力を蓄積する。
【０４０７】
図２１に示したカーナビゲーション装置７３０において、図４を参照して説明した第２情報取得部１６４、ネットワーク選択部１６５及び情報提供部１６６は、プロセッサ７３１において実装されてもよい。より具体的には、例えば、第２情報取得部１６４、ネットワーク選択部１６５及び情報提供部１６６は、プロセッサ７３１と、プロセッサ７３１により実行されるプログラム（例えば、ＯＳ、デバイスドライバ及び／又はアプリケーションソフトウェアなど）とにより、実装されてもよい。また、これらの機能の少なくとも一部は、移動体通信インタフェース７４１、ＷＬＡＮ通信インタフェース７４４及び／又はＢｌｕｅｔｏｏｔｈ通信インタフェース７４７において実装されてもよい。また、図４を参照して説明した移動体通信部１１０は、移動体通信インタフェース７４１において実装されてもよい。また、図４を参照して説明した要求部１６１、第１情報取得部１６２及びネットワーク検出部１６３の各々は、プロセッサ７３１、移動体通信インタフェース７４１、ＷＬＡＮ通信インタフェース７４４及びＢｌｕｅｔｏｏｔｈ通信インタフェース７４７のうちの１つ又は２つ以上において実装されてもよい。
【０４０８】
また、本開示に係る技術は、上述したカーナビゲーション装置７３０の１つ以上のブロックと、車載ネットワーク７６１と、車両側モジュール７６２とを含む車載システム（又は車両）７６０として実現されてもよい。車両側モジュール７６２は、車速、エンジン回転数又は故障情報などの車両側データを生成し、生成したデータを車載ネットワーク７６１へ出力する。
【０４０９】
＜５．２．無線通信端末に関する応用例＞
次に、本開示の実施形態に係る無線通信端末２００に関する第１の応用例（タブレット端末８００）及び第２の応用例（カーナビゲーション装置８３０及び車載システム８６０）を説明する。
【０４１０】
（第１の応用例）
図２２は、本開示に係る技術が適用され得るタブレット端末８００の概略的な構成の一例を示すブロック図である。タブレット端末８００は、プロセッサ８０１、メモリ８０２、ストレージ８０３、外部接続インタフェース８０４、カメラ８０５、センサ８０６、マイクロフォン８０７、入力デバイス８０８、表示デバイス８０９、スピーカ８１０、ＷＬＡＮ通信インタフェース８１１、アンテナスイッチ８１２、アンテナ８１３、Ｂｌｕｅｔｏｏｔｈ通信インタフェース８１４、アンテナスイッチ８１５、アンテナ８１６、バス８１７、バッテリー８１８及び補助コントローラ８１９を備える。
【０４１１】
プロセッサ８０１は、例えばＣＰＵ又はＳｏＣであってよく、タブレット端末８００のアプリケーションレイヤ及びその他のレイヤの機能を制御する。メモリ８０２は、ＲＡＭ及びＲＯＭを含み、プロセッサ８０１により実行されるプログラム及びデータを記憶する。ストレージ８０３は、半導体メモリ又はハードディスクなどの記憶媒体を含み得る。外部接続インタフェース８０４は、メモリーカード又はＵＳＢデバイスなどの外付けデバイスをタブレット端末８００へ接続するためのインタフェースである。
【０４１２】
カメラ８０５は、例えば、ＣＣＤ又はＣＭＯＳなどの撮像素子を有し、撮像画像を生成する。センサ８０６は、例えば、測位センサ、ジャイロセンサ、地磁気センサ及び加速度センサなどのセンサ群を含み得る。マイクロフォン８０７は、タブレット端末８００へ入力される音声を音声信号へ変換する。入力デバイス８０８は、例えば、表示デバイス８０９の画面上へのタッチを検出するタッチセンサ、キーパッド、キーボード、ボタン又はスイッチなどを含み、ユーザからの操作又は情報入力を受け付ける。表示デバイス８０９は、液晶ディスプレイ（ＬＣＤ）又は有機発光ダイオード（ＯＬＥＤ）ディスプレイなどの画面を有し、タブレット端末８００の出力画像を表示する。スピーカ８１０は、タブレット端末８００から出力される音声信号を音声に変換する。
【０４１３】
ＷＬＡＮ通信インタフェース８１１は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース８１１は、インフラストラクチャーモードにおいては、他の装置とＷＬＡＮアクセスポイントを介して通信し得る。また、ＷＬＡＮ通信インタフェース８１１は、アドホックモードにおいては、他の装置と直接的に通信し得る。ＷＬＡＮ通信インタフェース８１１は、典型的には、ＢＢプロセッサ及びＲＦ回路などを含み得る。ＷＬＡＮ通信インタフェース８１１は、通信制御プログラムを記憶するメモリ、当該プログラムを実行するプロセッサ及び関連する回路を集積したワンチップのモジュールであってもよい。アンテナスイッチ８１２は、ＷＬＡＮ通信インタフェース８１１に含まれる複数の回路の間でアンテナ８１３の接続先を切り替える。アンテナ８１３は、単一の又は複数のアンテナ素子（例えば、ＭＩＭＯアンテナを構成する複数のアンテナ素子）を有し、ＷＬＡＮ通信インタフェース８１１による無線信号の送信及び受信のために使用される。
【０４１４】
Ｂｌｕｅｔｏｏｔｈ通信インタフェース８１４は、Ｂｌｕｅｔｏｏｔｈ規格のうちの１つ以上をサポートし、無線通信を実行する。Ｂｌｕｅｔｏｏｔｈ通信インタフェース８１４は、他の装置と直接的に通信し得る。Ｂｌｕｅｔｏｏｔｈ通信インタフェース８１４は、典型的には、ＢＢプロセッサ及びＲＦ回路などを含み得る。Ｂｌｕｅｔｏｏｔｈ通信インタフェース８１４は、通信制御プログラムを記憶するメモリ、当該プログラムを実行するプロセッサ及び関連する回路を集積したワンチップのモジュールであってもよい。アンテナスイッチ８１５は、Ｂｌｕｅｔｏｏｔｈ通信インタフェース８１４に含まれる複数の回路の間でアンテナ８１６の接続先を切り替える。アンテナ８１６は、単一の又は複数のアンテナ素子を有し、Ｂｌｕｅｔｏｏｔｈ通信インタフェース８１４による無線信号の送信及び受信のために使用される。
【０４１５】
図２２に示されるように、タブレット端末８００は、ＷＬＡＮ通信インタフェース８１１及びＢｌｕｅｔｏｏｔｈ通信インタフェース８１４の各々に対応するアンテナを有してもよい。なお、図２２の例に限定されず、タブレット端末８００は、ＷＬＡＮ通信インタフェース８１１及びＢｌｕｅｔｏｏｔｈ通信インタフェース８１４に対応する共用のアンテナを有してもよい。具体的には、タブレット端末８００は、アンテナスイッチ８１２及びアンテナ８１３と、アンテナスイッチ８１５及びアンテナ８１６とを含む代わりに、ＷＬＡＮ通信インタフェース８１１及びＢｌｕｅｔｏｏｔｈ通信インタフェース８１４に対応する共用のアンテナ及びアンテナスイッチを有してもよい。そして、当該共用のアンテナは、当該アンテナスイッチにより、ＷＬＡＮ通信インタフェース８１１及びＢｌｕｅｔｏｏｔｈ通信インタフェース８１４の一方に接続されてもよい。
【０４１６】
また、図２２に示されるように、タブレット端末８００は、ＷＬＡＮ通信インタフェース８１１及びＢｌｕｅｔｏｏｔｈ通信インタフェース８１４を別々のモジュールとして有してもよい。なお、図２２の例に限定されず、タブレット端末８００は、ＷＬＡＮ通信インタフェース８１１及びＢｌｕｅｔｏｏｔｈ通信インタフェース８１４を含むワンチップのモジュールを有してもよい。この場合に、タブレット端末８００は、通信インタフェース間で共用のアンテナ及びアンテナスイッチを含んでもよく、又は通信インタフェースの各々に対応するアンテナを含んでもよい。
【０４１７】
なお、アンテナスイッチ８１２及びアンテナスイッチ８１５は、タブレット端末８００の構成から省略されてもよい。
【０４１８】
バス８２０は、プロセッサ８０１、メモリ８０２、ストレージ８０３、外部接続インタフェース８０４、カメラ８０５、センサ８０６、マイクロフォン８０７、入力デバイス８０８、表示デバイス８０９、スピーカ８１０、ＷＬＡＮ通信インタフェース８１１、Ｂｌｕｅｔｏｏｔｈ通信インタフェース８１４及び補助コントローラ８１９を互いに接続する。バッテリー８１８は、図中に破線で部分的に示した給電ラインを介して、図２２に示したタブレット端末８００の各ブロックへ電力を供給する。補助コントローラ８１９は、例えば、スリープモードにおいて、タブレット端末８００の必要最低限の機能を動作させる。
【０４１９】
図２２に示したタブレット端末８００において、図１７を参照して説明した第２情報取得部２４３、ネットワーク選択部２４４及び接続制御部２４５は、プロセッサ８０１及び／又は補助コントローラ８１９において実装されてもよい。より具体的には、例えば、第２情報取得部２４３、ネットワーク選択部２４４及び接続制御部２４５は、プロセッサ８０１及び／又は補助コントローラ８１９と、プロセッサ８０１及び／又は補助コントローラ８１９により実行されるプログラム（例えば、ＯＳ、デバイスドライバ及び／又はアプリケーションソフトウェアなど）とにより、実装されてもよい。また、これらの機能の少なくとも一部は、ＷＬＡＮ通信インタフェース８１１及び／又はＢｌｕｅｔｏｏｔｈ通信インタフェース８１４において実装されてもよい。また、図１７を参照して説明した第１無線通信部２１０は、ＷＬＡＮ通信インタフェース８１１において実装されてもよい。また、図１７を参照して説明した第１情報取得部２４１及びネットワーク検出部２４２の各々は、プロセッサ８０１、補助コントローラ８１９、ＷＬＡＮ通信インタフェース８１１及びＢｌｕｅｔｏｏｔｈ通信インタフェース８１４のうちの１つ又は２つ以上において実装されてもよい。
【０４２０】
なお、タブレット端末８００は、プロセッサ８０１がアプリケーションレベルでアクセスポイント機能を実行することにより、無線アクセスポイント（ソフトウェアＡＰ）として動作してもよい。また、ＷＬＡＮ通信インタフェース８１１が無線アクセスポイント機能を有していてもよい。
【０４２１】
（第２の応用例）
図２３は、本開示に係る技術が適用され得るカーナビゲーション装置８３０の概略的な構成の一例を示すブロック図である。カーナビゲーション装置８３０は、プロセッサ８３１、メモリ８３２、ＧＰＳモジュール８３３、センサ８３４、データインタフェース８３５、コンテンツプレーヤ８３６、記憶媒体インタフェース８３７、入力デバイス８３８、表示デバイス８３９、スピーカ８４０、ＷＬＡＮ通信インタフェース８４１、アンテナスイッチ８４２、アンテナ８４３、Ｂｌｕｅｔｏｏｔｈ通信インタフェース８４４、アンテナスイッチ８４５、アンテナ８４６及びバッテリー８４７を備える。
【０４２２】
プロセッサ８３１は、例えばＣＰＵ又はＳｏＣであってよく、カーナビゲーション装置７３０のナビゲーション機能及びその他の機能を制御する。メモリ８３２は、ＲＡＭ及びＲＯＭを含み、プロセッサ８３１により実行されるプログラム及びデータを記憶する。
【０４２３】
ＧＰＳモジュール８３３は、ＧＰＳ衛星から受信されるＧＰＳ信号を用いて、カーナビゲーション装置８３０の位置（例えば、緯度、経度及び高度）を測定する。センサ８３４は、例えば、ジャイロセンサ、地磁気センサ及び気圧センサなどのセンサ群を含み得る。データインタフェース８３５は、例えば、図示しない端子を介して車載ネットワーク８６１に接続され、車速データなどの車両側で生成されるデータを取得する。
【０４２４】
コンテンツプレーヤ８３６は、記憶媒体インタフェース８３７に挿入される記憶媒体（例えば、ＣＤ又はＤＶＤ）に記憶されているコンテンツを再生する。入力デバイス８３８は、例えば、表示デバイス８３９の画面上へのタッチを検出するタッチセンサ、ボタン又はスイッチなどを含み、ユーザからの操作又は情報入力を受け付ける。表示デバイス８３９は、ＬＣＤ又はＯＬＥＤディスプレイなどの画面を有し、ナビゲーション機能又は再生されるコンテンツの画像を表示する。スピーカ８４０は、ナビゲーション機能又は再生されるコンテンツの音声を出力する。
【０４２５】
ＷＬＡＮ通信インタフェース８４１は、ＩＥＥＥ８０２．１１ａ、１１ｂ、１１ｇ、１１ｎ、１１ａｃ及び１１ａｄなどのＷＬＡＮ規格のうちの１つ以上をサポートし、無線通信を実行する。ＷＬＡＮ通信インタフェース８４１は、インフラストラクチャーモードにおいては、他の装置とＷＬＡＮアクセスポイントを介して通信し得る。また、ＷＬＡＮ通信インタフェース８４１は、アドホックモードにおいては、他の装置と直接的に通信し得る。ＷＬＡＮ通信インタフェース８４１は、典型的には、ＢＢプロセッサ及びＲＦ回路などを含み得る。ＷＬＡＮ通信インタフェース８４１は、通信制御プログラムを記憶するメモリ、当該プログラムを実行するプロセッサ及び関連する回路を集積したワンチップのモジュールであってもよい。アンテナスイッチ８４２は、ＷＬＡＮ通信インタフェース８４１に含まれる複数の回路の間でアンテナ８４３の接続先を切り替える。アンテナ８４３は、単一の又は複数のアンテナ素子（例えば、ＭＩＭＯアンテナを構成する複数のアンテナ素子）を有し、ＷＬＡＮ通信インタフェース８４１による無線信号の送信及び受信のために使用される。
【０４２６】
Ｂｌｕｅｔｏｏｔｈ通信インタフェース８４４は、Ｂｌｕｅｔｏｏｔｈ規格のうちの１つ以上をサポートし、無線通信を実行する。Ｂｌｕｅｔｏｏｔｈ通信インタフェース８４４は、他の装置と直接的に通信し得る。Ｂｌｕｅｔｏｏｔｈ通信インタフェース８４４は、典型的には、ＢＢプロセッサ及びＲＦ回路などを含み得る。Ｂｌｕｅｔｏｏｔｈ通信インタフェース８４４は、通信制御プログラムを記憶するメモリ、当該プログラムを実行するプロセッサ及び関連する回路を集積したワンチップのモジュールであってもよい。アンテナスイッチ８４５は、Ｂｌｕｅｔｏｏｔｈ通信インタフェース８４４に含まれる複数の回路の間でアンテナ８４６の接続先を切り替える。アンテナ８４６は、単一の又は複数のアンテナ素子を有し、Ｂｌｕｅｔｏｏｔｈ通信インタフェース８４４による無線信号の送信及び受信のために使用される。
【０４２７】
図２３に示されるように、カーナビゲーション装置８３０は、ＷＬＡＮ通信インタフェース８４１及びＢｌｕｅｔｏｏｔｈ通信インタフェース８４４の各々に対応するアンテナを有してもよい。なお、図２３の例に限定されず、カーナビゲーション装置８３０は、ＷＬＡＮ通信インタフェース８４１及びＢｌｕｅｔｏｏｔｈ通信インタフェース８４４に対応する共用のアンテナを有してもよい。具体的には、カーナビゲーション装置８３０は、アンテナスイッチ８４２及びアンテナ８４３と、アンテナスイッチ８４５及びアンテナ８４６とを含む代わりに、ＷＬＡＮ通信インタフェース８４１及びＢｌｕｅｔｏｏｔｈ通信インタフェース８４４に対応する共用のアンテナ及びアンテナスイッチを有してもよい。そして、当該共用のアンテナは、当該アンテナスイッチにより、ＷＬＡＮ通信インタフェース８４１及びＢｌｕｅｔｏｏｔｈ通信インタフェース８４４の一方に接続されてもよい。
【０４２８】
また、図２３に示されるように、カーナビゲーション装置８３０は、ＷＬＡＮ通信インタフェース８４１及びＢｌｕｅｔｏｏｔｈ通信インタフェース８４４を別々のモジュールとして有してもよい。なお、図２３の例に限定されず、カーナビゲーション装置８３０は、ＷＬＡＮ通信インタフェース８４１及びＢｌｕｅｔｏｏｔｈ通信インタフェース８４４を含むワンチップのモジュールを有してもよい。この場合に、カーナビゲーション装置８３０は、通信インタフェース間で共用のアンテナ及びアンテナスイッチを含んでもよく、又は通信インタフェースの各々に対応するアンテナを含んでもよい。
【０４２９】
なお、アンテナスイッチ８４２及びアンテナスイッチ８４５は、カーナビゲーション装置８３０の構成から省略されてもよい。
【０４３０】
バッテリー８４７は、図中に破線で部分的に示した給電ラインを介して、図２３に示したカーナビゲーション装置８３０の各ブロックへ電力を供給する。また、バッテリー８４７は、車両側から給電される電力を蓄積する。
【０４３１】
図２３に示したカーナビゲーション装置８３０において、図１７を参照して説明した第２情報取得部２４３、ネットワーク選択部２４４及び接続制御部２４５は、プロセッサ８３１において実装されてもよい。より具体的には、例えば、第２情報取得部２４３、ネットワーク選択部２４４及び接続制御部２４５は、プロセッサ８３１と、プロセッサ８３１により実行されるプログラム（例えば、ＯＳ、デバイスドライバ及び／又はアプリケーションソフトウェアなど）とにより、実装されてもよい。また、これらの機能の少なくとも一部は、ＷＬＡＮ通信インタフェース８４１及び／又はＢｌｕｅｔｏｏｔｈ通信インタフェース８４４において実装されてもよい。また、図１７を参照して説明した第１無線通信部２１０は、ＷＬＡＮ通信インタフェース８４１において実装されてもよい。また、また、図１７を参照して説明した第１情報取得部２４１及びネットワーク検出部２４２の各々は、プロセッサ８３１、ＷＬＡＮ通信インタフェース８４１及びＢｌｕｅｔｏｏｔｈ通信インタフェース８４４のうちの１つ又は２つ以上において実装されてもよい。
【０４３２】
また、本開示に係る技術は、上述したカーナビゲーション装置８３０の１つ以上のブロックと、車載ネットワーク８６１と、車両側モジュール８６２とを含む車載システム（又は車両）８６０として実現されてもよい。車両側モジュール８６２は、車速、エンジン回転数又は故障情報などの車両側データを生成し、生成したデータを車載ネットワーク８６１へ出力する。
【０４３３】
＜＜＜６．まとめ＞＞＞
ここまで、図３〜図２３を参照して、本開示の実施形態に係る各装置及び各処理を説明した。
【０４３４】
−第１の実施形態（移動体通信端末１００−１）
本開示の第１の実施形態によれば、移動体通信端末１００−１は、移動体通信ネットワーク３０における移動体通信を行う移動体通信部１１０と、上記移動体通信とは異なる無線通信用の１つ以上の無線ネットワークの各々の状態を示す状態情報を取得する第２情報取得部１６４と、上記状態情報に基づいて、上記１つ以上の無線ネットワークのうちの１つの無線ネットワークを選択するネットワーク選択部１６５と、選択される上記１つの無線ネットワークに関する情報を、上記無線通信を行う別の端末装置に提供する情報提供部１６６と、を備える。上記１つ以上の無線ネットワークの各々は、上記別の端末装置が認証手続きを通じて接続可能な上記無線通信用の無線ネットワークである。上記１つ以上の無線ネットワークに関する情報は、ネットワーク情報提供装置３００−１（即ち、上記移動体通信を行う装置に上記移動体通信ネットワークとは異なる無線ネットワークに関する情報を提供する情報提供装置）により移動体通信端末１００−１に提供される情報（即ち、第１のネットワーク情報）に含まれる。
【０４３５】
これにより、例えば、上記別の端末装置（例えば、無線通信端末２００−１）が、より望ましい無線ネットワークを介した通信に通信を速やかに切替えることが、可能になる。
【０４３６】
第１に、例えば、無線通信端末２００−１は、提供される上記第２のネットワーク情報から、認証手続きを通じて接続可能な無線ネットワークを特定することが可能になる。その結果、例えば、無線通信端末２００−１が、テザリングによる通信から、特定された無線ネットワーク（例えば、ＷＬＡＮ）を介した通信へ速やかに通信を切り替えることが可能になる。
【０４３７】
より具体的には、例えば、一般的に、ＡＮＤＳＦを有する装置は、移動体通信を行う装置に無線ネットワークに関する情報を提供するが、移動体通信を行わない装置には当該情報を提供しない。一方、本開示の実施形態では、上述したように、例えば、移動体通信端末１００−１が、ＡＮＤＳＦを有する装置（ネットワーク情報提供装置３００−１）から、無線通信端末２００−１が認証手続きを通じて接続可能な無線ネットワークに関する情報を取得し、当該無線ネットワークに関する情報を無線通信端末２００−１に提供する。そのため、ＡＮＤＳＦを有する装置から情報を直接的に提供されない無線通信端末２００−１であっても、認証手続きを通じて接続可能な無線ネットワークを特定することが可能になる。
【０４３８】
第２に、上記第２のネットワーク情報は、無線通信端末２００−１が認証手続きを通じて接続可能な１つ以上の無線ネットワークの中から状態情報に基づいて選択される１つの無線ネットワークに関する情報である。そのため、例えば、無線通信端末２００−１は、提供される上記第２のネットワーク情報から、無線通信端末２００−１が認証手続きを通じて接続可能なより望ましい無線ネットワーク（例えば、より良好な通信品質を伴う無線ネットワーク）を特定することが可能になる。その結果、例えば、無線通信端末２００−１が、テザリングによる通信から、特定された上記より望ましい無線ネットワークを介した通信へ速やかに通信を切り替えることが可能になる。
【０４３９】
なお、テザリングによる通信が行われている場合には、無線通信端末２００−１は移動体通信端末１００−１から情報を取得することができる。そのため、無線通信端末２００−１への上記第２のネットワーク情報の提供は、とりわけ、テザリングへの通信から、無線ネットワーク（例えば、ＷＬＡＮ）を介した通信への切替えに適している。
【０４４０】
−−使用状況情報
例えば、上記状態情報は、上記１つ以上の無線ネットワークの各々の使用状況を示す使用状況情報を含む。当該使用状況情報により、上記１つ以上の無線ネットワークの各々における混雑状況を知ることが可能になり得る。そのため、上記１つ以上の無線ネットワークのうちのより良好な通信品質を伴う無線ネットワークを推定することが可能になり得る。
【０４４１】
第１の例として、上記使用状況情報は、上記１つ以上の無線ネットワークの各々に接続される装置の数に関する情報を含む。このような情報により、例えば、上記１つ以上の無線ネットワークの各々に接続される端末数の程度を知ることが可能になる。そのため、上記１つ以上の無線ネットワークの各々における混雑状況を知ることが可能になり得る。
【０４４２】
第２の例として、上記使用状況情報は、上記１つ以上の無線ネットワークの各々におけるトラフィックに関する情報を含む。このような情報により、例えば、上記１つ以上の無線ネットワークの各々におけるトラフィックの程度を知ることが可能になる。そのため、上記１つ以上の無線ネットワークの各々における混雑状況を知ることが可能になり得る。
【０４４３】
−−配置状況情報
例えば、第２情報取得部１６４は、上記１つ以上の無線ネットワークの各々のアクセスポイントの配置状況を示す配置状況情報を取得する。そして、ネットワーク選択部１６５は、上記配置状況情報にさらに基づいて、上記１つの無線ネットワークを選択する。これにより、例えば、より良好な通信品質を伴う無線ネットワークをより高い精度で選択することが可能になり得る。
【０４４４】
−−通信品質情報
上記状態情報は、上記１つ以上の無線ネットワークの各々の測定された通信品質を示す通信品質情報であってもよい。当該通信品質情報により、例えば、無線ネットワークの通信品質を知ることが可能になる。そのため、上記１つ以上の無線ネットワークのうちのより良好な通信品質を伴う無線ネットワークを特定することが可能になり得る。
【０４４５】
例えば、上記通信品質情報は、移動体通信端末１００−１又は無線通信端末２００−１による通信品質の測定を通じて生成される情報であってもよい。これにより、例えば、ネットワーク側からの提供される情報が少なくなり、無線リソースが節約され得る。
【０４４６】
−−チャネルの共用状況に基づく選択
例えば、ネットワーク選択部１６５は、上記１つ以上の無線ネットワークの各々において使用されるチャネルの共用状況にさらに基づいて、上記１つの無線ネットワークを選択してもよい。これにより、例えば、無線ネットワークにおける干渉又は混信の可能性を考慮することが可能であり、より良好な通信品質を伴う無線ネットワークをより高い精度で選択することが可能になり得る。
【０４４７】
−−認証手続き
上記認証手続きは、移動体通信端末１００−１のＳＩＭにより提供される認証用情報を用いる認証手続きを含み、情報提供部１６６は、上記認証用情報を上記別の端末装置に提供する。これにより、上記別の端末装置が、ＳＩＭ認証手続きを行うことが可能になる。そのため、例えば、移動体通信ネットワーク３０での移動体通信を行わない上記別の端末装置（例えば、無線通信端末２００−１）による無線ネットワーク（例えば、ＷＬＡＮ）への接続にあたり、上記別の装置のユーザにとっての手間を省くことが可能になる。例えば、パスワードの入力の手間などを省くことが可能になる。その結果、例えば、通信が速やかに切り替えられ得る。
【０４４８】
なお、上記認証手続きは、電子証明書を用いる認証手続きを含んでもよい。これにより、ＳＩＭ認証手続きの利用のケースと同様に、ユーザにとっての手間を省くことが可能になり得る。
【０４４９】
−−１つ以上の無線ネットワーク
例えば、上記１つ以上の無線ネットワークの各々は、移動体通信端末１００−１又は無線通信端末２００−１の位置に対応する通信エリアを有する無線ネットワークである。これにより、位置的に接続可能な無線ネットワークに関する情報が得られる。そのため、例えば、位置的に接続不能な無線ネットワークの検出を試みることを回避することが可能になる。
【０４５０】
また、例えば、上記１つ以上の無線ネットワークの各々は、時間に対応する利用可能時間を有する無線ネットワークである。これにより、時間的に接続可能な無線ネットワークに関する情報が得られる。そのため、例えば、時間的に接続不能な無線ネットワークの検出を試みることを回避することが可能になる。
【０４５１】
−第２の実施形態（無線通信端末２００−２）
本開示の第２の実施形態によれば、無線通信端末２００−２は、移動体通信ネットワーク３０における移動体通信とは異なる無線通信を行う第１無線通信部２１０と、上記無線通信用の１つ以上の無線ネットワークの各々の状態を示す状態情報を取得する第２情報取得部２４３と、上記状態情報に基づいて、上記１つ以上の無線ネットワークのうちの１つの無線ネットワークを選択するネットワーク選択部２４４と、を備える。上記１つ以上の無線ネットワークの各々は、無線通信端末２００−２が認証手続きを通じて接続可能な上記無線通信用の無線ネットワークである。上記１つ以上の無線ネットワークに関する情報は、ネットワーク情報提供装置３００−２（即ち、上記移動体通信を行う装置に上記移動体通信ネットワークとは異なる無線ネットワークに関する情報を提供する情報提供装置）により上記移動体通信を行う別の端末装置に提供される情報（即ち、第１のネットワーク情報）のうちの少なくとも一部の情報であって、上記別の端末装置により無線通信端末２００−２に提供される上記情報（即ち、第３のネットワーク情報）に含まれる。無線通信端末２００−２は、上記認証手続きを通じて、選択される上記１つの無線ネットワークに無線通信端末２００−２を接続させる接続制御部、をさらに備える。
【０４５２】
これにより、例えば、無線通信端末２００−２が、より望ましい無線ネットワークを介した通信に通信を速やかに切替えることが、可能になる。
【０４５３】
以上、添付図面を参照しながら本開示の好適な実施形態を説明したが、本開示は係る例に限定されないことは言うまでもない。当業者であれば、請求の範囲に記載された範疇内において、各種の変更例又は修正例に想到し得ることは明らかであり、それらについても当然に本開示の技術的範囲に属するものと了解される。
【０４５４】
例えば、ネットワーク情報提供装置が、移動体通信端末による要求に応じて、当該移動体通信端末に情報を提供する例を説明したが、本開示は係る例に限定されない。例えば、ネットワーク情報提供装置は、移動体通信端末による要求なしに、移動体通信端末に情報を提供してもよい。
【０４５５】
また、ネットワーク情報提供装置の検索対象である無線ネットワークのいずれも、移動体通信端末及び無線通信端末が認証手続きを通じて接続可能な無線ネットワークである例を主として説明したが、本開示は係る例に限定されない。例えば、ネットワーク情報提供装置の検索対象である無線ネットワークの中には、移動体通信端末及び無線通信端末のうちの一方が認証手続きを通じて接続可能な無線ネットワークが含まれていてもよい。一例として、当該無線ネットワークは、契約上移動体通信端末及び無線通信端末のうちの一方の接続しか認められていない無線ネットワークであってもよい。あるいは、当該無線ネットワークは、移動体通信端末及び無線通信端末のうちの他方がサポートしない（即ち、他方がケイパビリティを有しない）認証方式を利用する無線ネットワークであってもよい。また、例えば、ネットワーク情報提供装置の検索対象である無線ネットワークの中には、移動体通信端末及び無線通信端末の両方が認証手続きを通じて接続不能な無線ネットワークが含まれていてもよい。一例として、当該無線ネットワークは、契約上移動体通信端末及び無線通信端末の両方の接続が認められていない無線ネットワークであってもよい。あるいは、当該無線ネットワークは、移動体通信端末及び無線通信端末の両方がサポートしない（即ち、両方がケイパビリティを有しない）認証方式を利用する無線ネットワークであってもよい。このような場合に、一例として、ネットワーク情報提供装置は、検索対象である無線ネットワークのうちの、移動体通信端末及び無線通信端末が認証手続きを通じて接続不能な無線ネットワークを除く残りの無線ネットワークの中から、移動体通信端末の要求に応じた無線ネットワークを検索してもよい。あるいは、別の例として、ネットワーク情報提供装置は、移動体通信端末及び／又は無線通信端末が認証手続きを通じて接続可能であることを検索条件として、検索対象である無線ネットワークの中から、移動体通信端末の要求に応じた無線ネットワークを検索してもよい。
【０４５６】
例えば、（第１の実施形態において、）移動体通信端末が、ネットワーク情報提供装置から、少なくとも１つの無線ネットワークに関する情報を取得し、当該少なくとも１つの無線ネットワークのうちの１つ以上の無線ネットワークを検出し、検出された当該１つ以上の無線ネットワークの中から１つの無線ネットワークを選択する例を説明したが、本開示は係る例に限定されない。例えば、移動体通信端末は、検出された無線ネットワークについての情報をネットワーク情報提供装置に提供してもよい。そして、移動体通信端末は、ネットワーク情報提供装置から、検出された上記無線ネットワークのうちの１つ以上の無線ネットワークに関する情報を取得し、当該１つ以上の無線ネットワークの中から１つの無線ネットワークを選択してもよい。
【０４５７】
また、例えば、（第２の実施形態において、）無線通信端末が、移動体通信端末から、少なくとも１つの無線ネットワークに関する情報を取得し、当該少なくとも１つの無線ネットワークのうちの１つ以上の無線ネットワークを検出し、検出された当該１つ以上の無線ネットワークの中から１つの無線ネットワークを選択する例を説明したが、本開示は係る例に限定されない。例えば、無線通信端末は、移動体通信端末から、検出された上記無線ネットワークのうちの１つ以上の無線ネットワークに関する情報を取得し、当該１つ以上の無線ネットワークの中から１つの無線ネットワークを選択してもよい。
【０４５８】
また、例えば、移動体通信端末又は無線通信端末が、検出された１つ以上の無線ネットワークを状態情報に基づいて評価し、１つの無線ネットワークを選択する例を説明したが、本開示は係る例に限定されない。一例として、移動体通信端末又は無線通信端末は、まだ検出されていない１つ以上の無線ネットワークを状態情報に基づいて評価し、その後、当該１つ以上の無縁ネットワークの一部（例えば、より高い評価値を伴う無線ネットワーク）又は全部を検出してもよい。そして、移動体通信端末又は無線通信端末は、検出された無線ネットワークの１つを選択してもよい。
【０４５９】
また、例えば、使用状況情報及び配置情報に基づいて１つの無線ネットワークが選択される例と、通信品質情報及びチャネルの共有状況に基づいて１つの無線ネットワークが選択される例とを説明したが、本開示は係る例に限定されない。例えば、使用状況情報、配置情報、通信品質情報、及びチャネルの共有状況のうちの、１つ又は２つ以上に基づいて、１つの無線ネットワークが選択されてもよい。一例として、使用状況情報及び通信品質情報の両方に基づいて１つの無線ネットワークが選択されてもよい。即ち、状態情報は、使用状況情報及び通信品質情報の両方を含んでもよい。別の例として、使用状況情報及びチャネルの共有状況に基づいて１つの無線ネットワークが選択されてもよい。さらに別の例として、通信品質情報及び配置状況情報に基づいて１つの無線ネットワークが選択されてもよい。
【０４６０】
また、例えば、使用状況情報又は通信品質情報に基づいて１つ以上の無線ネットワークの評価値が算出され、評価値に基づいて１つの無線ネットワークが選択される、という例を主として説明したが、本開示は係る例に限定されない。例えば、使用状況情報自体又は通信品質情報自体が評価値であってもよい。一例として、ネットワーク情報提供装置が、上記評価値を算出し、移動体通信端末又は無線通信端末が、当該評価値に基づいて１つの無線ネットワークが選択してもよい。別の例として、移動体通信端末が、上記評価値を算出し、無線通信端末が、当該評価値に基づいて１つの無線ネットワークが選択してもよい。
【０４６１】
また、例えば、使用状況情報及び配置情報が、無線ネットワーク（即ち、無線ネットワークのアクセスポイント又は無線ネットワークの管理装置など）によりネットワーク情報提供装置に提供される例を説明したが、本開示は係る例に限定されない。例えば、使用状況情報及び／又は配置情報は、別の装置によりネットワーク情報提供装置に提供されてもよい。また、例えば、使用状況情報及び配置情報が、ネットワーク情報提供装置により移動体通信端末に提供される例を説明したが、本開示は係る例に限定されない。例えば、使用状況情報及び／又は配置情報は、別の装置により移動体通信端末に提供されてもよい。
【０４６２】
また、例えば、移動体通信端末又は無線通信端末が、チャネルの共用状況を自ら判断する例を説明したが、本開示は係る例に限定されない。例えば、チャネルの共用状況を示す情報が、ネットワーク側から移動体通信端末に提供されてもよい。
【０４６３】
また、例えば、移動体通信ネットワークにおける移動体通信とは異なる無線通信の例として、ＷＬＡＮ通信が挙げられたが、本開示は係る例に限定されない。例えば、上記無線通信は、ＷＬＡＮ通信以外の別の無線通信であってもよい。あるいは、上記無線通信は、ＷＬＡＮ通信と上記別の無線通信とを含んでもよい。
【０４６４】
また、例えば、ネットワーク情報提供装置は、ＷＬＡＮ以外に関する情報も提供してもよい。例えば、ネットワーク情報提供装置は、ＷＬＡＮ通信以外の、移動体通信ネットワークとは異なる無線ネットワークに関する情報を提供してもよい。また、ネットワーク情報提供装置は、上記移動体通信ネットワークとは異なる別の移動体通信ネットワークに関する情報をさらに提供してもよい。例えば、上記移動体通信ネットワークが、ＬＴＥ又はＬＴＥ−Ａｄｖａｎｃｅｄのネットワークである場合に、ネットワーク情報提供装置は、上記別の移動体通信ネットワークに関する情報として、３ＧＰＰ２のネットワークに関する情報を提供してもよい。あるいは、ネットワーク情報提供装置は、ＷｉＭＡＸ（Mobile  Worldwide  Interoperability  for  Microwave  Access）（登録商標）のネットワークに関する情報を提供してもよい。
【０４６５】
また、例えば、移動体通信端末が、ＬＴＥ又はＬＴＥ−Ａｄｖａｎｃｅｄに従った通信を行い、移動体通信ネットワークは、ＬＴＥ又はＬＴＥ−Ａｄｖａｎｃｅｄに従ったネットワークである例を説明したが、本開示は係る例に限定されない。移動体通信端末は、移動体通信として、別の通信規格（例えば、３ＧＰＰの別の通信規格）に従った通信を行ってもよく、移動体通信ネットワークも、上記別の通信規格に従ったネットワークであってもよい。
【０４６６】
また、例えば、ネットワーク情報提供装置が移動体通信ネットワーク（コアネットワーク）内に位置する例を説明したが、本開示は係る例に限定されない。例えば、ネットワーク情報提供装置は、移動体通信ネットワークの外に位置してもよい。
【０４６７】
また、例えば、ネットワーク情報提供装置が、移動体通信を行う装置のみに、移動体通信とは異なる無線通信用の無線ネットワークに関する情報を提供する、という例を説明したが、本開示は係る例に限定されない。例えば、ネットワーク情報提供装置は、移動体通信を行う装置に加えて、移動体通信を行わない装置にも、上記無線ネットワークに関する情報を提供してもよい。
【０４６８】
また、例えば、ネットワーク情報提供装置がＡＮＤＳＦを有する装置である例を説明したが、本開示は係る例に限定されない。例えば、ネットワーク情報提供装置は、ＡＮＤＳＦではなく、無線ネットワークに関する情報を提供する別の機能を有してもよい。
【０４６９】
また、本明細書の各処理における処理ステップは、必ずしもフローチャートに記載された順序に沿って時系列に実行されなくてよい。例えば、各処理における処理ステップは、フローチャートとして記載した順序と異なる順序で実行されても、並列的に実行されてもよい。
【０４７０】
また、本開示に係る端末装置（即ち、移動体通信端末又はは無線通信端末）に内蔵されるＣＰＵ、ＲＯＭ及びＲＡＭ等のハードウェアに、上記端末装置の各構成と同等の機能を発揮させるためのコンピュータプログラムも作成可能である。また、当該コンピュータプログラムを記憶させた記憶媒体も提供されてもよい。また、当該コンピュータプログラムを記憶するメモリ（例えば、ＲＯＭ及びＲＡＭ）と、当該コンピュータプログラムを実行可能な１つ以上のプロセッサ（例えば、ＣＰＵ、ＤＳＰなど）を備える情報処理装置（例えば、処理回路、チップ）も提供されてもよい。
【０４７１】
また、本明細書に記載された効果は、あくまで説明的又は例示的なものであって限定的ではない。つまり、本開示に係る技術は、上記効果とともに、又は上記効果に代えて、本明細書の記載から当業者には明らかな他の効果を奏しうる。
【０４７２】
なお、以下のような構成も本開示の技術的範囲に属する。
（１）
端末装置であって、
移動体通信ネットワークにおける移動体通信を行う移動体通信部と、
前記移動体通信とは異なる無線通信用の１つ以上の無線ネットワークの各々の状態を示す状態情報を取得する取得部と、
前記状態情報に基づいて、前記１つ以上の無線ネットワークのうちの１つの無線ネットワークを選択する選択部と、
選択される前記１つの無線ネットワークに関する情報を、前記無線通信を行う別の端末装置に提供する提供部と、
を備え、
前記１つ以上の無線ネットワークの各々は、前記別の端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記端末装置に提供される情報に含まれる、
端末装置。
（２）
前記状態情報は、前記１つ以上の無線ネットワークの各々の使用状況を示す使用状況情報を含む、前記（１）に記載の端末装置。
（３）
前記使用状況情報は、前記１つ以上の無線ネットワークの各々に接続される装置の数に関する情報を含む、前記（２）に記載の端末装置。
（４）
前記使用状況情報は、前記１つ以上の無線ネットワークの各々におけるトラフィックに関する情報を含む、前記（２）又は（３）に記載の端末装置。
（５）
前記使用状況情報は、前記移動体通信ネットワークを介して前記端末装置に提供される情報に含まれる、前記（２）〜（４）のいずれか１項に記載の端末装置。
（６）
前記取得部は、前記１つ以上の無線ネットワークの各々のアクセスポイントの配置状況を示す配置状況情報を取得し、
前記選択部は、前記配置状況情報にさらに基づいて、前記１つの無線ネットワークを選択する、
前記（１）〜（５）のいずれか１項に記載の端末装置。
（７）
前記状態情報は、前記１つ以上の無線ネットワークの各々の測定された通信品質を示す通信品質情報を含む、前記（１）〜（６）のいずれか１項に記載の端末装置。
（８）
前記通信品質情報は、受信信号の強度を示す情報を含む、前記（７）に記載の端末装置。
（９）
前記通信品質情報は、前記端末装置又は前記別の端末装置による通信品質の測定を通じて生成される情報である、前記（７）又は（８）に記載の端末装置。
（１０）
前記選択部は、前記１つ以上の無線ネットワークの各々において使用されるチャネルの共用状況にさらに基づいて、前記１つの無線ネットワークを選択する、前記（１）〜（９）のいずれか１項に記載の端末装置。
（１１）
前記認証手続きは、前記端末装置の加入者識別モジュールにより提供される認証用情報を用いる認証手続きを含み、
前記提供部は、前記認証用情報を前記別の端末装置に提供する、
前記（１）〜（１０）のいずれか１項に記載の端末装置。
（１２）
前記認証手続きは、電子証明書を用いる認証手続きを含む、前記（１）〜（１１）のいずれか１項に記載の端末装置。
（１３）
前記１つ以上の無線ネットワークの各々は、前記端末装置又は前記別の端末装置の位置に対応する通信エリアを有する無線ネットワークである、前記（１）〜（１２）のいずれか１項に記載の端末装置。
（１４）
前記１つ以上の無線ネットワークの各々は、時間に対応する利用可能時間を有する無線ネットワークである、前記（１）〜（１３）のいずれか１項に記載の端末装置。
（１５）
前記１つ以上の無線ネットワークの各々は、無線ローカルエリアネットワーク（ＷＬＡＮ）であり、
前記無線通信は、ＷＬＡＮ通信である、
前記（１）〜（１４）のいずれか１項に記載の端末装置。
（１６）
前記１つ以上の無線ネットワークの各々は、前記移動体通信ネットワークについてのオペレータにより運用される無線ネットワークである、前記（１）〜（１５）のいずれか１項に記載の端末装置。
（１７）
前記情報提供装置は、アクセスネットワーク発見選択機能（ＡＮＤＳＦ）を有する装置である、前記（１）〜（１６）のいずれか１項に記載の端末装置。
（１８）
移動体通信ネットワークにおける移動体通信を行う端末装置のための情報処理装置であって、
プログラムを記憶するメモリと、
前記プログラムを実行可能な１つ以上のプロセッサと、
を備え、
前記プログラムは、
前記移動体通信とは異なる無線通信用の１つ以上の無線ネットワークの各々の状態を示す状態情報を取得することと、
前記状態情報に基づいて、前記１つ以上の無線ネットワークのうちの１つの無線ネットワークを選択することと、
選択される前記１つの無線ネットワークに関する情報を、前記無線通信を行う別の端末装置に提供することと、
を実行させるためのプログラムであり、
前記１つ以上の無線ネットワークの各々は、前記別の端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記端末装置に提供される情報に含まれる、
情報処理装置。
（１９）
端末装置であって、
移動体通信ネットワークにおける移動体通信とは異なる無線通信を行う無線通信部と、
前記無線通信用の１つ以上の無線ネットワークの各々の状態を示す状態情報を取得する取得部と、
前記状態情報に基づいて、前記１つ以上の無線ネットワークのうちの１つの無線ネットワークを選択する選択部と、
を備え、
前記１つ以上の無線ネットワークの各々は、前記端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記移動体通信を行う別の端末装置に提供される情報のうちの少なくとも一部の情報であって、前記別の端末装置により前記端末装置に提供される前記情報に含まれ、
前記端末装置は、
前記認証手続きを通じて、選択される前記１つの無線ネットワークに前記端末装置を接続させる接続制御部、
をさらに備える、端末装置。
（２０）
移動体通信ネットワークにおける移動体通信とは異なる無線通信を行う端末装置のための情報処理装置であって、
プログラムを記憶するメモリと、
前記プログラムを実行可能な１つ以上のプロセッサと、
を備え、
前記プログラムは、
前記無線通信用の１つ以上の無線ネットワークの各々の状態を示す状態情報を取得することと、
前記状態情報に基づいて、前記１つ以上の無線ネットワークのうちの１つの無線ネットワークを選択することと、
を実行させるためのプログラムであり、
前記１つ以上の無線ネットワークの各々は、前記端末装置が認証手続きを通じて接続可能な前記無線通信用の無線ネットワークであり、
前記１つ以上の無線ネットワークに関する情報は、前記移動体通信を行う装置に前記移動体通信ネットワークとは異なる無線ネットワークに関する情報を提供する情報提供装置により前記移動体通信を行う別の端末装置に提供される情報のうちの少なくとも一部の情報であって、前記別の端末装置により前記端末装置に提供される前記情報に含まれ、
前記プログラムは、
前記認証手続きを通じて、選択される前記１つの無線ネットワークに前記端末装置を接続させること、
をさらに実行させるためのプログラムである、
情報処理装置。
【符号の説明】
【０４７３】
１        通信システム
３０      移動体通信ネットワーク
５０      無線ネットワーク
５１      アクセスポイント
１００    移動体通信端末
１１０    移動体通信部
１６４    第２情報取得部
１６５    ネットワーク選択部
１６６    情報提供部
２００    無線通信端末
２１０    第１無線通信部
２４３    第２情報取得部
２４４    ネットワーク選択部
２４５    接続制御部
３００    ネットワーク情報提供装置
【図１】
2015068497.tif 000006
【図２】
2015068497.tif 000007
【図３】
2015068497.tif 000008
【図４】
2015068497.tif 000009
【図５】
2015068497.tif 000010
【図６】
2015068497.tif 000011
【図７】
2015068497.tif 000012
【図８】
2015068497.tif 000013
【図９】
2015068497.tif 000014
【図１０】
2015068497.tif 000015
【図１１】
2015068497.tif 000016
【図１２Ａ】
2015068497.tif 000017
【図１２Ｂ】
2015068497.tif 000018
【図１３】
2015068497.tif 000019
【図１４】
2015068497.tif 000020
【図１５】
2015068497.tif 000021
【図１６】
2015068497.tif 000022
【図１７】
2015068497.tif 000023
【図１８】
2015068497.tif 000024
【図１９】
2015068497.tif 000025
【図２０】
2015068497.tif 000026
【図２１】
2015068497.tif 000027
【図２２】
2015068497.tif 000028
【図２３】
2015068497.tif 000029
【手続補正書】
【提出日】平成28年9月16日(2016.9.16)
【手続補正１】
【補正対象書類名】明細書
【補正対象項目名】０１６２
【補正方法】変更
【補正の内容】
【０１６２】
例えば以上のように評価値が算出される。上述した図７及び図８の例によれば、ＥＳＳＩＤ＿１のＷＬＡＮの評価値は６（２＋２＋２）であり、ＥＳＳＩＤ＿２のＷＬＡＮの評価値は２（１＋１＋０）であり、ＥＳＳＩＤ＿３のＷＬＡＮの評価値は３（２＋１＋０）である。よって、図７及び図８の例によれば、ＥＳＳＩＤ＿１のＷＬＡＮが選択される。
【手続補正２】
【補正対象書類名】明細書
【補正対象項目名】０２６４
【補正方法】変更
【補正の内容】
【０２６４】
例えば以上のように評価値が算出される。上述した図１３及び図１４の例によれば、ＥＳＳＩＤ＿１のＷＬＡＮの評価値は４（２＋２）であり、ＥＳＳＩＤ＿２のＷＬＡＮの評価値は１（１＋０）であり、ＥＳＳＩＤ＿３のＷＬＡＮの評価値は０（０＋０）である。よって、図１３及び図１４の例によれば、ＥＳＳＩＤ＿１のＷＬＡＮが選択される。
【手続補正３】
【補正対象書類名】明細書
【補正対象項目名】０２２４
【補正方法】変更
【補正の内容】
【０２２４】
そして、認証サーバ３７は、ＲＡＤＩＵＳ−Ａｃｃｅｓｓ−Ｒｅｑｕｅｓｔメッセージ（Ｓ１１２８）への応答として、ＲＡＤＩＵＳ−Ａｃｃｅｓｓ−Ｃｈａｌｌｅｎｇｅメッセージをアクセスポイント５１へ送信する（Ｓ１１３２）。なお、ＲＡＤＩＵＳ−Ａｃｃｅｓｓ−Ｃｈａｌｌｅｎｇｅメッセージは、認証ベクタに加えて、ＭＡＣ（Message  Authentication  Code）を含む。当該ＭＡＣは、メッセージの完全性を検証するための情報であり、認証サーバ３７により生成される。
【手続補正４】
【補正対象書類名】明細書
【補正対象項目名】０２２５
【補正方法】変更
【補正の内容】
【０２２５】
その後、アクセスポイント５１は、ＥＡＰ−Ｒｅｑｕｅｓｔ／ＡＫＡ−Ｃｈａｌｌｅｎｇｅメッセージを無線通信端末２００−１へ送信する（Ｓ１１３３）。ＥＡＰ−Ｒｅｑｕｅｓｔ／ＡＫＡ−Ｃｈａｌｌｅｎｇｅメッセージは、ＲＡＮＤ、ＡＵＴＮ及びＭＡＣを含む。ＸＲＥＳ、ＩＫ及びＣＫは、アクセスポイント５１が保持し、無線通信端末２００−１へ送信されない。
【手続補正５】
【補正対象書類名】明細書
【補正対象項目名】０２３１
【補正方法】変更
【補正の内容】
【０２３１】
認証サーバ３７は、上記レスポンスとＸＲＥＳとのとの一致の検証と、ＭＡＣに基づくメッセージの完全性の検証とを行う（Ｓ１１３９）。
【手続補正６】
【補正対象書類名】明細書
【補正対象項目名】０２９１
【補正方法】変更
【補正の内容】
【０２９１】
例えば、上記第１のネットワーク情報が、上記移動体通信とは異なる上記無線通信用の２つ以上の無線ネットワークに関する情報である場合には、上記第３のネットワーク情報は、当該２つ以上の無線ネットワークのうちの一部の無線ネットワークに関する情報であってもよい。とりわけ、移動体通信端末１００−２と無線通信端末２００−２との間で認証のケイパビリティが異なる場合には、無線通信端末２００−２が認証手続きを通じて接続可能な無線ネットワークは、上記第１のネットワーク情報により示される上記少なくとも１つの無線ネットワークのうちの一部の無線ネットワークであり得る。このような場合に、上記第３のネットワーク情報は、上記第１のネットワーク情報のうちの、上記一部の無線ネットワーク（即ち、無線通信端末２００−２が認証手続きを通じて接続可能な無線ネットワーク）に関する情報であってもよい。
【手続補正７】
【補正対象書類名】明細書
【補正対象項目名】０３１８
【補正方法】変更
【補正の内容】
【０３１８】
より具体的には、例えば、上述したように、当該１つ以上の無線ネットワークは、第３のネットワーク情報により示される上記少なくとも１つの無線ネットワークに含まれ、上記１つ以上の無線ネットワークに関する情報は、上記第３のネットワーク情報に含まれる。即ち、上記１つ以上の無線ネットワークに関する情報は、移動体通信端末１００−２により無線通信端末２００−２に提供される第３のネットワーク情報に含まれる。
【手続補正８】
【補正対象書類名】明細書
【補正対象項目名】０３７５
【補正方法】変更
【補正の内容】
【０３７５】
なお、図１９に示される第２の実施形態の変形例に係る通信制御処理のうちの、ステップＳ１５１０、Ｓ１５２０、Ｓ１５７０及びＳ１５８０は、図１８を参照して説明した第２の実施形態に係る通信制御処理のうちの、ステップＳ１３１０、Ｓ１３２０、Ｓ１３９０、Ｓ１４００と同一である。よって、ここでは、ステップＳ１５３０、Ｓ１５４０、Ｓ１５５０、Ｓ１５５５及びＳ１５６０のみを説明する。
【手続補正９】
【補正対象書類名】明細書
【補正対象項目名】０４３１
【補正方法】変更
【補正の内容】
【０４３１】
図２３に示したカーナビゲーション装置８３０において、図１７を参照して説明した第２情報取得部２４３、ネットワーク選択部２４４及び接続制御部２４５は、プロセッサ８３１において実装されてもよい。より具体的には、例えば、第２情報取得部２４３、ネットワーク選択部２４４及び接続制御部２４５は、プロセッサ８３１と、プロセッサ８３１により実行されるプログラム（例えば、ＯＳ、デバイスドライバ及び／又はアプリケーションソフトウェアなど）とにより、実装されてもよい。また、これらの機能の少なくとも一部は、ＷＬＡＮ通信インタフェース８４１及び／又はＢｌｕｅｔｏｏｔｈ通信インタフェース８４４において実装されてもよい。また、図１７を参照して説明した第１無線通信部２１０は、ＷＬＡＮ通信インタフェース８４１において実装されてもよい。また、図１７を参照して説明した第１情報取得部２４１及びネットワーク検出部２４２の各々は、プロセッサ８３１、ＷＬＡＮ通信インタフェース８４１及びＢｌｕｅｔｏｏｔｈ通信インタフェース８４４のうちの１つ又は２つ以上において実装されてもよい。
【手続補正１０】
【補正対象書類名】明細書
【補正対象項目名】０４５９
【補正方法】変更
【補正の内容】
【０４５９】
また、例えば、使用状況情報及び配置状況情報に基づいて１つの無線ネットワークが選択される例と、通信品質情報及びチャネルの共有状況に基づいて１つの無線ネットワークが選択される例とを説明したが、本開示は係る例に限定されない。例えば、使用状況情報、配置状況情報、通信品質情報、及びチャネルの共有状況のうちの、１つ又は２つ以上に基づいて、１つの無線ネットワークが選択されてもよい。一例として、使用状況情報及び通信品質情報の両方に基づいて１つの無線ネットワークが選択されてもよい。即ち、状態情報は、使用状況情報及び通信品質情報の両方を含んでもよい。別の例として、使用状況情報及びチャネルの共有状況に基づいて１つの無線ネットワークが選択されてもよい。さらに別の例として、通信品質情報及び配置状況情報に基づいて１つの無線ネットワークが選択されてもよい。
【手続補正１１】
【補正対象書類名】明細書
【補正対象項目名】０４６１
【補正方法】変更
【補正の内容】
【０４６１】
また、例えば、使用状況情報及び配置状況情報が、無線ネットワーク（即ち、無線ネットワークのアクセスポイント又は無線ネットワークの管理装置など）によりネットワーク情報提供装置に提供される例を説明したが、本開示は係る例に限定されない。例えば、使用状況情報及び／又は配置状況情報は、別の装置によりネットワーク情報提供装置に提供されてもよい。また、例えば、使用状況情報及び配置状況情報が、ネットワーク情報提供装置により移動体通信端末に提供される例を説明したが、本開示は係る例に限定されない。例えば、使用状況情報及び／又は配置状況情報は、別の装置により移動体通信端末に提供されてもよい。
【手続補正１２】
【補正対象書類名】図面
【補正対象項目名】図１２Ｂ
【補正方法】変更
【補正の内容】
【図１２Ｂ】
2015068497.tif 000030
【国際調査報告】
2015068497.tif 000031
2015068497.tif 000032
2015068497.tif 000033
2015068497.tif 000034